(57)【要約】この出願の実施形態は、ビームトラッキング方法、端末装置、及びネットワーク側装置を提供する。本方法は、端末装置によって、Ｎ個の第１のビーム参照品質値を決定することであって、Ｎ個の第１のビーム参照品質値がそれぞれ、Ｎ個のビームに対応する、ことと、端末装置によって、Ｎ個の第１のビーム参照品質値、及びＮ個のビームの各々が属するセルに基づいて、Ｎ個のビームからＭ個のビームを選択することであって、Ｍ個のビームが、その端末装置によってキャンプオンされるセル又はその端末装置のサービングセルに属する、ことと、端末装置によって、選択されたＭ個のビームを、その端末装置にサービスを提供するネットワーク側装置に示すこととを含む。前述の技術的解決策では、端末装置は、検出されることができるビームをトラッキングし、キャンプオンされるセル又はサービングセルのトラッキングされたビームをネットワーク側装置に報告してもよく、従って、ネットワーク側装置は、報告されたビームから端末装置との通信に使用されるビームとして適切なビームを選択することができる。
2019525643.tif 000002
【特許請求の範囲】
【請求項１】
ビームトラッキング方法であって、
端末装置によって、Ｎ個の第１のビーム参照品質値を決定するステップであって、前記Ｎ個の第１のビーム参照品質値がそれぞれ、Ｎ個のビームに対応し、Ｎが１以上の正の整数である、ステップと、
前記端末装置によって、前記Ｎ個の第１のビーム参照品質値、及び前記Ｎ個のビームの各々が属するセルに基づいて、前記Ｎ個のビームからＭ個のビームを選択するステップであって、Ｍが１以上かつＮ以下の正の整数であり、前記Ｍ個のビームが、前記端末装置によってキャンプオンされるセル又は前記端末装置のサービングセルに属する、ステップと、
前記端末装置によって、前記選択されたＭ個のビームを、前記端末装置にサービスを提供するネットワーク側装置に示すステップと
を含む方法。
【請求項２】
前記端末装置によって、前記ネットワーク側装置に第１のターゲットビームのインデックスに対応する時間−周波数リソース及び／又は符号リソース上でランダムアクセスプリアンブルを送信するステップであって、前記第１のターゲットビームが、前記Ｍ個のビームのうちの、最大の第１のビーム参照品質値を有するビームである、ステップをさらに含む
請求項１に記載の方法。
【請求項３】
前記端末装置によって、前記Ｎ個の第１のビーム参照品質値、及び前記Ｎ個のビームの各々が属する前記セルに基づいて、前記Ｎ個のビームが属するセルのうちの少なくとも１つのセルの各々の、少なくとも２つの最大の第１のビーム参照品質値の平均値を決定するステップと、
前記端末装置によって、各セルの前記少なくとも２つの最大の第１のビーム参照品質値の前記平均値に基づいて、各セルの第２のビーム参照品質を決定するステップと、
前記端末装置によって、各セルの前記第２のビーム参照品質をセル測定結果として使用し、前記第２のビーム参照品質を前記ネットワーク側装置にＲＲＣ層メッセージを介して送信するステップとをさらに含む
請求項１又は２に記載の方法。
【請求項４】
前記端末装置によって、前記Ｎ個の第１のビーム参照品質値、及び前記Ｎ個のビームの各々が属する前記セルに基づいて、前記Ｎ個のビームが属するセルのうちの少なくとも１つのセルの各々の、最大の第１のビーム参照品質値を決定するステップと、
前記端末装置によって、各セルの前記最大の第１のビーム参照品質値に基づいて、各セルの第２のビーム参照品質値を決定するステップと、
前記端末装置によって、各セルの前記第２のビーム参照品質値をセル測定結果として使用し、前記第２のビーム参照品質値を前記ネットワーク側装置にＲＲＣ層メッセージを介して送信するステップとをさらに含む
請求項１又は２に記載の方法。
【請求項５】
前記端末装置によって、Ｎ個の第２のビーム参照品質値を決定するステップであって、前記Ｎ個の第２のビーム参照品質値のうちのｎ番目の第２のビーム参照品質値が、前記Ｎ個の第１のビーム参照品質値のうちのｎ番目の第１のビーム参照品質値に基づいて決定され、ｎ＝１、・・・、又はＮである、ステップと、
前記端末装置によって、前記Ｎ個の第２のビーム参照品質値に基づいて、第２のビームトラッキングメッセージを決定するステップと、
前記端末装置によって、前記第２のビームトラッキングメッセージを前記ネットワーク側装置に送信するステップであって、前記第２のビームトラッキングメッセージが無線リソース制御ＲＲＣ層メッセージである、ステップとをさらに含む
請求項１又は２に記載の方法。
【請求項６】
前記端末装置によって、前記Ｎ個の第２のビーム参照品質値に基づいて、第２のビームトラッキングメッセージを決定する前記ステップは、
前記端末装置によって、前記Ｎ個の第２のビーム参照品質値、前記Ｎ個のビームの各々が属する前記セル、及び第３のプリセット閾値に基づいて、前記第２のビームトラッキングメッセージを決定するステップであって、前記第２のビームトラッキングメッセージがＰ個のビームのインデックスを具備し、前記Ｐ個のビームの各々の第２のビーム参照品質値が前記第３のプリセット閾値以上であり、Ｐが１以上Ｍ以下の正の整数である、ステップを含む
請求項５に記載の方法。
【請求項７】
前記端末装置によって、前記Ｎ個の第２のビーム参照品質値に基づいて、第２のビームトラッキングメッセージを決定する前記ステップは、
前記端末装置によって、前記Ｎ個の第２のビーム参照品質値、及び前記Ｎ個のビームの各々が属する前記セルに基づいて、前記Ｎ個のビームが属するセルのうちの少なくとも１つのセルの各々の、少なくとも２つの参照ビームを決定するステップであって、各セルの前記少なくとも２つの参照ビームが、各セルの、最大の第２のビーム参照品質値を有する少なくとも２つのビームである、ステップと、
前記端末装置によって、前記第２のビームトラッキングメッセージを決定するステップであって、前記第２のビームトラッキングメッセージが、各セルの前記決定された少なくとも２つの参照ビームのインデックスを含む、ステップとを含む
請求項５に記載の方法。
【請求項８】
前記端末装置によって、前記セル測定結果に基づいて、プリセット測定イベントが満たされているかどうかを決定するステップをさらに含む
請求項３又は４に記載の方法。
【請求項９】
Ｍの値は、前記ネットワーク側装置によって前記端末装置に示される
請求項１乃至８のいずれか一項に記載の方法。
【請求項１０】
ビームトラッキング方法であって、
ネットワーク側装置によって、端末装置によって示されたＭ個のビームを取得するステップであって、前記Ｍ個のビームが、前記端末装置によってキャンプオンされるセル又は前記端末装置のサービングセルに属し、Ｍが１以上の正の整数である、ステップと、
前記ネットワーク側装置によって、前記Ｍ個のビームからビームを選択するステップと、
前記ネットワーク側装置によって、前記選択されたビームを使用して前記端末装置にダウンリンクメッセージを送信するステップと
を含む方法。
【請求項１１】
前記ネットワーク側装置によって、前記端末装置によって送信されたランダムアクセスプリアンブルを受信するステップと、
前記ネットワーク側装置によって、前記ランダムアクセスプリアンブルの時間−周波数リソース及び／又は符号リソースに基づいて、第１のターゲットビームを決定するステップであって、前記第１のターゲットビームが、前記Ｍ個のビームのうちの、最大の第１のビーム参照品質値を有するビームである、ステップとをさらに含む
請求項１０に記載の方法。
【請求項１２】
前記ネットワーク側装置によって、前記端末装置によって送信された少なくとも１つのセルの各々のセル測定結果を受信するステップであって、各セルの前記セル測定結果が各セルの第２のビーム参照品質値であり、各セルの前記第２のビーム参照品質が各セルの少なくとも２つの最大の第１のビーム参照品質値の平均値に基づいて決定される、ステップをさらに含む
請求項１０又は１１に記載の方法。
【請求項１３】
前記ネットワーク側装置によって、前記端末装置によって送信された少なくとも１つのセルの各々のセル測定結果を受信するステップであって、各セルの前記セル測定結果が各セルの第２のビーム参照品質値を具備し、各セルの前記第２のビーム参照品質値が各セルの最大の第１のビーム参照品質値に基づいて決定される、ステップをさらに含む
請求項１０又は１１に記載の方法。
【請求項１４】
前記ネットワーク側装置によって、前記端末装置によって送信された第２のビームトラッキングメッセージを受信するステップであって、前記第２のビームトラッキングメッセージがＲＲＣ層メッセージであり、前記第２のビームトラッキングメッセージがＰ個のビームのインデックスを具備し、前記Ｐ個のビームの各々の第２のビーム参照品質値が第３のプリセット閾値以上であり、Ｐが１以上Ｍ以下の正の整数である、ステップをさらに含む
請求項１０又は１１に記載の方法。
【請求項１５】
前記ネットワーク側装置によって、前記端末装置によって送信された第２のビームトラッキングメッセージを受信するステップであって、前記第２のビームトラッキングメッセージがＲＲＣ層メッセージであり、前記第２のビームトラッキングメッセージが、少なくとも１つのセルの各々に属する少なくとも２つの参照ビームのインデックスを具備し、各セルの前記少なくとも２つの参照ビームが、各セルの、最大の第２のビーム参照品質値を有する少なくとも２つのビームである、ステップをさらに含む
請求項１０又は１１に記載の方法。
【請求項１６】
Ｍの値は、前記ネットワーク側装置によって前記端末装置に示される
請求項１０乃至１５のいずれか一項に記載の方法。
【請求項１７】
端末装置であって、
Ｎ個の第１のビーム参照品質値を決定することであって、前記Ｎ個の第１のビーム参照品質値がそれぞれ、Ｎ個のビームに対応し、Ｎが１以上の正の整数である、ことを行うように構成された、処理ユニットであって、前記Ｎ個の第１のビーム参照品質値、及び前記Ｎ個のビームの各々が属するセルに基づいて、前記Ｎ個のビームからＭ個のビームを選択することであって、Ｍが１以上かつＮ以下の正の整数であり、前記Ｍ個のビームが、前記端末装置によってキャンプオンされるセル又は前記端末装置のサービングセルに属する、ことを行うようにさらに構成される、処理ユニットと、
前記選択されたＭ個のビームを、前記端末装置にサービスを提供するネットワーク側装置に示すことを行うように構成された、送信ユニットと
を含む端末装置。
【請求項１８】
前記送信ユニットは、前記ネットワーク側装置に第１のターゲットビームのインデックスに対応する時間−周波数リソース及び／又は符号リソース上でランダムアクセスプリアンブルを送信することであって、前記第１のターゲットビームが、前記Ｍ個のビームのうちの、最大の第１のビーム参照品質値を有するビームである、ことを行うようにさらに構成される
請求項１７に記載の端末装置。
【請求項１９】
前記処理ユニットは、前記Ｎ個の第１のビーム参照品質値、及び前記Ｎ個のビームの各々が属する前記セルに基づいて、前記Ｎ個のビームが属するセルのうちの少なくとも１つのセルの各々の、少なくとも２つの最大の第１のビーム参照品質値の平均値を決定することを行うようにさらに構成され、
前記処理ユニットは、各セルの前記少なくとも２つの最大の第１のビーム参照品質値の前記平均値に基づいて、各セルの第２のビーム参照品質を決定することを行うようにさらに構成され、
前記送信ユニットは、各セルの前記第２のビーム参照品質をセル測定結果として使用し、前記第２のビーム参照品質を前記ネットワーク側装置にＲＲＣ層メッセージを介して送信することを行うようにさらに構成される
請求項１７又は１８に記載の端末装置。
【請求項２０】
前記処理ユニットは、前記Ｎ個の第１のビーム参照品質値、及び前記Ｎ個のビームの各々が属する前記セルに基づいて、前記Ｎ個のビームが属するセルのうちの少なくとも１つのセルの各々の、最大の第１のビーム参照品質値を決定することを行うようにさらに構成され、
前記処理ユニットは、各セルの前記最大の第１のビーム参照品質値に基づいて、各セルの第２のビーム参照品質値を決定することを行うようにさらに構成され、
前記送信ユニットは、各セルの前記第２のビーム参照品質値をセル測定結果として使用し、前記第２のビーム参照品質値を前記ネットワーク側装置にＲＲＣ層メッセージを介して送信することを行うようにさらに構成される
請求項１７又は１８に記載の端末装置。
【請求項２１】
前記処理ユニットは、Ｎ個の第２のビーム参照品質値を決定することであって、前記Ｎ個の第２のビーム参照品質値のうちのｎ番目の第２のビーム参照品質値が、前記Ｎ個の第１のビーム参照品質値のうちのｎ番目の第１のビーム参照品質値に基づいて決定され、ｎ＝１、・・・、又はＮである、ことを行うようにさらに構成され、
前記処理ユニットは、前記Ｎ個の第２のビーム参照品質値に基づいて、第２のビームトラッキングメッセージを決定することを行うようにさらに構成され、
前記送信ユニットは、前記第２のビームトラッキングメッセージを前記ネットワーク側装置に送信することであって、前記第２のビームトラッキングメッセージが無線リソース制御ＲＲＣ層メッセージである、ことを行うようにさらに構成される
請求項１７又は１８に記載の端末装置。
【請求項２２】
前記処理ユニットは、前記Ｎ個の第２のビーム参照品質値、前記Ｎ個のビームの各々が属する前記セル、及び第３のプリセット閾値に基づいて、前記第２のビームトラッキングメッセージを決定することであって、前記第２のビームトラッキングメッセージがＰ個のビームのインデックスを具備し、前記Ｐ個のビームの各々の第２のビーム参照品質値が前記第３のプリセット閾値以上であり、Ｐが１以上Ｍ以下の正の整数である、ことを行うように特に構成される
請求項２１に記載の端末装置。
【請求項２３】
前記処理ユニットは、前記Ｎ個の第２のビーム参照品質値、及び前記Ｎ個のビームの各々が属する前記セルに基づいて、前記Ｎ個のビームが属するセルのうちの少なくとも１つのセルの各々の、少なくとも２つの参照ビームを決定することであって、各セルの前記少なくとも２つの参照ビームが、各セルの、最大の第２のビーム参照品質値を有する少なくとも２つのビームである、ことと、
前記第２のビームトラッキングメッセージを決定することであって、前記第２のビームトラッキングメッセージが、各セルの前記決定された少なくとも２つの参照ビームのインデックスを含む、こととを行うように特に構成される
請求項２１に記載の端末装置。
【請求項２４】
前記処理ユニットは、前記セル測定結果に基づいて、プリセット測定イベントが満たされているかどうかを決定することを行うようにさらに構成される
請求項１９又は２０に記載の端末装置。
【請求項２５】
ネットワーク側装置であって、
端末装置によって示されたＭ個のビームを取得することであって、前記Ｍ個のビームが、前記端末装置によってキャンプオンされるセル又は前記端末装置のサービングセルに属し、Ｍが１以上の正の整数である、ことを行うように構成された、受信ユニットと、
前記Ｍ個のビームからビームを選択することを行うように構成された、処理ユニットと、
前記選択されたビームを使用して前記端末装置にダウンリンクメッセージを送信することを行うように構成された、送信ユニットと
を含むネットワーク側装置。
【請求項２６】
前記受信ユニットは、前記端末装置によって送信されたランダムアクセスプリアンブルを受信することを行うようにさらに構成され、
前記処理ユニットは、前記ランダムアクセスプリアンブルの時間−周波数リソース及び／又は符号リソースに基づいて、第１のターゲットビームを決定することであって、前記第１のターゲットビームが、前記Ｍ個のビームのうちの、最大の第１のビーム参照品質値を有するビームである、ことを行うようにさらに構成される
請求項２５に記載のネットワーク側装置。
【請求項２７】
前記受信ユニットは、前記端末装置によって送信された少なくとも１つのセルの各々のセル測定結果を受信することであって、各セルの前記セル測定結果が各セルの第２のビーム参照品質値であり、各セルの前記第２のビーム参照品質が各セルの少なくとも２つの最大の第１のビーム参照品質値の平均値に基づいて決定される、ことを行うようにさらに構成される
請求項２５又は２６に記載のネットワーク側装置。
【請求項２８】
前記受信ユニットは、前記端末装置によって送信された少なくとも１つのセルの各々のセル測定結果を受信することであって、各セルの前記セル測定結果が各セルの第２のビーム参照品質値を具備し、各セルの前記第２のビーム参照品質値が各セルの最大の第１のビーム参照品質値に基づいて決定される、ことを行うようにさらに構成される
請求項２５又は２６に記載のネットワーク側装置。
【請求項２９】
前記受信ユニットは、前記端末装置によって送信された第２のビームトラッキングメッセージを受信することであって、前記第２のビームトラッキングメッセージがＲＲＣ層メッセージであり、前記第２のビームトラッキングメッセージがＰ個のビームのインデックスを具備し、前記Ｐ個のビームの各々の第２のビーム参照品質値が第３のプリセット閾値以上であり、Ｐが１以上Ｍ以下の正の整数である、ことを行うようにさらに構成される
請求項２５又は２６に記載のネットワーク側装置。
【請求項３０】
前記受信ユニットは、前記端末装置によって送信された第２のビームトラッキングメッセージを受信することであって、前記第２のビームトラッキングメッセージがＲＲＣ層メッセージであり、前記第２のビームトラッキングメッセージが、少なくとも１つのセルの各々に属する少なくとも２つの参照ビームのインデックスを具備し、各セルの前記少なくとも２つの参照ビームが、各セルの、最大の第２のビーム参照品質値を有する少なくとも２つのビームである、ことを行うようにさらに構成される
請求項２５又は２６に記載のネットワーク側装置。
【発明の詳細な説明】
【技術分野】
【０００１】
この出願の実施形態は、ワイヤレス通信技術の分野に関し、より詳細には、ビームトラッキング方法、端末装置、及びネットワーク側装置に関する。
【０００２】
この出願は、２０１６年８月１０日に中国特許庁に出願された、「ＢＥＡＭ  ＴＲＡＣＫＩＮＧ  ＭＥＴＨＯＤ，  ＴＥＲＭＩＮＡＬ  ＤＥＶＩＣＥ，  ＡＮＤ  ＮＥＴＷＯＲＫ−ＳＩＤＥ  ＤＥＶＩＣＥ」という名称の、中国特許出願第２０１６１０６５１９７０．７号の優先権を主張するものであり、参照によりその全体が本明細書に組み込まれる。
【背景技術】
【０００３】
ワイヤレス通信技術が発展するにつれて、スペクトルリソースのうちの低周波帯域が次第に飽和している。低周波帯域において連続した利用可能スペクトルの大きいセグメントを見いだすのは困難である。従って、通信システムでは、より高周波の帯域が使用されている。パスロスが周波数及び距離に正比例することは、ワイヤレス空間パスロスの式に従って知ることができる。通信装置によって使用される周波数が上がると、同一距離ではパスロスが増加する。加えて、送信機及び受信機が変わらないままでいることを前提として、無線リンク全体によって耐えられることができる最大パスロスの値は固定である。従って、通信装置によって使用される周波数が上がると、通信装置間の実効通信距離は減少することになる。この原理によれば、高周波スペクトルの使用は、セルのカバレッジの減少を引き起こす。カバレッジエリアの要件が同一であるとき、セルのカバレッジが減少すると、カバレッジを完全なものにするためにより多くの基地局装置が要求されることになり、それにより、ネットワーク配備コストが増加する。加えて、セルのカバレッジの減少は、また、頻繁なセル間ハンドオーバを引き起こし、それにより、ユーザエクスペリエンスを低下させる。
【０００４】
高周波セルのカバレッジが減少するという問題は、望ましくは、ビームフォーミング（ｂｅａｍｆｏｒｍｉｎｇ）技術を使用して解消されることができる。ビームフォーミングは、マルチアンテナ送信／受信技術である。複数のアンテナ上で信号を組み合わせることにより狭幅ビームが形成されて、送信／受信利得を取得する。従って、セルのカバレッジが効果的に拡大されることができる。
【０００５】
現在、ビームフォーミング技術は、データチャネルのみに使用されている。端末装置は、ネットワーク側装置との通信を、従来の様式で（例えば広幅ビームを使用することによって）確立する。通信が確立された後、ビームフォーミング技術を使用して端末装置とネットワーク側装置との間でデータが送信され得る。高周波セルでは、（制御チャネル、ランダムアクセスチャネルなどを含む）すべてのチャネル上での送信が、ビームを使用して実施される必要がある。解消される必要がある重要な問題は、チャネルが変わり、端末装置が移動したときに、どのようにビームを位置整合された状態に保つか、すなわち、ビームをトラッキングするか、ということである。
【発明の概要】
【０００６】
この出願の実施形態は、すべてのチャネルの情報をビームフォーミング技術を使用して送信するための、ビームトラッキング方法、端末装置、及びネットワーク側装置を提供する。
【０００７】
第１の態様によれば、この出願の実施形態は、ビームトラッキング方法を提供する。方法は、端末装置によって、Ｎ個の第１のビーム参照品質値を決定することであって、Ｎ個の第１のビーム参照品質値がそれぞれ、Ｎ個のビームに対応し、Ｎが１以上の正の整数である、決定することと、端末装置によって、Ｎ個の第１のビーム参照品質値、及びＮ個のビームの各々が属するセルに基づいて、Ｎ個のビームからＭ個のビームを選択することであって、Ｍが１以上かつＮ以下の正の整数であり、Ｍ個のビームが、その端末装置によってキャンプオンされるセル又はその端末装置のサービングセルに属する、選択することと、端末装置によって、選択されたＭ個のビームを、その端末装置にサービスを提供するネットワーク側装置に示すこととを含む。前述の技術的解決策では、端末装置は、検出されることができるビームをトラッキングしてもよく、キャンプオンされるセル又はサービングセルのトラッキングされたビームをネットワーク側装置に報告してもよく、従って、ネットワーク側装置は、報告されたビームから端末装置との通信に使用されるビームとして適切なビームを選択することができる。
【０００８】
第１の態様を参照して、第１の態様の第１の可能な実装形態では、端末装置によって、選択されたＭ個のビームをネットワーク側装置に示すことは、端末装置によって、第１のビームトラッキングメッセージをネットワーク側装置に送信することであって、第１のビームトラッキングメッセージがＭ個のビームのインデックスを含み、第１のビームトラッキングメッセージがメディアアクセス制御（ＭＡＣ）層メッセージである、送信することを含む。このようにして、端末装置は、選択されたＭ個のビームをネットワーク側装置に、ＭＡＣ層メッセージを使用して直接示し得る。
【０００９】
第１の態様又は第１の態様の前述の可能な実装形態を参照して、第１の態様の第２の可能な実装形態では、方法は、端末装置によって、ネットワーク側装置に第１のターゲットビームのインデックスに対応する時間−周波数リソース及び／又は符号リソース上でランダムアクセスプリアンブルを送信することであって、第１のターゲットビームが、Ｍ個のビームのうちの、最大の第１のビーム参照品質値を有するビームである、送信することをさらに含む。このようにして、端末装置は、最大の第１のビーム品質値を有するビームをネットワーク側装置に、別途シグナリングを使用する必要なく、ランダムアクセスプリアンブルの時間−周波数リソース及び／又は符号リソースを使用して、暗黙的に示し得る。このようにして、シグナリングオーバーヘッドが低減されることができる。
【００１０】
第１の態様又は第１の態様の前述の可能な実装形態のいずれか１つを参照して、第１の態様の第３の可能な実装形態では、方法は、端末装置によって、Ｎ個の第２のビーム参照品質値を決定することであって、Ｎ個の第２のビーム参照品質値のうちのｎ番目の第２のビーム参照品質値が、Ｎ個の第１のビーム参照品質値のうちのｎ番目の第１のビーム参照品質値に基づいて決定され、ｎ＝１、・・・、又はＮである、決定することと、端末装置によって、Ｎ個の第２のビーム参照品質値に基づいて、第２のビームトラッキングメッセージを決定することと、端末装置によって、第２のビームトラッキングメッセージをネットワーク側装置に送信することであって、第２のビームトラッキングメッセージが無線リソース制御（ＲＲＣ）層メッセージである、送信することとをさらに含む。前述の技術的解決策では、端末装置は、各ビームの複数の第１のビーム参照品質値に基づいて、各ビームの第２のビーム参照品質値を決定し得る。このようにして、端末装置によってトラッキングされるビームの参照品質値は、時間期間内の蓄積後に取得される測定結果である。加えて、第２のビームトラッキングメッセージは、Ｎ個のビームが属するセルのうちの少なくとも１つのセルのビームのインデックスを含み得る。このようにして、ネットワーク側装置は、キャンプオンされるセルのビーム品質値及び端末装置の近隣セルのビーム品質値を取得し得る。この場合、ネットワーク側装置は、端末装置によってキャンプオンされるセル又は端末装置のサービングセルのセル状態を決定できるだけでなく、端末装置によって検出されることができる近隣セルのセル状態を決定することもできる。
【００１１】
第１の態様の第３の可能な実装形態を参照して、第１の態様の第４の可能な実装形態では、端末装置によって、Ｎ個の第２のビーム参照品質値に基づいて、第２のビームトラッキングメッセージを決定することは、端末装置によって、Ｎ個の第２のビーム参照品質値、Ｎ個のビームの各々が属するセル、第１のプリセット閾値、及び第２のプリセット閾値に基づいて、第２のビームトラッキングメッセージを決定することであって、第１のプリセット閾値が第２のプリセット閾値よりも大きく、第２のビームトラッキングメッセージが、候補ビームのインデックス及び／又は利用可能ビームのインデックスを含み、候補ビームの第２のビーム参照品質値が第１のプリセット閾値以上であり、利用可能ビームの第２のビーム参照品質値が第１のプリセット閾値未満かつ第２のプリセット閾値以上である、決定することを含む。前述の技術的解決策では、端末装置は、候補ビーム及び／又は利用可能ビームをネットワーク側装置に直接報告し、従って、ネットワーク側装置は、受信された候補ビーム及び／又は利用可能ビームから、端末装置との通信に適切なビームを選択し得る。
【００１２】
第１の態様の第４の可能な実装形態を参照して、第１の態様の第５の可能な実装形態では、第２のビームトラッキングメッセージは、候補ビームの第２のビーム参照品質値及び／又は利用可能ビームの第２のビーム参照品質値をさらに含む。
【００１３】
第１の態様の第３の可能な実装形態を参照して、第１の態様の第６の可能な実装形態では、端末装置によって、Ｎ個の第２のビーム参照品質値に基づいて、第２のビームトラッキングメッセージを決定することは、端末装置によって、Ｎ個の第２のビーム参照品質値、Ｎ個のビームの各々が属するセル、及び第３のプリセット閾値に基づいて、第２のビームトラッキングメッセージを決定することであって、第２のビームトラッキングメッセージがＰ個のビームのインデックスを含み、Ｐ個のビームの各々の第２のビーム参照品質値が第３のプリセット閾値以上であり、Ｐが１以上Ｍ以下の正の整数である、決定することを含む。前述の技術的解決策では、端末装置は、プリセット条件（具体的に言えば、第３のプリセット閾値以上であること）を満たすビームのインデックスをネットワーク側装置に直接報告してもよく、従って、ネットワーク側装置は、プリセット条件を満たすビームから、端末装置との通信に適切なビームを直接選択し得る。
【００１４】
第１の態様の第６の可能な実装形態を参照して、第１の態様の第７の可能な実装形態では、第２のビームトラッキングメッセージは、Ｎ個のビームの、第３のプリセット閾値よりも大きい第２のビーム参照品質値をさらに含む。
【００１５】
第１の態様の第３の可能な実装形態を参照して、第１の態様の第８の可能な実装形態では、端末装置によって、Ｎ個の第２のビーム参照品質値に基づいて、第２のビームトラッキングメッセージを決定することは、端末装置によって、Ｎ個の第２のビーム参照品質値、及びＮ個のビームの各々が属するセルに基づいて、Ｎ個のビームが属するセルのうちの少なくとも１つのセルの各々の、少なくとも２つの参照ビームを決定することであって、各セルの少なくとも２つの参照ビームが、各セルの、最大の第２のビーム参照品質値を有する少なくとも２つのビームである、決定することと、端末装置によって、第２のビームトラッキングメッセージを決定することであって、第２のビームトラッキングメッセージが、各セルの決定された少なくとも２つの参照ビームのインデックスを含む、決定することとを含む。前述の技術的解決策では、端末装置は、最大の第２のビーム参照品質値を有する複数のビームをネットワーク側装置に直接報告してもよく、従って、ネットワーク側装置は、最大の第２のビーム品質値を有する複数のビームから、端末装置との通信に使用され得るビームを選択し得る。
【００１６】
第１の態様の第８の可能な実装形態を参照して、第１の態様の第９の可能な実装形態では、第２のビームトラッキングメッセージは、各セルの少なくとも２つの参照ビームの第２のビーム参照品質値をさらに含む。
【００１７】
第１の態様の第３の可能な実装形態を参照して、第１の態様の第１０の可能な実装形態では、端末装置によって、Ｎ個の第２のビーム参照品質値に基づいて、第２のビームトラッキングメッセージを決定することは、端末装置によって、Ｎ個の第２のビーム参照品質値、及びＮ個のビームの各々が属するセルに基づいて、セル測定結果を決定することであって、セル測定結果が、Ｎ個のビームが属するセルのうちの少なくとも１つのセルの各々の、最大の第２のビーム参照品質値である、決定することと、端末装置によって、第２のビームトラッキングメッセージを決定することであって、第２のビームトラッキングメッセージがセル測定結果を含む、決定することとを含む。前述の技術的解決策では、端末装置は、ビームトラッキング結果に基づいてセル測定結果を決定してもよく、測定を通じて取得されたセル測定結果をネットワーク側装置に報告してもよく、従って、ネットワーク側装置は、端末装置によってトラッキングを通じて取得されたセル測定結果を適時に取得する。
【００１８】
第１の態様の第３の可能な実装形態を参照して、第１の態様の第１１の可能な実装形態では、Ｎ個の第２のビーム参照品質値に基づいて、第２のビームトラッキングメッセージを決定することは、端末装置によって、Ｎ個の第２のビーム参照品質値、及びＮ個のビームの各々が属するセルに基づいて、Ｎ個のビームが属するセルのうちの少なくとも１つのセルの各々の、少なくとも２つの参照ビームを決定することであって、各セルの少なくとも２つの参照ビームが、各セルの、最大の第２のビーム参照品質値を有する少なくとも２つのビームである、決定することと、端末装置によって、セル測定結果を決定することであって、セル測定結果が、各セルの少なくとも２つの参照ビームの第２のビーム参照品質値の平均値を含む、決定することと、端末装置によって、第２のビームトラッキングメッセージを決定することであって、第２のビームトラッキングメッセージがセル測定結果を含む、決定することとを含む。前述の技術的解決策では、端末装置は、ビームトラッキング結果に基づいてセル測定結果を決定してもよく、測定を通じて取得されたセル測定結果をネットワーク側装置に報告してもよく、従って、ネットワーク側装置は、端末装置によってトラッキングを通じて取得されたセル測定結果を適時に取得する。
【００１９】
第１の態様、第１の態様の第１の可能な実装形態、又は第１の態様の第２の可能な実装形態を参照して、第１の態様の第１２の可能な実装形態では、方法は、端末装置によって、Ｎ個の第１のビーム参照品質値、及びＮ個のビームの各々が属するセルに基づいて、Ｎ個のビームが属するセルのうちの少なくとも１つのセルの各々の、最大の第１のビーム参照品質値を決定することと、端末装置によって、各セルの最大の第１のビーム参照品質値に基づいて、各セルの第２のビーム参照品質値を決定することと、端末装置によって、各セルの第２のビーム参照品質値をセル測定結果として使用し、第２のビーム参照品質値をネットワーク側装置にＲＲＣ層メッセージを介して送信することとをさらに含む。前述の技術的解決策では、端末装置は、ビームトラッキング結果に基づいてセル測定結果を決定してもよく、測定を通じて取得されたセル測定結果をネットワーク側装置に報告してもよく、従って、ネットワーク側装置は、端末装置によってトラッキングを通じて取得されたセル測定結果を適時に取得する。
【００２０】
第１の態様、第１の態様の第１の可能な実装形態、又は第１の態様の第２の可能な実装形態を参照して、第１の態様の第１３の可能な実装形態では、方法は、端末装置によって、Ｎ個の第１のビーム参照品質値、及びＮ個のビームの各々が属するセルに基づいて、Ｎ個のビームが属するセルのうちの少なくとも１つのセルの各々の、少なくとも２つの最大の第１のビーム参照品質値の平均値を決定することと、端末装置によって、各セルの少なくとも２つの最大の第１のビーム参照品質値の平均値に基づいて、各セルの第２のビーム参照品質を決定することと、端末装置によって、各セルの第２のビーム参照品質をセル測定結果として使用し、第２のビーム参照品質をネットワーク側装置にＲＲＣ層メッセージを介して送信することとをさらに含む。前述の技術的解決策では、端末装置は、ビームトラッキング結果に基づいてセル測定結果を決定してもよく、測定を通じて取得されたセル測定結果をネットワーク側装置に報告してもよく、従って、ネットワーク側装置は、端末装置によってトラッキングを通じて取得されたセル測定結果を適時に取得する。
【００２１】
第１の態様の第１０の可能な実装形態から第１の態様の第１３の可能な実装形態のいずれか１つを参照して、第１の態様の第１４の可能な実装形態では、方法は、端末装置によって、セル測定結果に基づいて、プリセット測定イベントが満たされているかどうかを決定することをさらに含む。前述の技術的解決策では、端末装置は、ビームトラッキング結果に基づいて、プリセット測定イベントが満たされているかどうかを決定し、決定結果に基づいて、報告される内容を選択し得る。
【００２２】
第１の態様又は第１の態様の前述の可能な実装形態のいずれか１つを参照して、第１の態様の第１５の可能な実装形態では、Ｍの値は、ネットワーク側装置によって端末装置に示される。
【００２３】
第２の態様によれば、この出願の実施形態は、ビームトラッキング方法を提供する。方法は、ネットワーク側装置によって、端末装置によって示されたＭ個のビームを取得することであって、Ｍ個のビームが、その端末装置によってキャンプオンされるセル又はその端末装置のサービングセルに属し、Ｍが１以上の正の整数である、取得することと、ネットワーク側装置によって、Ｍ個のビームからビームを選択することと、ネットワーク側装置によって、選択されたビームを使用して端末装置にダウンリンクメッセージを送信することとを含む。前述の技術的解決策では、ネットワーク側装置は、端末装置によってトラッキングされ、かつその端末装置によってキャンプオンされるセル又はその端末装置のサービングセルに属する、ビームを取得し得る。
【００２４】
第２の態様を参照して、第２の態様の第１の可能な実装形態では、ネットワーク側装置によって、端末装置によって示されたＭ個のビームを取得することは、ネットワーク側装置によって、端末装置によって送信された第１のビームトラッキングメッセージを受信することであって、第１のビームトラッキングメッセージがＭ個のビームのインデックスを含み、第１のビームトラッキングメッセージがＭＡＣ層メッセージである、受信することを含む。前述の技術的解決策では、ネットワーク側装置は、端末装置によって示されたＭ個のビームを直接取得し得る。
【００２５】
第２の態様、又は第２の態様の第１の可能な実装形態を参照して、第２の態様の第２の可能な実装形態では、方法は、ネットワーク側装置によって、端末装置によって送信されたランダムアクセスプリアンブルを受信することと、ネットワーク側装置によって、ランダムアクセスプリアンブルの時間−周波数リソース及び／又は符号リソースに基づいて、第１のターゲットビームを決定することであって、第１のターゲットビームが、Ｍ個のビームのうちの、最大の第１のビーム参照品質値を有するビームである、決定することとをさらに含む。前述の技術的解決策では、ネットワーク側装置は、第１のターゲットビームを、端末装置の暗黙的な指示に基づいて決定し得る。ネットワーク側装置は、第１のターゲットビームを、別途シグナリングを受信する必要なく決定し得る。このようにして、シグナリングオーバーヘッドが低減されることができる。
【００２６】
第２の態様又は第２の態様の前述の可能な実装形態のいずれか１つを参照して、第２の態様の第３の可能な実装形態では、方法は、ネットワーク側装置によって、端末装置によって送信された第２のビームトラッキングメッセージを受信することであって、第２のビームトラッキングメッセージがＲＲＣ層メッセージであり、第２のビームトラッキングメッセージが、候補ビームのインデックス及び／又は利用可能ビームのインデックスを含み、候補ビームの第２のビーム参照品質値が第１のプリセット閾値以上であり、利用可能ビームの第２のビーム参照品質値が第１のプリセット閾値未満かつ第２のプリセット閾値以上であり、第１のプリセット閾値が第２のプリセット閾値よりも大きい、受信することをさらに含む。前述の技術的解決策では、ネットワーク側装置は、端末装置によって送信されたビームトラッキングメッセージに基づいて候補ビーム及び／又は利用可能ビームを直接決定してもよく、プリセット閾値に基づいて候補ビーム及び／又は利用可能ビームを自発的に決定する必要がない。このようにして、ネットワーク側装置のリソースが節約されることができる。
【００２７】
第２の態様の第３の可能な実装形態を参照して、第２の態様の第４の可能な実装形態では、第２のビームトラッキングメッセージは、候補ビームの第２のビーム参照品質値及び／又は利用可能ビームの第２のビーム参照品質値をさらに含む。
【００２８】
第２の態様、第２の態様の第１の可能な実装形態、又は第２の態様の第２の可能な実装形態を参照して、第２の態様の第５の可能な実装形態では、方法は、ネットワーク側装置によって、端末装置によって送信された第２のビームトラッキングメッセージを受信することであって、第２のビームトラッキングメッセージがＲＲＣ層メッセージであり、第２のビームトラッキングメッセージがＰ個のビームのインデックスを含み、Ｐ個のビームの各々の第２のビーム参照品質値が第３のプリセット閾値以上であり、Ｐが１以上Ｍ以下の正の整数である、受信することをさらに含む。前述の技術的解決策では、ネットワーク側装置は、端末装置によって送信されたビームトラッキングメッセージに基づいて、その第２のビーム参照品質値が第３のプリセット閾値以上であるビームを直接決定してもよく、プリセット閾値に基づいて前述の条件を満たすビームを自発的に決定する必要がない。このようにして、ネットワーク側装置のリソースが節約されることができる。
【００２９】
第２の態様の第５の可能な実装形態を参照して、第２の態様の第６の可能な実装形態では、第２のビームトラッキングメッセージは、少なくとも１つのビームの第２のビーム参照品質値をさらに含む。
【００３０】
第２の態様、第２の態様の第１の可能な実装形態、又は第２の態様の第２の可能な実装形態を参照して、第２の態様の第７の可能な実装形態では、方法は、ネットワーク側装置によって、端末装置によって送信された第２のビームトラッキングメッセージを受信することであって、第２のビームトラッキングメッセージがＲＲＣ層メッセージであり、第２のビームトラッキングメッセージが、少なくとも１つのセルの各々に属する少なくとも２つの参照ビームのインデックスを含み、各セルの少なくとも２つの参照ビームが、各セルの、最大の第２のビーム参照品質値を有する少なくとも２つのビームである、受信することをさらに含む。前述の技術的解決策では、ネットワーク側装置は、端末装置によって送信されたビームトラッキングメッセージに基づいて、少なくとも１つのセルの各々の、最大の第２のビーム参照品質を有する複数のビームを直接決定してもよく、少なくとも１つのセルの各々の、最大の第２のビーム参照品質を有する複数のビームを自発的に決定する必要がない。このようにして、ネットワーク側装置のリソースが節約されることができる。
【００３１】
第２の態様の第７の可能な実装形態を参照して、第２の態様の第８の可能な実装形態では、第２のビームトラッキングメッセージは、各セルの少なくとも２つの参照ビームの第２のビーム参照品質値をさらに含む。
【００３２】
第２の態様、第２の態様の第１の可能な実装形態、又は第２の態様の第２の可能な実装形態を参照して、第２の態様の第９の可能な実装形態では、方法は、ネットワーク側装置によって、端末装置によって送信された第２のビームトラッキングメッセージを受信することであって、第２のビームトラッキングメッセージがＲＲＣ層メッセージであり、第２のビームトラッキングメッセージがセル測定結果を含み、セル測定結果が、少なくとも１つのセルの各々の、最大の第２のビーム参照品質値である、受信することをさらに含む。前述の技術的解決策では、ネットワーク側装置は、端末装置によって報告されたセル測定結果を直接取得してもよく、セル測定結果を自発的に決定する必要がない。このようにして、ネットワーク側装置のリソースが節約されることができる。
【００３３】
第２の態様、第２の態様の第１の可能な実装形態、又は第２の態様の第２の可能な実装形態を参照して、第２の態様の第１０の可能な実装形態では、方法は、ネットワーク側装置によって、端末装置によって送信された第２のビームトラッキングメッセージを受信することであって、第２のビームトラッキングメッセージがＲＲＣ層メッセージであり、第２のビームトラッキングメッセージがセル測定結果を含み、セル測定結果が、少なくとも１つのセルの各々の、少なくとも２つの参照ビームの第２のビーム参照品質値の平均値を含み、各セルの少なくとも２つの参照ビームが、各セルの、最大の第２のビーム参照品質値を有する少なくとも２つのビームである、受信することをさらに含む。前述の技術的解決策では、ネットワーク側装置は、端末装置によって報告されたセル測定結果を直接取得してもよく、セル測定結果を自発的に決定する必要がない。このようにして、ネットワーク側装置のリソースが節約されることができる。
【００３４】
第２の態様、第２の態様の第１の可能な実装形態、又は第２の態様の第２の可能な実装形態を参照して、第２の態様の第１１の可能な実装形態では、方法は、ネットワーク側装置によって、端末装置によって送信された少なくとも１つのセルの各々のセル測定結果を受信することであって、各セルのセル測定結果が各セルの第２のビーム参照品質値を含み、各セルの第２のビーム参照品質値が各セルの最大の第１のビーム参照品質値に基づいて決定される、受信することをさらに含む。前述の技術的解決策では、ネットワーク側装置は、端末装置によって報告されたセル測定結果を直接取得してもよく、セル測定結果を自発的に決定する必要がない。このようにして、ネットワーク側装置のリソースが節約されることができる。
【００３５】
第２の態様、第２の態様の第１の可能な実装形態、又は第２の態様の第２の可能な実装形態を参照して、第２の態様の第１２の可能な実装形態では、方法は、ネットワーク側装置によって、端末装置によって送信された少なくとも１つのセルの各々のセル測定結果を受信することであって、各セルのセル測定結果が各セルの第２のビーム参照品質値であり、各セルの第２のビーム参照品質が各セルの少なくとも２つの最大の第１のビーム参照品質値の平均値に基づいて決定される、受信することをさらに含む。
【００３６】
第２の態様又は第２の態様の前述の可能な実装形態のいずれか１つを参照して、第２の態様の第１３の可能な実装形態では、Ｍの値は、ネットワーク側装置によって端末装置に示される。
【００３７】
第３の態様によれば、この出願の実施形態は、ビームトラッキング方法を提供する。方法は、端末装置によって、第１のビームを使用してネットワーク側装置にビームトレーニング要求を送信することと、端末装置によって、ネットワーク側装置によって送信されたビームトレーニング応答に基づいて、ネットワーク側装置との通信に使用される第２のビームを決定することであって、ビームトレーニング応答がＭ個の物理パイロットリソースを含み、Ｍが１以上の正の整数である、決定することとを含む。前述の技術的解決策では、端末装置は、複数の利用可能ビームから、ネットワーク側装置との通信に適切なビームを選択し得る。
【００３８】
第３の態様を参照して、第３の態様の第１の可能な実装形態では、端末装置によって、第１のビームを使用してネットワーク側装置にビームトレーニング要求を送信することの前に、方法は、端末装置によって、ネットワーク側装置に、Ｎ個のビームをそれぞれ使用してＮ個の時間−周波数リソース上でランダムアクセスプリアンブルを送信することであって、Ｎ個の時間−周波数リソースのいずれか２つのサブフレーム番号及び／又は周波数リソース番号が異なっており、Ｎが２以上の正の整数である、送信することと、端末装置によって、ネットワーク側装置によって送信された少なくとも１つのランダムアクセス応答メッセージを受信することと、端末装置によって、少なくとも１つのランダムアクセス応答メッセージの各々内のＲＡ−ＲＮＴＩの値に基づいて、Ｎ個のビームから第１のビームを決定することとをさらに含む。前述の技術的解決策では、端末装置は、複数の利用可能ビームから、ネットワーク側装置との通信に使用され得るビームを選択し、そのビームを使用してネットワーク側装置に要求メッセージを送信し得る。
【００３９】
第３の態様又は第３の態様の第１の可能な実装形態を参照して、第３の態様の第２の可能な実装形態では、端末装置によって、ネットワーク側装置によって送信されたビームトレーニング応答に基づいて、ネットワーク側装置との通信に使用される第２のビームを決定することは、端末装置によって、ネットワーク側装置に、Ｍ個のビームをそれぞれ使用してＭ個の物理パイロットリソース上で参照信号を送信することと、端末装置によって、ネットワーク側装置によって送信されたフィードバック情報を受信することであって、フィードバック情報がＭ個のビームのうちの１つ又は複数のビームのインデックスを含む、受信することと、端末装置によって、フィードバック情報に基づいて、第２のビームを決定することであって、第２のビームが、その１つ又は複数のビームに属する、決定することとを含む。前述の技術的解決策では、端末装置は、利用可能ビームをトレーニングし、ネットワーク側装置によってフィードバックされた情報に基づいて、ネットワーク側装置との通信に使用されることができるビームを決定し得る。
【００４０】
第３の態様の第３の可能な実装形態を参照して、第３の態様の第４の可能な実装形態では、端末装置によって、ネットワーク側装置に、Ｍ個のビームをそれぞれ使用してＭ個の物理パイロットリソース上で参照信号を送信することの前に、方法は、端末装置によって、複数の利用可能ビームからＭ個のビームを選択することをさらに含む。前述の技術的解決策では、端末装置は、トレーニングに使用されるビームの数が、ネットワーク側装置によって端末装置に割り当てられる物理パイロットリソースの数に等しくなり、それが、ビームトレーニングの実施に使用されるように、トレーニングに使用される適切な数のビームを選択し得る。
【００４１】
第３の態様又は第３の態様の前述の可能な実装形態のいずれか１つを参照して、第３の態様の第５の可能な実装形態では、端末装置によって、ネットワーク側装置によって送信されたビームトレーニング応答に基づいて、ネットワーク側装置との通信に使用される第２のビームを決定することの前に、方法は、端末装置によって、ネットワーク側装置に端末装置の利用可能送信ビームの数を示すことをさらに含む。前述の技術的解決策では、端末装置は、ネットワーク側装置に利用可能ビームの数を送信してもよく、従って、ネットワーク側装置は、その利用可能ビームの数に基づいて、端末装置に割り当てられる必要がある物理パイロットリソースの数を決定する。
【００４２】
第４の態様によれば、この出願の実施形態は、ビームトラッキング方法を提供する。方法は、ネットワーク側装置によって、端末装置によって送信されたビームトレーニング要求を受信することと、ネットワーク側装置によって、端末装置にビームトレーニング応答を送信することであって、ビームトレーニング応答がＭ個の物理パイロットリソースを含み、Ｍが１以上の正の整数である、送信することとを含む。前述の技術的解決策では、ネットワーク側装置は、端末装置にビームトレーニングの実施に使用される物理パイロットリソースを割り当ててもよく、従って、端末装置は、その物理パイロットリソースに基づいて、ネットワーク側装置との通信に適切なビームを選択する。
【００４３】
第４の態様を参照して、第４の態様の第１の可能な実装形態では、ネットワーク側装置によって、端末装置によって送信されたビームトレーニング要求を受信することの前に、方法は、ネットワーク側装置によって、端末装置によって送信されたＮ個のランダムアクセスプリアンブルを受信することであって、Ｎが１以上の正の整数である、受信することと、ネットワーク側装置によって、Ｎ個のランダムアクセスプリアンブルの各々の時間−周波数リソースに基づいて、Ｎ個のＲＡ−ＲＡＮＴの値を決定することと、ネットワーク側装置によって、端末装置にＮ個のランダムアクセス応答を送信することであって、Ｎ個のランダムアクセス応答がそれぞれ、Ｎ個のＲＡ−ＲＮＴＩの値に基づいてスクランブルがかけられている、送信することとをさらに含む。前述の技術的解決策では、ネットワーク側装置は、端末装置に利用可能アップリンクビームをフィードバックし、従って、端末装置は、そのアップリンクビームを使用してネットワーク側装置にビームトレーニング要求を送信する。
【００４４】
第４の態様又は第４の態様の第１の可能な実装形態を参照して、第４の態様の第２の可能な実装形態では、方法は、ネットワーク側装置によって、端末装置によってＭ個のビームをそれぞれ使用してＭ個の物理パイロットリソース上で送信された参照信号を受信することと、ネットワーク側装置によって、受信された参照信号に基づいて、Ｍ個のビームの各々のビーム品質値を決定することと、ネットワーク側装置によって、各ビームのビーム品質値に基づいて、フィードバック情報を決定することであって、フィードバック情報がＭ個のビームのうちの１つ又は複数のビームのインデックスを含む、決定することとをさらに含む。前述の技術的解決策では、ネットワーク側装置は、端末装置に、端末装置によって使用されることがあり、かつネットワーク側装置との通信に使用される、１つ又は複数のビームをフィードバックしてもよく、従って、端末装置は、その１つ又は複数のビームから、ネットワーク側装置との通信に適切なビームを選択する。
【００４５】
第４の態様の第２の可能な実装形態を参照して、第４の態様の第３の可能な実装形態では、ネットワーク側装置によって、各ビームのビーム品質値に基づいて、フィードバック情報を決定することは、ネットワーク側装置によって、各ビームのビーム品質値に基づいて、最大のビーム品質値を有する１つ又は複数のビームのインデックスをフィードバック情報が含むと決定すること、又はネットワーク側装置によって、各ビームのビーム品質値に基づいて、そのビーム品質値がプリセット閾値よりも大きい１つ又は複数のビームのインデックスをフィードバック情報が含むと決定することを含む。前述の技術的解決策では、ネットワーク側装置は、特定の条件を満たすビームを端末装置に直接フィードバックしてもよく、従って、端末装置は、そのフィードバック情報に基づいて利用可能アップリンクビームを直接決定し得る。端末装置は、特定の条件を満たすビームを自発的に決定する必要がない。このようにして、端末装置のリソースが節約されることができる。
【００４６】
第４の態様又は第４の態様の前述の可能な実装形態のいずれか１つを参照して、第４の態様の第４の可能な実装形態では、ネットワーク側装置によって、端末装置にビームトレーニング応答を送信することの前に、方法は、ネットワーク側装置によって、端末装置によって送信された利用可能送信ビームの数を受信することと、ネットワーク側装置によって、利用可能送信ビームの数に基づいて、物理パイロットリソースの量Ｍを決定することであって、Ｍが利用可能送信ビームの数以下である、決定することとをさらに含む。前述の技術的解決策では、ネットワーク側装置は、物理パイロットリソースの数が端末装置の利用可能送信ビームの数と同一になるように、適切な数の物理パイロットリソースを端末装置に割り当てる。
【００４７】
第５の態様によれば、この出願の実施形態は、端末装置を提供する。端末装置は、第１の態様又は第１の態様の可能な実装形態のいずれか１つにおける方法を実装するように構成された、さまざまなユニットを含む。
【００４８】
第６の態様によれば、この出願の実施形態は、ネットワーク側装置を提供する。ネットワーク側装置は、第２の態様又は第２の態様の可能な実装形態のいずれか１つにおける方法を実装するように構成された、さまざまなユニットを含む。
【００４９】
第７の態様によれば、この出願の実施形態は、端末装置を提供する。端末装置は、第３の態様又は第３の態様の可能な実装形態のいずれか１つにおける方法を実装するように構成された、さまざまなユニットを含む。
【００５０】
第８の態様によれば、この出願の実施形態は、ネットワーク側装置を提供する。ネットワーク側装置は、第４の態様又は第４の態様の可能な実装形態のいずれか１つにおける方法を実装するように構成された、さまざまなユニットを含む。
【００５１】
第９の態様によれば、この出願の実施形態は、コンピュータ可読記憶媒体を提供する。コンピュータ可読記憶媒体は、第１の態様又は第１の態様の可能な実装形態のいずれか１つにおける方法を実装するために使用される命令を格納する。
【００５２】
第１０の態様によれば、この出願の実施形態は、端末装置を提供する。端末装置は、メモリ及びプロセッサを含む。メモリは、第９の態様におけるコンピュータ可読記憶媒体を含む。プロセッサは、コンピュータ可読記憶媒体内に格納された命令を実行するように構成される。
【００５３】
第１１の態様によれば、この出願の実施形態は、コンピュータ可読記憶媒体を提供する。コンピュータ可読記憶媒体は、第２の態様又は第２の態様の可能な実装形態のいずれか１つにおける方法を実装するために使用される命令を格納する。
【００５４】
第１２の態様によれば、この出願の実施形態は、端末装置を提供する。端末装置は、メモリ及びプロセッサを含む。メモリは、第１１の態様におけるコンピュータ可読記憶媒体を含む。プロセッサは、コンピュータ可読記憶媒体内に格納された命令を実行するように構成される。
【００５５】
第１３の態様によれば、この出願の実施形態は、コンピュータ可読記憶媒体を提供する。コンピュータ可読記憶媒体は、第３の態様又は第３の態様の可能な実装形態のいずれか１つにおける方法を実装するために使用される命令を格納する。
【００５６】
第１４の態様によれば、この出願の実施形態は、端末装置を提供する。端末装置は、メモリ及びプロセッサを含む。メモリは、第１３の態様におけるコンピュータ可読記憶媒体を含む。プロセッサは、コンピュータ可読記憶媒体内に格納された命令を実行するように構成される。
【００５７】
第１５の態様によれば、この出願の実施形態は、コンピュータ可読記憶媒体を提供する。コンピュータ可読記憶媒体は、第４の態様又は第４の態様の可能な実装形態のいずれか１つにおける方法を実装するために使用される命令を格納する。
【００５８】
第１６の態様によれば、この出願の実施形態は、端末装置を提供する。端末装置は、メモリ及びプロセッサを含む。メモリは、第１５の態様におけるコンピュータ可読記憶媒体を含む。プロセッサは、コンピュータ可読記憶媒体内に格納された命令を実行するように構成される。
【図面の簡単な説明】
【００５９】
【図１】この出願の実施形態によるビームトラッキング方法の概略フローチャートである。
【図２】Ｍ個のビームをＭＡＣ  ＣＥのロード部を使用してフィードバックする様子の概略図である。
【図３】この出願の実施形態による別のビームトラッキング方法の概略フローチャートである。
【図４】この出願の実施形態による端末装置の構造ブロック図である。
【図５】この出願の実施形態によるネットワーク側装置の構造ブロック図である。
【発明を実施するための形態】
【００６０】
以下では、この出願の技術的解決策を、添付の図面を参照して説明する。
【００６１】
この出願の実施形態における技術的解決策は、ビームフォーミング技術をサポートする、ロングタームエボリューション（Ｌｏｎｇ  Ｔｅｒｍ  Ｅｖｏｌｕｔｉｏｎ、ＬＴＥ）システム、ＬＴＥ周波数分割デュプレックス（Ｆｒｅｑｕｅｎｃｙ  Ｄｉｖｉｓｉｏｎ  Ｄｕｐｌｅｘ、ＦＤＤ）システム、ＬＴＥ時間分割デュプレックス（Ｔｉｍｅ  Ｄｉｖｉｓｉｏｎ  Ｄｕｐｌｅｘ、ＴＤＤ）システム、第５世代（５ｔｈ  Ｇｅｎｅｒａｔｉｏｎ、５Ｇ）通信システム、及びニューラジオ（Ｎｅｗ  Ｒａｄｉｏ、ＮＲ）などのさまざまな通信システムに適用され得ることを理解されたい。
【００６２】
ユーザ機器（Ｕｓｅｒ  Ｅｑｕｉｐｍｅｎｔ、ＵＥ）、モバイル端末（Ｍｏｂｉｌｅ  Ｔｅｒｍｉｎａｌ、ＭＴ）、モバイルユーザ機器などと呼ばれることもある端末装置は、無線アクセスネットワーク（例えば、Ｒａｄｉｏ  Ａｃｃｅｓｓ  Ｎｅｔｗｏｒｋ、ＲＡＮ）を使用することによって、１つ又は複数のコアネットワークと通信し得る。ユーザ機器は、モバイル電話（又は「セルラー」フォンと呼ばれる）及びモバイル端末を伴うコンピュータなどのモバイル端末であってもよく、例えば、ポータブルの、ポケットサイズの、ハンドヘルドの、コンピュータ内蔵の、又は車載のモバイル装置であってもよい。
【００６３】
ネットワーク側装置は、ＬＴＥにおけるｅＮＢ若しくはｅＮｏｄｅＢであってもよく、又は５Ｇ若しくはＮＲにおける基地局若しくは送信受信点（Ｔｒａｎｓｍｉｓｓｉｏｎ  Ｒｅｃｅｐｔｉｏｎ  Ｐｏｉｎｔ、ＴＲＰ）であってもよい。これはこの出願では限定されない。
【００６４】
キャンプオンされるセルは、サービングセル又はカレントセルと呼ばれることもある。端末装置は、セルを選択し、そのセル内でシステムメッセージ及びページングメッセージをリスンし得る。端末装置によって選択されたセルは、端末装置によってキャンプオンされるセルである。キャンプオンされる選択されたセルに加えて、端末装置は、別のセルをさらに検出し得る。別のセルは、端末装置の近隣セルと呼ばれることがある。
【００６５】
図１は、この出願の一実施形態による、ビームトラッキング方法の概略的なフローチャートである。
【００６６】
１０１。端末装置は、Ｎ個の第１のビーム参照品質値を決定し、Ｎ個の第１のビーム参照品質値はそれぞれ、Ｎ個のビームに対応し、Ｎは１以上の正の整数である。
【００６７】
端末装置は、セルサーチフェーズにおける動作周波数を決定し得る。端末は動作周波数でのＮ個のビームを検出してもよく、Ｎ個のビームは異なるセルに属してもよい。例えば、Ｎ個のビームは、端末装置によってキャンプオンされるセルに属する１つ又は複数のビームを含み得る。代替として、Ｎ個のビームは、端末装置の隣接セルに属さない１つ又は複数のビームを含み得る。端末装置は少なくとも１つの隣接セルを有してもよく、各隣接セルはビームに対応する。この出願のこの実施形態では、「ビームが属するセル」は、ネットワーク側装置がそのセルにサービスを提供し、その中でビームを使用するセルである。「セルに対応するビーム」は、セルにサービスを提供するネットワーク側装置によってセル内で使用されるビームである。例えば、ネットワーク側装置１はセルＡ内でのビーム１、ビーム２、及びビーム３を使用し、ネットワーク側装置２はセルＢ内でのビーム４、ビーム５、及びビーム６を使用する。従って、ビーム１からビーム３まではセルＡに属し、ビーム４からビーム６まではセルＢに属し、セルＡに対応するビームはビーム１からビーム３であり、セルＢに対応するビームはビーム４からビーム６であると言われうる。１つのネットワーク側装置が１つ又は複数のセルに対してサービスを提供してもよく、又は１つのセルに対してのみサービスを提供してもよいことが理解され得る。これはこの出願において限定されない。
【００６８】
Ｎ個のビームを検出した後、端末装置は、Ｎ個のビームの各々の第１のビーム参照品質値を決定し得る。
【００６９】
任意選択で、いくつかの実施形態では、各ビームの第１のビーム参照品質値は、各ビームによって送信された参照信号を受信するための受信電力に基づいて決定されてもよく、例えば、参照信号受信電力（Ｒｅｆｅｒｅｎｃｅ  Ｓｉｇｎａｌ  Ｒｅｃｅｉｖｅｄ  Ｐｏｗｅｒ、ＲＳＲＰ）であってもよく、又は参照信号受信品質（Ｒｅｆｅｒｅｎｃｅ  Ｓｉｇｎａｌ  Ｒｅｃｅｉｖｅｄ  Ｑｕａｌｉｔｙ、ＲＳＲＱ）であってもよい。従って、第１のビーム参照品質値は、物理層測定を通じて取得されたビーム品質値であることが理解され得る。
【００７０】
任意選択で、いくつかの実施形態では、各ビームの第１のビーム参照品質値は、過去の第１のビーム参照品質値及び各ビームの現在のビーム品質値に基づいてフィルタリングを実行することによって決定され得る。具体的には、第１のビーム参照品質値は、以下の式を使用して決定され得る。
Ｆt＝（１−ａ）・Ｆt-1＋ａ・Ｍt（式１．１）
ここで、Ｆtはｔ番目の測定の間でのビームの第１のビーム参照品質値であり、Ｍtは現在のビーム品質であり、Ｆt-1は（ｔ−１）番目の測定の間でのビームの第１のビーム参照品質値であり、ａはフィルタリング係数である。フィルタリング係数は、プリセットされてもよく、又はネットワーク側装置によって端末装置に示されてもよい。これは、この出願のこの実施形態において限定されない。ａの値は０と１との間の任意の値（０及び１を含む）であってもよく、ａのより小さい値が現在のビーム品質のより低い重みを示すことが理解され得る。例えば、いくつかの実施形態では、ａ＝０．１である。現在のビーム品質値は、物理層測定を通じて取得されたビーム品質値である。例えば、現在のビーム品質値はＲＳＲＰ又はＲＳＲＱであり得る。
【００７１】
任意選択で、フィルタリングは、物理層測定結果に基づいてメディアアクセス制御（Ｍｅｄｉａ  Ａｃｃｅｓｓ  Ｃｏｎｔｒｏｌ、ＭＡＣ）層で実行されてもよく、報告はフィルタリングに基づいて実行される。具体的には、第１のビーム参照品質値は、ＭＡＣ層でフィルタリングが実行された後に取得された結果である。
【００７２】
１０２。端末装置は、Ｎ個の第１のビーム参照品質値、及びＮ個のビームの各々が属するセルに基づいて、Ｎ個のビームからＭ個のビームを選択し、Ｍは１以上かつＮ以下の正の整数であり、Ｍ個のビームは、端末装置によってキャンプオンされるセルに属する。
【００７３】
任意選択で、いくつかの実施形態では、端末装置は、Ｎ個のビームから、キャンプオンされるセルに属する少なくとも１つのビームを決定してもよく、次いで、少なくとも１つのビームから最大の第１のビーム参照品質値を有するＭ個のビームを決定し得る。Ｍの値は、プリセットされてもよく、又はネットワーク側装置によって端末装置に示されてもよい。端末装置によって決定され、キャンプオンされるセルに属するビームの量が、プリセット値又はネットワーク側装置によって示される値よりも小さい場合、Ｍ個のビームはすべて、端末装置によって決定され、キャンプオンされるセルに属するビームであることが理解され得る。
【００７４】
任意選択で、いくつかの実施形態では、端末装置は、Ｎ個のビームから、キャンプオンされるセルに属する少なくとも１つのビームを決定してもよく、次いで、少なくとも１つのビームから、その第１のビーム参照品質値がプリセット閾値よりも大きい１つ又は複数のビームを決定し得る。プリセット閾値は、プリセットされてもよく、又はネットワーク側装置によって端末装置に示されてもよい。
【００７５】
任意選択で、いくつかの実施形態では、端末装置は、Ｎ個のビームから、キャンプオンされるセルに属する少なくとも１つのビームを決定してもよく、次いで、少なくとも１つのビームから、その第１のビーム参照品質値がプリセット閾値よりも大きい１つ又は複数のビームを決定し得る。端末装置は、その第１のビーム参照品質値がプリセット閾値よりも大きい１つ又は複数のビームから、最大の第１のビーム参照品質値を有するＭ個のビームを決定し得る。プリセット閾値は、端末装置においてプリセットされてもよく、又はネットワーク側装置によって端末装置に示されてもよい。Ｍの値は、プリセットされてもよく、又はネットワーク側装置によって端末装置に示されてもよい。端末装置によって決定され、キャンプオンされるセルに属し、第１のビーム参照品質値がプリセット閾値よりも大きいビームの量が、プリセット値又はネットワーク側装置によって示される値よりも小さい場合、Ｍ個のビームはすべて、端末装置によって決定され、キャンプオンされるセルに属し、第１のビーム参照品質値がプリセット閾値よりも大きいビームであることが理解され得る。
【００７６】
１０３。端末装置は、選択されたＭ個のビームを、端末装置にサービスを提供するネットワーク側装置に示す。
【００７７】
端末装置によって検出された各ビームは１つのインデックスに対応する。端末装置は、端末装置によって選択されたＭ個のビームをネットワーク側装置に示すために、決定されたＭ個のビームのインデックスをネットワーク側装置に送信し得る。ネットワーク側装置は、受信したビームのインデックスに基づいて、端末装置によって選択されたビームを決定し得る。端末装置は、Ｍ個のビームのインデックスを明示的又は暗黙的に示し得る。
【００７８】
任意選択で、いくつかの実施形態では、端末装置は、Ｍ個のビームのインデックスを明示的に示し得る。具体的には、端末装置は第１のビームトラッキングメッセージをネットワーク側装置に送信し得る。ビームトラッキングメッセージはＭ個のビームのインデックスを含む。第１のビームトラッキングメッセージは、メディアアクセス制御（Ｍｅｄｉａ  Ａｃｃｅｓｓ  Ｃｏｎｔｒｏｌ、ＭＡＣ）層メッセージである。このようにして、端末装置は、ＭＡＣ層メッセージを使用して、選択されたＭ個のビームをネットワーク側装置に直接示し得る。
【００７９】
具体的には、第１のビームトラッキングメッセージに関して、Ｍ個のビームのインデックスは、ＭＡＣ制御要素（Ｃｏｎｔｒｏｌ  Ｅｌｅｍｅｎｔ、ＣＥ）の負荷部分を使用してネットワーク側装置にフィードバックされ得る。図２は、ＭＡＣ  ＣＥの負荷部分を使用してＭ個のビームをフィードバックする概略図である。図２に示されるように、Ｍは４である。単一のビームインデックスによって占められるビット（ｂｉｔ）の量は、６であり得る。端末装置が、条件を満たすＭが４よりも小さいと判定する場合、別の位置は無効な値で埋められる。報告されるビームの量が１つのＭＡＣ  ＣＥによって搬送されることができるビームの量を超える場合、端末装置は、複数のＭＡＣ  ＣＥを使用してＭ個のビームのインデックスをネットワーク側装置に送信し得ることが理解され得る。
【００８０】
さらに、第１のビームトラッキングメッセージ内にある、ビームのインデックスの順序は、各ビームの第１のビーム参照品質値に基づいて決定され得る。例えば、ＭＡＣ  ＣＥの負荷部分において、Ｍ個のビームのインデックスのうちの第１のビームインデックスは、最大の第１のビーム参照品質値を有するビームのインデックスであり、第２のビームインデックスは、２番目に最大の第１のビーム参照品質値を有するビームのインデックスである、などである。このようにして、ネットワーク側装置は、最大の第１のビーム参照品質値を有するビームが決定され得るように、ビームトラッキングメッセージ内にある、ビームのインデックスの順序に基づいて、ビームの第１のビーム参照品質値の順序を決定し得る。
【００８１】
任意選択で、いくつかの実施形態では、端末装置は、Ｍ個のビームの測定結果をネットワーク側装置にさらに送信し得る。例えば、端末装置は、第１のビームトラッキングメッセージを使用して、Ｍ個のビームの各々の第１のビーム参照品質値をネットワーク側装置に送信し得る。別の例では、端末装置は、代替として、Ｍ個のビームの各々の第１のビーム参照品質値を搬送するために別のメッセージを使用し得る。
【００８２】
任意選択で、いくつかの他の実施形態では、端末装置は、Ｍ個のビームのインデックスを暗黙的に示し得る。例えば、Ｍの値が１である場合、端末装置は、１つのビームをネットワーク側装置に示すように、ネットワーク側装置に１つのビームに対応する時間−周波数リソース及び／又は符号リソース上でランダムアクセスプリアンブルを送信し得る。具体的なプロセスは、ステップ１０４と同様であり得る。１つのビームは、端末装置によって検出され、また、端末装置によってキャンプオンされるセルのものであり、そして、最大の第１のビーム参照品質値を有する、ビームであり得る。このようにして、端末装置は、余分なシグナリングを使用することなしに、ランダムアクセスプリアンブルの時間−周波数リソース及び／又は符号リソースを使用してネットワーク側装置に１つのビームを暗黙的に示し得る。このようにして、シグナリングオーバーヘッドが減らされることができる。
【００８３】
前述の技術的解決策では、端末装置は、ネットワーク側装置が、報告されたビームから端末装置との通信に使用されるビームとして適切なビームを選択できるように、検出されることができるビームをトラッキングし、キャンプオンされるセルのトラッキングされたビームをネットワーク側装置に報告し得る。ネットワーク側装置は、端末装置によって示されたＭ個のビームから１つ又は複数のビームを選択し得る。ネットワーク側装置は、選択された１つ又は複数のビームを使用して端末装置にダウンリンクメッセージを送信し得る。
【００８４】
いくつかの実装形態では、本方法はステップ１０４をさらに含み得る。
【００８５】
１０４。端末装置は、ネットワーク側装置に第１のターゲットビームのインデックスに対応する時間−周波数リソース及び／又は符号リソース上でランダムアクセスプリアンブルを送信し、第１のターゲットビームは、Ｍ個のビームのうちの、最大の第１のビーム参照品質値を有するビームである。ネットワーク側装置は、受信したランダムアクセスプリアンブルの時間−周波数リソース及び／又は符号リソースに基づいて、端末装置によってキャンプオンされるセルに属する、及び最大の第１のビーム参照品質値を有する端末装置によって検出されたビームを決定し得る。このようにして、端末装置は、最大の第１のビーム参照品質値を有するビームをネットワーク側装置に直接示し得る。代替として、ネットワーク側装置は、最大の第１のビーム参照品質値を有するビームを直接決定し得る。また、指示プロセスにおいて余分なシグナリングが使用されないため、チャネルリソースが節約されることができる。
【００８６】
任意選択で、いくつかの実施形態では、各ランダムアクセスプリアンブルの時間−周波数リソースは、１つのビームのインデックスに対応する。端末装置は、第１のターゲットビームのインデックスに基づいて対応する時間−周波数リソースを決定し、その時間−周波数リソース上でランダムアクセスプリアンブルをネットワーク側装置に送信し得る。このようにして、ランダムアクセスプリアンブルを受信した後、ネットワーク側装置は、受信したランダムアクセスプリアンブルの時間−周波数リソースに基づいて、端末装置によってキャンプオンされるセルの最大の第１のビーム参照品質値を有するビームのインデックスを直接決定し得る。
【００８７】
任意選択で、いくつかの実施形態では、各ランダムアクセスプリアンブルの時間−周波数リソースは、１つのビームのグループのインデックスに対応する。異なる符号リソースは、１つの時間−周波数リソース上の異なるビームに対応する。例えば、利用可能なプリアンブルの総数が６４である場合、各ビームは８つのプリアンブルに対応し得る。例えば、周波数ｆ1及びサブフレーム１に対して、プリアンブル１からプリアンブル８はビーム１のインデックスに対応し、周波数ｆ1及びサブフレーム１に対して、プリアンブル９からプリアンブル１６はビーム２のインデックスに対応するなどである。このようにして、端末装置は、第１のターゲットビームのインデックスに基づいて対応する時間−周波数リソース及び符号リソースを決定してもよく、時間−周波数リソース及び符号リソース上でランダムアクセスプリアンブルをネットワーク側装置に送信し得る。ランダムアクセスプリアンブルを受信した後、ネットワーク側装置は、受信したランダムアクセスプリアンブルの時間−周波数リソース及び符号リソースに基づいて、端末装置によってキャンプオンされるセルの最大の第１のビーム参照品質値を有するビームのインデックスを直接決定し得る。
【００８８】
任意選択で、いくつかの実施形態では、ビームのインデックス、時間−周波数リソース、及び符号リソースの間の対応はプリセットされ得る。例えば、各ランダムアクセス時間−周波数リソース上でＫ個の利用可能なプリアンブルがＬ個のグループに分類され、各グループ内でのプリアンブルの量がＫ／Ｌであり、プリアンブルへのビームのインデックスが０からＬ−１であると指定され得る。任意選択で、いくつかの他の実施形態では、グループ量Ｌは、ネットワーク側装置によって端末装置に示されてもよい。例えば、ネットワーク側装置は、システムメッセージ又は無線リソース制御（Ｒａｄｉｏ  Ｒｅｓｏｕｒｃｅ  Ｃｏｎｔｒｏｌ、ＲＲＣ）層メッセージにおいて、グループ量Ｌを端末装置に示し得る。このようにして、異なる量のビーム及び異なる量のプリアンブルへの適合性が保証されることができる。任意選択で、いくつかの他の実施形態では、ネットワーク側装置は、時間−周波数リソースとビームグループとの間の対応をさらに示し得る。例えば、１つのサブフレームにおいて３つの周波数リソースが構成され、各周波数リソースは１つのビームグループに対応する。周波数リソース１はビームグループ１に対応し、周波数リソース２はビームグループ２に対応し、周波数リソース３はビームグループ３に対応し、各ビームグループ内でのプリアンブルはＳ／３ビームに対応し、Ｓはビームの総量である。セル内でのダウンリンクビームの量、及び各ビームとランダムアクセスプリアンブルとの間の対応は、プロトコルによって指定されてもよく、又はシステムブロードキャストメッセージを介して端末装置に示されてもよい。
【００８９】
いくつかの実施形態では、端末装置は、最初に第１のターゲットビームをネットワーク側装置に示し、次いで、Ｍ個のビームをネットワーク側装置に示し得る。いくつかの他の実施形態では、端末装置は、最初にＭ個のビームをネットワーク側装置に示し、次いで、第１のターゲットビームをネットワーク側装置に示し得る。
【００９０】
端末装置によって報告されたＭ個のビームを取得した後、ネットワーク側装置は、Ｍ個のビームに基づいて、端末装置との通信に使用されるビームを選択し得る。例えば、ネットワーク側装置は、端末装置と通信するために、Ｍ個のビームから１つのビームをターゲットビームとして選択し得る。代替として、ネットワーク側装置は、端末装置と通信するために、Ｍ個のビームから複数のビームをターゲットビームとして選択し得る。ネットワーク側装置は、ターゲットビームを使用して、すべてのチャネルの情報を端末装置に送信し得る。代替として、端末装置は、ネットワーク側装置がターゲットビーム上で端末装置に情報を送信するかどうかを検出し得る。ターゲットビームは、プリセットルールに従って決定され得る。例えば、ターゲットビームは、Ｍ個のビームのうちの、最大の第１のビーム品質を有する１つ又は複数のビームであり得る。
【００９１】
物理層におけるビーム品質に基づいて、キャンプオンされるセルに属するビームをトラッキングすることに加えて、端末装置は、ＲＲＣ層におけるビーム品質に基づいて、端末装置によってキャンプオンされるセルのビーム及び／又は端末装置の隣接セルのビームをさらにトラッキングし得る。具体的なトラッキング方法については、ステップ１０５からステップ１０７、又はステップ１０８からステップ１１０、又はステップ１１１からステップ１１３を参照されたい。
【００９２】
１０５。端末装置はＮ個の第２のビーム参照品質値を決定し、Ｎ個の第２のビーム参照品質値のうちのｎ番目の第２のビーム参照品質値は、Ｎ個の第１のビーム参照品質値のうちのｎ番目の第１のビーム参照品質値に基づいて決定され、ｎ＝１、．．．、又はＮである。
【００９３】
任意選択で、いくつかの実施形態では、Ｎ個のビームのうちのｎ番目のビームについて、端末装置は、ｎ番目のビームの第１のビーム参照品質値に基づいて、ｎ番目のビームの第２のビーム参照品質値を直接決定し得る。
【００９４】
具体的には、端末装置は、以下の式を使用して第２のビーム参照品質値を決定し得る。
Ｑt＝（１−ａ）・Ｑt-1＋ａ・ｑt（式１．２）
ここで、Ｑtは端末装置によって取得されたフィルタリングされた第２のビーム参照品質値であり、ｑtは現在の第１のビーム参照品質値であり、Ｑt-1はビームの履歴の第２のビーム参照品質値であり、ａはフィルタリング係数である。フィルタリング係数は、プリセットされてもよく、又はネットワーク側装置によって端末装置に示されてもよい。これは、この出願のこの実施形態において限定されない。ａの値は０と１との間の任意の値（０及び１を含む）であってもよく、ａのより小さい値は現在のビーム品質のより低い重みを示すことが理解され得る。例えば、いくつかの実施形態では、ａ＝０．１である。
【００９５】
任意選択で、いくつかの実施形態では、プリセット閾値が設定され得る。ビームの第１のビーム参照品質値がプリセット閾値よりも大きい場合、ビームの第２のビーム参照品質値はビームの第１のビーム参照品質値に基づいて決定されてもよく、又はビームの第１のビーム参照品質値がプリセット閾値よりも小さい場合、ビームの第２のビーム参照品質値を決定するためにビームに対して実行されるフィルタリングが停止されてもよい。任意選択で、検出期間が設定され得る。検出期間外の第１のビーム参照品質値は、検出期間中のフィルタリングプロセスに影響を与えない。検出期間中のビームのすべての第１のビーム参照品質値がプリセット閾値よりも大きいが、検出期間外のビームの第１のビーム参照品質値がプリセット閾値よりも小さい場合、検出期間中のビームに対応する第２のビーム参照品質値が依然として決定され得る。検出期間中のビームの第１のビーム参照品質値がプリセット閾値よりも小さい場合、ビームの第１のビーム参照品質値に対して実行されるフィルタリングは停止される。この場合、端末装置は、ビームの第１のビーム参照品質値がプリセット閾値よりも大きい場合に検出期間を再開し得る。
【００９６】
１０６。端末装置は、Ｎ個の第２のビーム参照品質値に基づいて、第２のビームトラッキングメッセージを決定する。
【００９７】
任意選択で、いくつかの実施形態では、端末装置がＮ個の第２のビーム参照品質値に基づいて、第２のビームトラッキングメッセージを決定することは、端末装置によって、Ｎ個の第２のビーム参照品質値、Ｎ個のビームの各々が属するセル、第１のプリセット閾値、及び第２のプリセット閾値に基づいて、第２のビームトラッキングメッセージを決定することであって、第１のプリセット閾値は第２のプリセット閾値よりも大きく、第２のビームトラッキングメッセージは候補ビームのインデックス及び／又は利用可能なビームのインデックスを含み、候補ビームの第２のビーム参照品質値は第１のプリセット閾値以上であり、利用可能なビームの第２のビーム参照品質値は第１のプリセット閾値未満かつ第２のプリセット閾値以上である、決定することを含む。さらに、いくつかの実施形態では、第２のビームトラッキングメッセージは、候補ビームの第２のビーム参照品質値及び／又は利用可能なビームの第２のビーム参照品質値をさらに含み得る。前述の技術的解決策では、ネットワーク側装置が、端末装置と通信するために、受信した候補ビーム及び／又は利用可能なビームから適切なビームを選択し得るように、端末装置は、候補ビーム及び／又は利用可能なビームをネットワーク側装置に直接報告する。
【００９８】
端末装置は、ビームに対応するパイロット情報に基づいて、そのビームが属するセルを決定し得る。パイロット情報は参照信号であり、参照信号はセル識別子に基づいて生成される。第２のビームトラッキングメッセージは、Ｎ個のビームが属するセルのうちの少なくとも１つのセルのビームのインデックスを含み得る。いくつかの実施形態では、少なくとも１つのセルは、端末装置によってキャンプオンされるセルを含み得る。
【００９９】
候補ビーム及び利用可能なビームは、Ｎ個のビームが属するすべてのセルの各々の候補ビーム及び利用可能なビームであってもよく、又はＮ個のビームが属するすべてのセルのうちの１つ又は複数の候補ビーム及び利用可能なビームであってもよい。例えば、Ｎ個のビームがそれぞれセル１（セル１は、端末装置によってキャンプオンされるセルであると仮定される）、セル２、及びセル３に属すると仮定される。端末装置は、セル１の候補ビーム及び利用可能なビームのみを決定し得る。代替として、端末装置は、セル１、セル２、及びセル３のうちの任意の２つ又はすべての候補ビーム及び利用可能なビームを決定し得る。
【０１００】
場合によっては、１つ又は複数のセルは、候補ビーム及び利用可能なビームのうちの１つのみを含み得ることが理解され得る。いくつかの他の場合では、１つ又は複数のセルは候補ビームと利用可能なビームとを含み得る。
【０１０１】
ネットワーク側装置は、端末装置と通信するために、候補ビーム及び利用可能なビームに基づいて適切なビームを選択し得る。
【０１０２】
任意選択で、いくつかの実施形態では、端末装置がＮ個の第２のビーム参照品質値に基づいて、第２のビームトラッキングメッセージを決定することは、端末装置によって、Ｎ個の第２のビーム参照品質値、Ｎ個のビームの各々が属するセル、及び第３のプリセット閾値に基づいて、第２のビームトラッキングメッセージを決定することであって、第２のビームトラッキングメッセージはビームのインデックスを含み、Ｎ個のビームのうちの第２のビーム参照品質値は、第３のプリセット閾値以上である、決定することを含む。さらに、いくつかの実施形態では、第２のビームトラッキングメッセージは、Ｎ個のビームのうちの、第３のプリセット閾値以上であるビームの第２のビーム参照品質値をさらに含み得る。前述の技術的解決策では、ネットワーク側装置が、端末装置と通信するために、プリセット条件を満たすビームから適切なビームを直接選択し得るように、端末装置は、プリセット条件を満たす（具体的には、第３のプリセット閾値以上）ビームのインデックスをネットワーク側装置に直接報告し得る。任意選択で、いくつかの実施形態では、第２のビームトラッキングメッセージはＰ個のビームのインデックスを含み、Ｐ個のビームの各々の第２のビーム参照品質値は第３のプリセット閾値以上であり、Ｐは１以上かつＭ以下の正の整数である。言い換えれば、端末装置が、プリセット条件を満たすビームの量がＭ以上であると決定した場合、端末装置は、Ｍ個のビームのインデックスを報告するか、又は端末装置が、プリセット条件を満たすビームの量がＭ以下であると決定した場合、端末装置は、プリセット条件を満たすすべてのビームのインデックスを報告する。
【０１０３】
いくつかの実施形態では、第３のプリセット閾値は第１のプリセット閾値と等しくてもよい。いくつかの実施形態では、第３のプリセット閾値は第２のプリセット閾値に等しくてもよい。いくつかの実施形態では、代替として、第３のプリセット閾値は、第１のプリセット閾値又は第２のプリセット閾値と等しくなくてもよい。例えば、第３のプリセット閾値は、第２のプリセット閾値よりも大きく、第１のプリセット閾値よりも小さくてもよい。
【０１０４】
同様に、第２のビームトラッキングメッセージに含まれるビームのインデックスは、第２のビーム参照品質値が第３のプリセット閾値よりも大きい、Ｎ個のビームが属するすべてのセルのうちの少なくとも１つのセルのビームのインデックスであり得る。代替として、第２のビームトラッキングメッセージに含まれるビームのインデックスは、Ｎ個のビームが属するすべてのセルのうちの、第２のビーム参照品質値が第３のプリセット閾値よりも大きいビームのインデックスであり得る。
【０１０５】
任意選択で、いくつかの実施形態では、端末装置がＮ個の第２のビーム参照品質値に基づいて、第２のビームトラッキングメッセージを決定することは、端末装置によって、Ｎ個の第２のビーム参照品質値、及びＮ個のビームの各々が属するセルに基づいて、Ｎ個のビームが属するセルのうちの少なくとも１つのセルの各々の、少なくとも２つの参照ビームを決定することであって、各セルの少なくとも２つの参照ビームが、各セルの、最大の第２のビーム参照品質値を有する２つのビームである、決定することを含む。端末装置は第２のビームトラッキングメッセージを決定し、第２のビームトラッキングメッセージは各セルの決定された少なくとも２つの参照ビームのインデックスを含む。さらに、いくつかの実施形態では、第２のビームトラッキングメッセージは、各セルの少なくとも２つの参照ビームのうちの第２のビーム参照品質値をさらに含み得る。任意選択で、いくつかの実施形態では、決定される必要がある参照ビームの量は、プロトコルによって指定されてもよく、又は端末装置のための基地局によって構成されてもよい。前述の技術的解決策では、ネットワーク側装置が、最大の第２のビーム品質値を有する複数のビームから、端末装置と通信するために使用され得るビームを選択し得るように、端末装置は、最大の第２のビーム参照品質値を有する複数のビームをネットワーク側装置に直接報告し得る。
【０１０６】
同様に、第２のビームトラッキングメッセージに含まれるビームのインデックスは、Ｎ個のビームが属するすべてのセルのうちの少なくとも１つの少なくとも２つの参照ビームのインデックスであり得る。代替として、第２のビームトラッキングメッセージに含まれるビームのインデックスは、Ｎ個のビームが属するすべてのセルの各々の少なくとも２つの参照ビームのインデックスであり得る。
【０１０７】
前述の実施形態では、ビームのインデックスに加えて、第２のビームトラッキングメッセージはビームの第２のビーム参照品質値をさらに含み得る。第２のビームトラッキングメッセージが複数のセルにそれぞれ属するビームのインデックスを含む場合、第２のビームトラッキングメッセージはビームが属するセルを示すために使用される情報をさらに含み得ることが理解され得る。
【０１０８】
さらに、第２のビームトラッキングメッセージが１つのセルの複数のビームのインデックスを含む場合、複数のビームのインデックスの順序はビームの第２のビーム参照品質値に基づいて決定され得る。例えば、第１のビームインデックスに対応するビームは、最大の第２のビーム参照品質値を有し、第２のビームインデックスに対応するビームは、２番目に最大の第２のビーム参照品質値を有するなどである。このようにして、ネットワーク側装置は、受信されたビームのインデックスの順序に基づいて各セルの第２のビーム参照品質値の順序を決定し得る。
【０１０９】
任意選択で、いくつかの他の実施形態では、端末装置は、Ｎ個の第２のビーム参照品質値に基づいてセル測定結果を決定し、第２のビームトラッキングメッセージはセル測定結果を含むと決定し得る。ネットワーク側装置は、報告されたセル測定結果を使用して、ビーム上でセルレベルのトラッキングを実行し得る。
【０１１０】
任意選択で、いくつかの実施形態では、セル測定結果は、Ｎ個のビームが属するセルにおける少なくとも１つのグループ内の各セルの最大の第２のビーム参照品質値であり得る。
【０１１１】
例えば、Ｎ個のビームがそれぞれセル１（セル１は、端末装置によってキャンプオンされるセルであると仮定される）、セル２、及びセル３に属すると仮定される。端末装置は、セル１の最大の第２のビーム参照品質値がセル１のセル測定結果として使用されると決定し得る。端末装置は、セル２の最大の第２のビーム参照品質値がセル２のセル測定結果として使用されるとさらに決定し得る。端末装置は、セル３の最大の第２のビーム参照品質値がセル３のセル測定結果として使用されるとさらに決定し得る。セル測定結果は、セル１、セル２、及びセル３のセル測定結果を含み得る。
【０１１２】
任意選択で、いくつかの他の実施形態では、セル測定結果は、Ｎ個のビームが属するセルのうちの少なくとも１つのセルの各々の少なくとも２つの参照ビームの第２のビーム参照品質値の平均値であってもよく、各セルの少なくとも２つの参照ビームは、各セルの、最大の第２のビーム参照品質値を有する少なくとも２つのビームである。決定される必要がある参照ビームの量は、プロトコルによって指定されてもよく、又は端末装置のためにネットワーク側装置によって構成されてもよい。
【０１１３】
例えば、Ｎ個のビームがそれぞれセル１（セル１は、端末装置によってキャンプオンされるセルであると仮定される）、セル２、及びセル３に属すると仮定される。端末装置は、セル１の３つの最大の第２のビーム参照品質値の平均値がセル１のセル測定結果として使用されると決定し得る。端末装置は、セル２の３つの最大の第２のビーム参照品質値の平均値がセル２のセル測定結果として使用されるとさらに決定し得る。端末装置は、セル３の３つの最大の第２のビーム参照品質値の平均値がセル３のセル測定結果として使用されるとさらに決定し得る。セル測定結果は、セル１、セル２、及びセル３のセル測定結果を含み得る。平均値は、算術平均値でもよく、又は幾何平均値などでもよい。これは、この出願のこの実施形態において限定されない。
【０１１４】
任意選択で、いくつかの実施形態では、第２のビームトラッキングメッセージは、Ｎ個の第２のビーム参照品質値及びＮ個のビームのインデックスをさらに含み得る。このようにして、ネットワーク側装置は、Ｎ個の第２のビーム参照品質値に基づいて特定の結果を決定し得る。例えば、ネットワーク側装置は、第１のプリセット閾値及び第２のプリセット閾値に基づいて、候補ビーム及び／又は利用可能なビームを決定し得る。ネットワーク側装置は、代替として、Ｎ個のビームが属するセルのうちの少なくとも１つの候補ビーム及び／又は利用可能なビームを決定し得ることが理解され得る。別の例では、ネットワーク側装置は、第３のプリセット閾値に基づいて、第２のビーム参照品質値が第３のプリセット閾値よりも大きいビームを決定し得る。さらに別の例では、ネットワーク側装置は、各セルの、最大の第２のビーム参照品質を有する複数のビームを決定し得る。さらに別の例では、ネットワーク側装置はセル測定結果を決定し得る。ネットワーク側装置によって前述の特定の結果を決定することの具体的なプロセスは、端末装置によって同一の特定結果を決定することの具体的なプロセスと同様である。詳細は本明細書に記載される必要はない。
【０１１５】
１０７。端末装置は第２のビームトラッキングメッセージをネットワーク側装置に送信し、第２のビームトラッキングメッセージはＲＲＣ層メッセージである。
【０１１６】
前述の技術的解決策では、端末装置は、各ビームの複数の第１のビーム参照品質値に基づいて、各ビームの第２のビーム参照品質値を決定し得る。このようにして、端末装置によってトラッキングされるビームの参照品質値は、ある期間内に蓄積した後に取得された測定結果である。さらに、第２のビームトラッキングメッセージは、Ｎ個のビームが属するセルのうちの少なくとも１つのセルのビームのインデックスを含み得る。このようにして、ネットワーク側装置は、端末装置によってキャンプオンされるセルのビーム品質値と、端末装置の隣接セルのビーム品質値とを取得し得る。この場合、ネットワーク側装置は、端末装置によってキャンプオンされるセルのセル状態を決定できるだけでなく、端末装置によって検出されることができる隣接セルのセル状態を決定することもできる。
【０１１７】
任意選択で、いくつかの実施形態では、端末装置は、第２のビームトラッキングメッセージをネットワーク側装置に定期的に送信し得る。送信期間は、プリセットされてもよく、又はネットワーク側装置によって端末装置に示されてもよい。
【０１１８】
任意選択で、いくつかの実施形態では、プリセット測定イベントが満たされている場合、端末装置は、代替として、第２のビームトラッキングメッセージをネットワーク側装置に送信し得る。具体的には、端末装置は、ビームベースのセル測定結果を使用して、プリセット測定イベントが満たされているかどうかを決定し得る。プリセット測定イベントが満たされている場合、端末装置は第２のビームトラッキングメッセージをネットワーク側装置に送信し得る。端末装置はさらに、プリセット測定イベントを同時に報告し得る。プリセット測定イベントは、以下のうちの１つ又は複数を含み得る。端末装置によってキャンプオンされるセルのセル測定結果は、端末装置の隣接セルのセル測定結果よりもプリセットオフセットだけ小さい、端末装置によってキャンプオンされるセルのセル測定結果は、プリセット閾値よりも小さい、端末装置の隣接セルのセル測定結果は、プリセット閾値よりも大きい、など。プリセット測定イベント、ならびにプリセット測定イベントにおいて使用されるプリセットオフセット及びプリセット閾値は、端末装置によってプリセットされてもよく、又はネットワーク側装置によって端末装置に示されてもよい。前述の技術的解決策では、端末装置は、ビームトラッキング結果に基づいて、プリセット測定イベントが満たされているかどうかを決定し、決定結果に基づいて、報告される内容を選択し得る。
【０１１９】
ステップ１０５からステップ１０７を使用してセル測定結果をネットワーク側装置に送信することに加えて、端末装置は、セル測定結果をさらに決定し、ステップ１０８からステップ１１０を使用してセル測定結果をネットワーク側装置に送信し得る。
【０１２０】
１０８。端末装置は、Ｎ個の第１のビーム参照品質値、及びＮ個のビームの各々が属するセルに基づいて、Ｎ個のビームが属するセルのうちの少なくとも１つのセルの各々の、最大の第１のビーム参照品質値を決定する。
【０１２１】
１０９。端末装置は、各セルの最大の第１のビーム参照品質値に基づいて、各セルの第２のビーム参照品質値を決定する。代替として、式１．２を使用して、第２のビーム参照品質値が決定され得る。詳細は本明細書に記載される必要はない。
【０１２２】
１１０。端末装置は、各セルの第２のビーム参照品質値をネットワーク側装置にＲＲＣ層メッセージを介して送信する。各セルの第２のビーム参照品質値は、各セルのセル測定結果である。
【０１２３】
前述の技術的解決策では、ネットワーク側装置が、トラッキングを通じて端末装置によって取得されたセル測定結果をタイムリーに取得するように、端末装置は、ビームトラッキング結果に基づいてセル測定結果を決定し、測定を通じて取得されたセル測定結果をネットワーク側装置に報告し得る。
【０１２４】
任意選択で、いくつかの実施形態では、プリセット測定イベントが満たされている場合、端末装置は第２のビームトラッキングメッセージをネットワーク側装置に送信し得る。具体的には、端末装置は、ビームベースのセル測定結果に従って、プリセット測定イベントが満たされているかどうかを決定し得る。プリセット測定イベントが満たされている場合、端末装置は第２のビームトラッキングメッセージをネットワーク側装置に送信し得る。端末装置はさらに、プリセット測定イベントを同時に報告し得る。プリセット測定イベントの具体的な内容は、ステップ１０７と同じである。詳細は本明細書に記載される必要はない。
【０１２５】
任意選択で、いくつかの実施形態では、端末装置は、各セルの第２のビーム参照品質値をネットワーク側装置に定期的に送信し得る。送信期間は、プリセットされてもよく、又はネットワーク側装置によって端末装置に示されてもよい。
【０１２６】
いくつかの他の実施形態では、端末装置は、代替として、セル測定結果を決定し、ステップ１１１からステップ１１３を使用してセル測定結果をネットワーク側装置に送信し得る。
【０１２７】
１１１。端末装置は、Ｎ個の第１のビーム参照品質値、及びＮ個のビームの各々が属するセルに基づいて、Ｎ個のビームが属するセルのうちの少なくとも１つの各々の最大の第１のビーム参照品質値を有する少なくとも２つのビームの平均値を決定する。
【０１２８】
１１２。端末装置は、各セルの、最大の第１のビーム参照品質値を有する少なくとも２つのビームの平均値に基づいて、各セルの第２のビーム参照品質値を決定する。
【０１２９】
１１３。端末装置は、各セルの第２のビーム参照品質値をネットワーク側装置にＲＲＣ層メッセージを介して送信する。各セルの第２のビーム参照品質値は、各セルのセル測定結果である。
【０１３０】
前述の技術的解決策では、ネットワーク側装置が、トラッキングを通じて端末装置によって取得されたセル測定結果をタイムリーに取得するように、端末装置は、ビームトラッキング結果に基づいてセル測定結果を決定し、測定を通じて取得されたセル測定結果をネットワーク側装置に報告し得る。
【０１３１】
任意選択で、いくつかの実施形態では、プリセット測定イベントが満たされている場合、端末装置は第２のビームトラッキングメッセージをネットワーク側装置に送信し得る。具体的には、端末装置は、ビームベースのセル測定結果に従って、プリセット測定イベントが満たされているかどうかを決定し得る。プリセット測定イベントが満たされている場合、端末装置は第２のビームトラッキングメッセージをネットワーク側装置に送信し得る。端末装置はさらに、プリセット測定イベントを同時に報告し得る。プリセット測定イベントの具体的な内容は、ステップ１０７と同じである。詳細は本明細書に記載される必要はない。
【０１３２】
任意選択で、いくつかの実施形態では、端末装置は、各セルの第２のビーム参照品質値をネットワーク側装置に定期的に送信し得る。送信期間は、プリセットされてもよく、又はネットワーク側装置によって端末装置に示されてもよい。
【０１３３】
前述の実施形態におけるステップ番号（具体的には、１０１から１１３）は、ステップの順序を限定するのではなく、単に実施形態をより良く説明するのを助けることが意図されていることが理解され得る。例えば、ステップ１０４は、ステップ１０３の後、又はステップ１０３の前に実行され得る。ステップ１０５からステップ１０７、ステップ１０８からステップ１１０、及びステップ１１１からステップ１１３は、ステップ１０４の後、又はステップ１０３の後に実行され得る。また、説明を簡潔にするために、図１はステップ１０１からステップ１０３のみを示している。
【０１３４】
図３は、この出願の一実施形態による、別のビームトラッキング方法の概略的なフローチャートである。
【０１３５】
３０１。端末装置は、第１のビームを使用して、ネットワーク側装置にビームトレーニング要求を送信する。
【０１３６】
任意選択で、いくつかの実施形態では、端末装置は、次のようにして第１のビームを決定し得る。端末装置によって、Ｎ個のビームをそれぞれ使用してＮ個の時間−周波数リソース上でネットワーク側装置にランダムアクセスプリアンブルを送信することであって、Ｎ個の時間−周波数リソースのうちのいずれか２つのサブフレーム番号及び／又は周波数リソース番号が異なり、Ｎは２以上の正の整数である、送信することと、端末装置によって、ネットワーク側装置によって送信された少なくとも１つのランダムアクセス応答メッセージを受信することと、端末装置によって、少なくとも１つのランダムアクセス応答メッセージの各々におけるＲＡ−ＲＡＮＴＩの値に基づいて、Ｎ個のビームから第１のビームを決定すること。このようにして、ビームを使用してネットワーク側装置に要求メッセージを送信するように、端末装置は、複数の利用可能なビームから、ネットワーク側装置と通信するために使用され得るビームを選択し得る。
【０１３７】
具体的には、端末装置によって送信されたランダムアクセスプリアンブルを受信した後、ネットワーク側装置は、ランダムアクセスプリアンブルの時間−周波数リソースに基づいて、ランダムアクセス−無線ネットワーク一時識別子（Ｒａｎｄｏｍ  Ａｃｃｅｓｓ−Ｒａｄｉｏ  Ｎｅｔｗｏｒｋ  Ｔｅｍｐｏｒａｒｙ  Ｉｄｅｎｔｉｆｉｅｒ、ＲＡ−ＲＮＴＩ）の値を決定し得る。ＲＡ−ＲＮＴＩの値は次の式を満たす。
ＲＡ−ＲＮＴＩ＝１＋ｔ＿ｉｄ＋１０＊ｆ＿ｉｄ（式１．３）
ここで、ＲＡ−ＲＮＴＩはＲＡ−ＲＮＴＩの値であり、ｔ＿ｉｄはサブフレーム番号であり、ｆ＿ｉｄは周波数リソース番号である。
【０１３８】
ネットワーク側装置によって送信されたランダムアクセス応答メッセージは、決定されたＲＡ−ＲＮＴＩの値に基づいてスクランブルされる。このようにして、端末装置は、ランダムアクセス応答メッセージをデスクランブルすることによって、Ｎ個のビームのうちの１つ又は複数の利用可能なビームがアップリンク情報を送信するために使用され得ることを決定し得る。
【０１３９】
任意選択で、いくつかの実施形態では、端末装置は、ネットワーク側装置によって送信された１つのランダムアクセス応答メッセージのみを受信する。この場合、端末装置は、ＲＡ−ＲＮＴＩの値に基づいてランダムアクセス応答メッセージをデスクランブルし、プリアンブルが送信された場合に使用される時間−周波数リソースを決定する。時間−周波数リソースはビームと１対１に対応するので、端末装置は、時間−周波数リソースに対応するビームが第１のビームであると決定し得る。
【０１４０】
任意選択で、いくつかの他の実施形態では、端末装置は、ネットワーク側装置によって送信された複数のランダムアクセス応答メッセージを受信し得る。この場合、端末装置は、第１の受信されたランダムアクセス応答メッセージ内のＲＡ−ＲＮＴＩの値をデスクランブルし、１つの時間−周波数リソースを決定し、時間−周波数リソースに対応するビームが第１のビームであると決定し得る。代替として、端末装置は、任意の受信されたランダムアクセス応答メッセージ内のＲＡ−ＲＮＴＩの値をデスクランブルし、１つの時間−周波数リソースを決定し、時間−周波数リソースに対応するビームが第１のビームであると決定し得る。
【０１４１】
任意選択で、いくつかの実施形態では、第１のビームは、端末装置によって使用され得る任意のビームであり得る。
【０１４２】
３０２。端末装置は、ネットワーク側装置によって送信されたビームトレーニング応答に基づいて、ネットワーク側装置と通信するために使用される第２のビームを決定し、ビームトレーニング応答はＭ個の物理パイロットリソースを含み、Ｍは１以上の正の整数である。
【０１４３】
前述の技術的解決策では、端末装置は、ネットワーク側装置と通信するために、複数の利用可能なビームから適切なビームを選択し得る。
【０１４４】
任意選択で、いくつかの実施形態では、端末装置は、Ｍ個のビームをそれぞれ使用して、Ｍ個の物理パイロットリソース上でネットワーク側装置に参照信号を送信し得る。端末装置は、ネットワーク側装置によって送信されたフィードバック情報を受信し、フィードバック情報は、Ｍ個のビームのうちの１つ又は複数のインデックスを含む。端末装置は、フィードバック情報に基づいて第２のビームを決定し、第２のビームは１つ又は複数のビームに属する。前述の技術的解決策では、端末装置は、利用可能なビームをトレーニングし、ネットワーク側装置によってフィードバックされた情報に基づいて、ネットワーク側装置と通信するために使用され得るビームを決定し得る。
【０１４５】
参照信号を受信した後、ネットワーク側装置は、受信した参照信号に基づいてＭ個のビームの各々のビーム品質値を決定し得る。ネットワーク側装置は、各ビームの決定されたビーム品質値に基づいてフィードバック情報を決定し、フィードバック情報は、Ｍ個のビームのうちの、最大のビーム品質値を有する１つ又は複数のビームのインデックスを含み得る。代替として、フィードバック情報は、ビーム品質値がプリセット閾値よりも大きい１つ又は複数のビームのインデックスを含み得る。
【０１４６】
任意選択で、いくつかの実施形態では、端末装置は、Ｍ個の物理パイロットリソースに基づいて第１の物理パイロットリソースを決定し、少なくとも１つのビームを使用して第１の物理パイロットリソース上で参照信号をネットワーク側装置に送信してもよく、第１の物理パイロットリソースは、端末装置がネットワーク側装置によって送信された情報を受信した場合に使用される、物理パイロットリソースに対応する物理パイロットリソースである。端末装置は、ネットワーク側装置によって送信されたフィードバック情報を受信し、フィードバック情報は、少なくとも１つのビームのうちの１つ又は複数のインデックスを含む。端末装置は、フィードバック情報に基づいて第２のビームを決定し、第２のビームは１つ又は複数のビームに属する。フィードバック情報は、専用の物理層リソース上で端末装置に送信されてもよく、ＭＡＣ層メッセージ又はＲＲＣ層メッセージを介して端末装置に送信されてもよい。これは、この出願のこの実施形態において限定されない。ビーム品質値は、ＲＳＲＰ、ＲＳＲＱなどでもよく、又は式１．１を使用してフィルタリングを通じて取得されたビーム品質値でもよい。これは、この出願のこの実施形態において限定されない。
【０１４７】
任意選択で、いくつかの実施形態では、端末装置の利用可能な送信ビームの量は物理パイロットリソースの量Ｍより少なくてもよい。この場合、端末装置がＭ個のビームをそれぞれ使用してＭ個の物理パイロットリソース上で参照信号をネットワーク側装置に送信する前に、端末装置は複数の利用可能なビームからＭ個のビームをさらに選択し得る。端末装置は、Ｍ個のビームをランダムに選択してもよく、又は受信したランダムアクセス応答メッセージ内のＲＡ−ＲＮＴＩの値に基づいて決定されたＭ個のビームを選択してもよい。前述の技術的解決策では、トレーニングのために使用されるビームの量が、ネットワーク側装置によって端末装置に割り当てられ、ビームトレーニングを実行するために使用される物理パイロットリソースの量に等しくなるように、端末装置は、トレーニングのために使用されるビームの適切な量を選択し得る。
【０１４８】
ネットワーク側装置によって構成されたパイロットリソースは、定期的に構成されてもよく、又は個別に構成されてもよい。パイロットリソースは、復調用参照信号（Ｄｅｍｏｄｕｌａｔｉｏｎ  Ｒｅｆｅｒｅｎｃｅ  Ｓｉｇｎａｌ、ＤＭＲＳ）、サウンディング用参照信号（Ｓｏｕｎｄｉｎｇ  Ｒｅｆｅｒｅｎｃｅ  Ｓｉｇｎａｌ、ＳＲＳ）などを含む。ネットワーク側装置によって構成されたパイロットリソースは第１の識別子を含み、第１の識別子は、パイロットリソースがビームトレーニングを実行するために使用されるパイロットリソースであることを示すために使用される。
【０１４９】
任意選択で、いくつかの実施形態では、端末装置が、ネットワーク側装置によって送信されたビームトレーニング応答に基づいて、ネットワーク側装置と通信するために使用される第２のビームを決定する前に、端末装置は、端末装置の利用可能な送信ビームの量をネットワーク側装置に示し得る。端末装置の利用可能な送信ビームの量は、ビームトレーニング要求において搬送され得る。ネットワーク側装置は、利用可能な送信ビームの量に基づいて物理パイロットリソースの量Ｍを決定し得る。物理パイロットリソースの量Ｍは、利用可能な送信ビームの量以下であり得る。前述の技術的解決策では、ネットワーク側装置が、利用可能なビームの量に基づいて、端末装置に割り当てられるべき物理パイロットリソースの量を決定するように、端末装置は、利用可能なビームの量をネットワーク側装置に送信し得る。
【０１５０】
この出願の実施形態は端末装置をさらに提供する。端末装置は、処理ユニットと送信ユニットとを含む。
【０１５１】
処理ユニットは、Ｎ個の第１のビーム参照品質値を決定するように構成され、Ｎ個の第１のビーム参照品質値はそれぞれ、Ｎ個のビームに対応し、Ｎは１以上の正の整数である。
【０１５２】
処理ユニットは、Ｎ個の第１のビーム参照品質値及び、Ｎ個のビームの各々が属するセルに基づいて、Ｎ個のビームからＭ個のビームを選択するようにさらに構成され、Ｍは１以上かつＮ以下の正の整数であり、Ｍ個のビームは、端末装置によってキャンプオンされるセルに属する。
【０１５３】
送信ユニットは、選択されたＭ個のビームを、端末装置にサービスを提供するネットワーク側装置に示すように構成される。
【０１５４】
任意選択で、いくつかの実装形態では、送信ユニットは、第１のビームトラッキングメッセージをネットワーク側装置に送信するように特に構成される。第１のビームトラッキングメッセージはＭ個のビームのインデックスを含む。第１のビームトラッキングメッセージはメディアアクセス制御ＭＡＣ層メッセージである。
【０１５５】
任意選択で、いくつかの実装形態では、送信ユニットは、ネットワーク側装置に第１のターゲットビームのインデックスに対応する時間−周波数リソース及び／又は符号リソース上でランダムアクセスプリアンブルを送信するようにさらに構成される。第１のターゲットビームは、Ｍ個のビームのうちの、最大の第１のビーム参照品質値を有するビームである。
【０１５６】
任意選択で、いくつかの実装形態では、処理ユニットは、Ｎ個の第２のビーム参照品質値を決定するようにさらに構成される。Ｎ個の第２のビーム参照品質値のうちのｎ番目の第２のビーム参照品質値は、Ｎ個の第１のビーム参照品質値のうちのｎ番目の第１のビーム参照品質値に基づいて決定され、ｎ＝１、．．．、又はＮである。処理ユニットは、Ｎ個の第２のビーム参照品質値に基づいて、第２のビームトラッキングメッセージを決定するようにさらに構成される。送信ユニットは、第２のビームトラッキングメッセージをネットワーク側装置に送信するようにさらに構成される。第２のビームトラッキングメッセージは無線リソース制御ＲＲＣ層メッセージである。
【０１５７】
任意選択で、いくつかの実装形態では、処理ユニットは、Ｎ個の第２のビーム参照品質値、Ｎ個のビームの各々が属するセル、第１のプリセット閾値、及び第２のプリセット閾値に基づいて、第２のビームトラッキングメッセージを決定するように特に構成される。第１のプリセット閾値は、第２のプリセット閾値よりも大きい。第２のビームトラッキングメッセージは候補ビームのインデックス及び／又は利用可能なビームのインデックスを含む。候補ビームの第２のビーム参照品質値は第１のプリセット閾値以上である。利用可能なビームの第２のビーム参照品質値は第１のプリセット閾値未満かつ第２のプリセット閾値以上である。
【０１５８】
任意選択で、いくつかの実装形態では、処理ユニットは、Ｎ個の第２のビーム参照品質値、Ｎ個のビームの各々が属するセル、及び第３のプリセット閾値に基づいて、第２のビームトラッキングメッセージを決定するように特に構成される。第２のビームトラッキングメッセージは、Ｎ個のビームのうちの、第３のプリセット閾値以上である第２のビーム参照品質値を有するビームのインデックスを含む。
【０１５９】
任意選択で、いくつかの実装形態では、処理ユニットは、Ｎ個の第２のビーム参照品質値、及びＮ個のビームの各々が属するセルに基づいて、Ｎ個のビームが属するセルのうちの少なくとも１つのセルの各々の、少なくとも２つの参照ビームを決定することであって、各セルの少なくとも２つの参照ビームが、各セルの、最大の第２のビーム参照品質値を有する少なくとも２つのビームである、ことと、第２のビームトラッキングメッセージを決定することであって、第２のビームトラッキングメッセージが、各セルの決定された少なくとも２つの参照ビームのインデックスを含む、こととを行うように特に構成される。
【０１６０】
任意選択で、いくつかの実装形態では、処理ユニットは、Ｎ個の第２のビーム参照品質値、及びＮ個のビームの各々が属するセルに基づいてセル測定結果を決定することと、第２のビームトラッキングメッセージを決定することとを行うように特に構成される。セル測定結果は、Ｎ個のビームが属するセルのうちの少なくとも１つのセルの各々の最大の第２のビーム参照品質値であり、第２のビームトラッキングメッセージはセル測定結果を含む。
【０１６１】
任意選択で、いくつかの実装形態では、処理ユニットは、Ｎ個の第２のビーム参照品質値、及びＮ個のビームの各々が属するセルに基づいて、Ｎ個のビームが属するセルのうちの少なくとも１つのセルの各々の、少なくとも２つの参照ビームを決定することであって、各セルの少なくとも２つの参照ビームは、各セルの、最大の第２のビーム参照品質値を有する少なくとも２つのビームである、ことと、セル測定結果を決定することであって、セル測定結果が、各セルの少なくとも２つの参照ビームの第２のビーム参照品質値の平均値を含む、ことと、第２のビームトラッキングメッセージを決定することであって、第２のビームトラッキングメッセージがセル測定結果を含む、こととを行うように特に構成される。
【０１６２】
任意選択で、いくつかの実装形態では、処理ユニットは、Ｎ個の第１のビーム参照品質値、及びＮ個のビームの各々が属するセルに基づいて、Ｎ個のビームが属するセルのうちの少なくとも１つのセルの各々の、最大の第１のビーム参照品質値を決定するようにさらに構成される。処理ユニットは、各セルの最大の第１のビーム参照品質値に基づいて、各セルの第２のビーム参照品質値を決定するようにさらに構成される。送信ユニットは、各セルの第２のビーム参照品質値をセル測定結果として使用することと、第２のビーム参照品質値をネットワーク側装置にＲＲＣ層メッセージを介して送信することとを行うようにさらに構成される。
【０１６３】
任意選択で、いくつかの実装形態では、処理ユニットは、Ｎ個の第１のビーム参照品質値、及びＮ個のビームの各々が属するセルに基づいて、Ｎ個のビームが属するセルのうちの少なくとも１つのセルの各々の、少なくとも２つの最大の第１のビーム参照品質値の平均値を決定するようにさらに構成される。処理ユニットは、各セルの少なくとも２つの最大の第１のビーム参照品質値の平均値に基づいて、各セルの第２のビーム参照品質を決定するようにさらに構成される。送信ユニットは、各セルの第２のビーム参照品質をセル測定結果として使用し、第２のビーム参照品質をネットワーク側装置にＲＲＣ層メッセージを介して送信するようにさらに構成される。
【０１６４】
任意選択で、いくつかの実装形態では、処理ユニットは、セル測定結果に基づいて、プリセット測定イベントが満たされているかどうかを決定するようにさらに構成される。
【０１６５】
任意選択で、いくつかの実装形態では、端末装置は、ネットワーク側装置によって示されたＭの値を受信するように構成された受信ユニットをさらに含む。
【０１６６】
任意選択で、いくつかの実施形態では、処理ユニットはプロセッサによって実装されてもよく、送信ユニットは送信機又は送受信機によって実装されてもよく、受信ユニットは受信機又は送受信機によって実装されてもよい。
【０１６７】
この出願の実施形態は、ネットワーク側装置の構造ブロック図をさらに提供する。ネットワーク側装置は、受信ユニットと、処理ユニットと、送信ユニットとを含む。
【０１６８】
受信ユニットは、端末装置によって示されたＭ個のビームを取得するように構成され、Ｍ個のビームは、端末装置によってキャンプオンされるセルに属し、Ｍは１以上の正の整数である。
【０１６９】
処理ユニットは、Ｍ個のビームからビームを選択するように構成される。
【０１７０】
送信ユニットは、選択されたビームを使用して端末装置にダウンリンクメッセージを送信するように構成される。
【０１７１】
任意選択で、いくつかの実装形態では、受信ユニットは、端末装置によって送信された第１のビームトラッキングメッセージを受信するように特に構成される。第１のビームトラッキングメッセージはＭ個のビームのインデックスを含む。第１のビームトラッキングメッセージはＭＡＣ層メッセージである。
【０１７２】
任意選択で、いくつかの実装形態では、受信ユニットは、端末装置によって送信されたランダムアクセスプリアンブルを受信するようにさらに構成される。処理ユニットは、ランダムアクセスプリアンブルの時間−周波数リソース及び／又は符号リソースに基づいて、第１のターゲットビームを決定するようにさらに構成され、第１のターゲットビームは、Ｍ個のビームのうちの、最大の第１のビーム参照品質値を有するビームである。
【０１７３】
任意選択で、いくつかの実装形態では、受信ユニットは、端末装置によって送信された第２のビームトラッキングメッセージを受信するようにさらに構成される。第２のビームトラッキングメッセージはＲＲＣ層メッセージである。第２のビームトラッキングメッセージは候補ビームのインデックス及び／又は利用可能なビームのインデックスを含む。候補ビームの第２のビーム参照品質値は、第１のプリセット閾値以上である。利用可能なビームの第２のビーム参照品質値は、第１のプリセット閾値未満かつ第２のプリセット閾値以上である。第１のプリセット閾値は、第２のプリセット閾値よりも大きい。
【０１７４】
任意選択で、いくつかの実装形態では、受信ユニットは、端末装置によって送信された第２のビームトラッキングメッセージを受信するようにさらに構成される。第２のビームトラッキングメッセージはＲＲＣ層メッセージである。第２のビームトラッキングメッセージは少なくとも１つのビームのインデックスを含む。少なくとも１つのビームの第２のビーム参照品質値は、第３のプリセット閾値以上である。
【０１７５】
任意選択で、いくつかの実装形態では、受信ユニットは、端末装置によって送信された第２のビームトラッキングメッセージを受信するようにさらに構成される。第２のビームトラッキングメッセージはＲＲＣ層メッセージである。第２のビームトラッキングメッセージは、少なくとも１つのセルの各々に属する少なくとも２つの参照ビームのインデックスを含む。各セルの少なくとも２つの参照ビームは、各セルの、最大の第２のビーム参照品質値を有する少なくとも２つのビームである。
【０１７６】
任意選択で、いくつかの実装形態では、受信ユニットは、端末装置によって送信された第２のビームトラッキングメッセージを受信するようにさらに構成される。第２のビームトラッキングメッセージはＲＲＣ層メッセージである。第２のビームトラッキングメッセージはセル測定結果を含む。セル測定結果は、少なくとも１つのセルの各々の最大の第２のビーム参照品質値である。
【０１７７】
任意選択で、いくつかの実装形態では、受信ユニットは、端末装置によって送信された第２のビームトラッキングメッセージを受信するようにさらに構成される。第２のビームトラッキングメッセージはＲＲＣ層メッセージである。第２のビームトラッキングメッセージはセル測定結果を含む。セル測定結果は、少なくとも１つのセルの各々の少なくとも２つの参照ビームの第２のビーム参照品質値の平均値を含む。各セルの少なくとも２つの参照ビームは、各セルの、最大の第２のビーム参照品質値を有する少なくとも２つのビームである。
【０１７８】
任意選択で、いくつかの実装形態では、受信ユニットは、端末装置によって送信された少なくとも１つのセルの各々のセル測定結果を受信するようにさらに構成される。各セルのセル測定結果は、各セルの第２のビーム参照品質値を含む。
【０１７９】
任意選択で、いくつかの実装形態では、受信ユニットは、端末装置によって送信された第２のビームトラッキングメッセージを受信するようにさらに構成される。第２のビームトラッキングメッセージはＲＲＣ層メッセージである。第２のビームトラッキングメッセージはセル測定結果を含む。セル測定結果は、少なくとも１つのセルの各々の第２のビーム参照品質を含む。各セルの第２のビーム参照品質は、各セルの少なくとも２つの第１のビーム参照品質値の平均値に基づいて決定される。
【０１８０】
任意選択で、いくつかの実装形態では、送信ユニットは、Ｍの値を端末装置に送信するようにさらに構成される。
【０１８１】
任意選択で、いくつかの実施形態では、処理ユニットはプロセッサによって実装されてもよく、送信ユニットは送信機又は送受信機によって実装されてもよく、受信ユニットは受信機又は送受信機によって実装されてもよい。
【０１８２】
この出願の実施形態は、端末装置をさらに提供する。端末装置は、送信ユニットと、受信ユニットと、処理ユニットとを含む。
【０１８３】
送信ユニットは、第１のビームを使用して、ネットワーク側装置にビームトレーニング要求を送信するように構成される。
【０１８４】
受信ユニットは、ネットワーク側装置によって送信されたビームトレーニング応答を受信するように構成される。
【０１８５】
処理ユニットは、ビームトレーニング応答に基づいて、ネットワーク側装置と通信するために使用される第２のビームを決定するように構成され、ビームトレーニング応答はＭ個の物理パイロットリソースを含み、Ｍは１以上の正の整数である。
【０１８６】
任意選択で、いくつかの実装形態では、送信ユニットは、Ｎ個のビームをそれぞれ使用してＮ個の時間−周波数リソース上でネットワーク側装置にランダムアクセスプリアンブルを送信するようにさらに構成され、Ｎ個の時間−周波数リソースのうちのいずれか２つのサブフレーム番号及び／又は周波数リソース番号が異なり、Ｎは２以上の正の整数である。受信ユニットは、ネットワーク側装置によって送信された少なくとも１つのランダムアクセス応答メッセージを受信するようにさらに構成される。処理ユニットは、少なくとも１つのランダムアクセス応答メッセージの各々におけるＲＡ−ＲＮＴＩの値に基づいて、Ｎ個のビームから第１のビームを決定するようにさらに構成される。
【０１８７】
任意選択で、いくつかの実装形態では、送信ユニットは、Ｍ個のビームをそれぞれ使用して、Ｍ個の物理パイロットリソース上でネットワーク側装置に参照信号を送信するようにさらに構成される。受信ユニットは、ネットワーク側装置によって送信されたフィードバック情報を受信するようにさらに構成され、フィードバック情報は、Ｍ個のビームのうちの１つ又は複数のインデックスを含む。処理ユニットは、フィードバック情報に基づいて第２のビームを決定するように特に構成され、第２のビームは１つ又は複数のビームに属する。
【０１８８】
任意選択で、いくつかの実装形態では、処理ユニットは、複数の利用可能なビームからＭ個のビームを選択するようにさらに構成される。
【０１８９】
任意選択で、いくつかの実装形態では、送信ユニットは、端末装置の利用可能な送信ビームの量をネットワーク側装置に示すようにさらに構成される。
【０１９０】
任意選択で、いくつかの実施形態では、処理ユニットはプロセッサによって実装されてもよく、送信ユニットは送信機又は送受信機によって実装されてもよく、受信ユニットは受信機又は送受信機によって実装されてもよい。
【０１９１】
この出願の実施形態は、ネットワーク側装置をさらに提供する。ネットワーク側装置は、受信ユニットと、処理ユニットと、送信ユニットとを含む。
【０１９２】
受信ユニットは、端末装置によって送信されたビームトレーニング要求を受信するように構成される。
【０１９３】
処理ユニットはビームトレーニング応答を決定するように構成され、ビームトレーニング応答はＭ個の物理パイロットリソースを含み、Ｍは１以上の正の整数である。
【０１９４】
送信ユニットは、ビームトレーニング応答を端末装置に送信するように構成される。
【０１９５】
任意選択で、いくつかの実装形態では、受信ユニットは、端末装置によって送信されたＮ個のランダムアクセスプリアンブルを受信するようにさらに構成され、Ｎは１以上の正の整数である。処理ユニットは、Ｎ個のランダムアクセスプリアンブルの各々の時間−周波数リソースに基づいて、Ｎ個のＲＡ−ＲＡＮＴの値を決定するようにさらに構成される。送信ユニットは、Ｎ個のランダムアクセス応答を端末装置に送信するようにさらに構成され、Ｎ個のランダムアクセス応答はそれぞれ、Ｎ個のＲＡ−ＲＮＴＩの値に基づいてスクランブルされる。
【０１９６】
任意選択で、いくつかの実装形態では、受信ユニットは、Ｍ個のビームをそれぞれ使用して、Ｍ個の物理パイロットリソース上で端末装置によって送信された参照信号を受信するようにさらに構成される。処理ユニットは、受信した参照信号に基づいて、Ｍ個のビームの各々のビーム品質値を決定するようにさらに構成される。処理ユニットは、各ビームのビーム品質値に基づいてフィードバック情報を決定するようにさらに構成され、フィードバック情報は、Ｍ個のビームのうちの１つ又は複数のインデックスを含む。
【０１９７】
任意選択で、いくつかの実装形態では、処理ユニットは、各ビームのビーム品質値に基づいて、フィードバック情報が最大のビーム品質値を有する１つ又は複数のビームのインデックスを含むと決定するか、又は各ビームのビーム品質値に基づいて、フィードバック情報が、ビーム品質値がプリセット閾値よりも大きい１つ又は複数のビームのインデックスを含むと決定するように特に構成される。
【０１９８】
任意選択で、いくつかの実装形態では、受信ユニットは、端末装置によって送信される利用可能な送信ビームの量を受信するようにさらに構成される。送信ユニットは、利用可能な送信ビームの量に基づいて物理パイロットリソースの量Ｍを決定するようにさらに構成され、Ｍは利用可能な送信ビームの量以下である。
【０１９９】
任意選択で、いくつかの実施形態では、処理ユニットはプロセッサによって実装されてもよく、送信ユニットは送信機又は送受信機によって実装されてもよく、受信ユニットは受信機又は送受信機によって実装されてもよい。
【０２００】
図４は、この出願の実施形態による端末装置の構造ブロック図である。図４に示されるように、端末装置４００は、プロセッサ４０１、メモリ４０２、送信機４０３、受信機４０４、及びアンテナ４０５を含む。
【０２０１】
図示されていないが、端末装置４００は、入力装置、出力装置、又はバッテリーなどの別の装置をさらに含み得ることが理解され得る。
【０２０２】
プロセッサ４０１は、１つ又は複数のソフトウェアプログラムを動作させる機能を含み得る。ソフトウェアプログラムは、メモリ４０２に格納され得る。メモリ４０２に格納されたプロセッサ４０２及びソフトウェア命令は、通常、端末装置４００によって実行されるアクションとして構成され得る。例えば、プロセッサ４０２は、接続プログラムを動作することができる。メモリ４０２は、読出し専用メモリ、フラッシュメモリ、或いは、ハードディスク、フロッピーディスクドライブ、又は磁気テープのような磁気ストレージ装置であり得る。メモリ４０２は、１つ又は複数のソフトウェアプログラム、命令、情報ブロック、データなどを格納し得る。
【０２０３】
任意選択で、いくつかの実施形態では、メモリ４０２は、図１に示される方法で端末装置によって実行される方法を実行するために使用される命令を格納し得る。プロセッサ４０１は、他のハードウェア（送信機４０３、受信機４０４、及びアンテナ４０５など）と組み合わせて、図１に示される方法で端末装置によって実行されるステップを実行するために、メモリ４０２に格納された命令を実行し得る。具体的な作業プロセス及び有利な効果については、図１に示される実施形態における端末装置の説明を参照されたい。
【０２０４】
任意選択で、いくつかの他の実施形態では、メモリ４０２は、図３に示される方法で端末装置によって実行される方法を実行するために使用される命令を格納し得る。プロセッサ４０１は、他のハードウェア（送信機４０３、受信機４０４、及びアンテナ４０５など）と組み合わせて、図３に示される方法で端末装置によって実行されるステップを実行するために、メモリ４０２に格納された命令を実行し得る。具体的な作業プロセス及び有利な効果については、図３に示される実施形態における端末装置の説明を参照されたい。
【０２０５】
図５は、この出願の実施形態によるネットワーク側装置の構造ブロック図である。図５に示されるネットワーク側装置５００は、プロセッサ５０１、メモリ５０２、及び送受信機５０３を含む。
【０２０６】
この出願の実施形態において開示された方法は、プロセッサ５０１に適用されてもよく、又はプロセッサ５０１によって実装される。プロセッサ５０１は、信号処理能力を有する集積回路チップであり得る。実装中、前述の方法のステップは、プロセッサ５０１におけるハードウェアの集積論理回路、又はソフトウェアの形式の命令を使用して実行され得る。プロセッサ５０１は、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）若しくは別のプログラマブル論理装置、ディスクリートゲート若しくはトランジスタ論理装置、又はディスクリートハードウェア構成要素であってもよく、この出願の実施形態において開示されている方法、ステップ、及び論理ブロック図を実装又は実行し得る。汎用プロセッサはマイクロプロセッサであり得る。代替として、プロセッサは任意の従来のプロセッサなどであり得る。この出願の実施形態において開示された方法のステップは、ハードウェア復号プロセッサによって実行及び完了されるものとして、又は、復号プロセッサ内のハードウェアとソフトウェアモジュールとの組合せを使用して実行及び完了されるものとして直接具体化され得る。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、読出し専用メモリ（Ｒｅａｄ−Ｏｎｌｙ  Ｍｅｍｏｒｙ、ＲＯＭ）、プログラム可能読出し専用メモリ、電気的消去可能プログラマブルメモリ、又はレジスタなどの、当技術分野の成熟したストレージ媒体に配置され得る。ストレージ媒体はメモリ５０２内に配置される。プロセッサ５０１はメモリ５０２内の命令を読み出し、プロセッサ５０１内のハードウェアと組み合わせて前述の方法におけるステップを実行する。
【０２０７】
任意選択で、いくつかの実施形態では、メモリ５０２は、図１に示される方法でネットワーク側装置によって実行される方法を実行するために使用される命令を格納し得る。プロセッサ５０１は、他のハードウェア（送受信機５０３及びアンテナ５０４など）と組み合わせて、図１に示される方法でネットワーク側によって実行されるステップを実行するために、メモリ４０２に格納されている命令を実行し得る。具体的な作業プロセス及び有利な効果については、図１に示される実施形態におけるネットワーク側装置の説明を参照されたい。
【０２０８】
任意選択で、いくつかの他の実施形態では、メモリ５０２は、図３に示される方法でネットワーク側装置によって実行される方法を実行するために使用される命令を格納し得る。プロセッサ５０１は、他のハードウェア（送受信機５０３など）と組み合わせて、図３に示される方法でネットワーク側装置によって実行されるステップを実行するために、メモリ５０２に格納されている命令を実行し得る。具体的な作業プロセス及び有利な効果については、図３に示される実施形態におけるネットワーク側装置の説明を参照されたい。
【０２０９】
当業者は、本明細書に開示されている実施形態に記載されている例と組み合わせて、ユニット及びアルゴリズムステップが、電子ハードウェア、又はコンピュータソフトウェアと電子ハードウェアとの組合せによって実装され得ることを認識し得る。機能がハードウェア又はソフトウェアのどちらで実行されるかは、技術的解決策の特定の用途及び設計制約条件によって異なる。当業者は、特定の用途ごとに記載された機能を実装するために異なる方法を使用し得るが、その実装形態がこの出願の範囲を超えることは考慮されるべきではない。
【０２１０】
説明の便宜上、及び簡潔にするために、前述のシステム、装置、及びユニットの詳細な作業プロセスについては、前述の方法の実施形態における対応するプロセスが参照されてよいことが、当業者によって明確に理解され得る。詳細は、本明細書では再度説明されない。
【０２１１】
この出願において提供されるいくつかの実施形態において、開示されたシステム、装置、及び方法は他の方法で実装され得ることが理解されるべきである。例えば、記載された装置の実施形態は単なる例である。例えば、ユニット分割は単なる論理的機能分割であり、実際の実装形態においては他の分割でもよい。例えば、複数のユニット又は構成要素が組み合わせられてもよく、別のシステムに統合されてもよく、又は、いくつかの機能が無視されてもよく、又は実行されなくてもよい。さらに、図示若しくは説明された相互結合、又は直接結合、又は通信接続は、いくつかのインターフェースを使用して実装され得る。装置間又はユニット間の間接結合又は通信接続は、電気的、機械的、又は他の形態で実装され得る。
【０２１２】
別々の部分として記載されたユニットは、物理的に分離されてもされなくてもよく、ユニットとして示された部分は物理的ユニットであってもなくてもよく、一箇所に配置されてもよく、又は複数のネットワークユニットに分散されてもよい。実施形態の解決策の目的を達成するために、実際の要件に従ってユニットのうちの一部又は全部が選択され得る。
【０２１３】
また、この出願の実施形態における機能ユニットは、１つの処理ユニットに統合されてもよく、又はユニットの各々が物理的に単独で存在してもよく、又は２つ以上のユニットが１つのユニットに統合されてもよい。
【０２１４】
機能がソフトウェア機能ユニットの形式で実装され、独立した製品として販売又は使用される場合、その機能はコンピュータ可読ストレージ媒体に格納され得る。そのような理解に基づいて、本質的にこの出願の技術的解決策、又は先行技術に寄与する部分、又は技術的解決策の全部若しくは一部が、ソフトウェア製品の形式で実装され得る。コンピュータソフトウェア製品は、ストレージ媒体に格納され、コンピュータ装置（パーソナルコンピュータ、サーバ、ネットワーク装置などであり得る）又はプロセッサ（ｐｒｏｃｅｓｓｏｒ）に、この出願の実施形態に記載された方法のステップのうちの全部又は一部を実行するように命令するためのいくつかの命令を含む。前述のストレージ媒体は、ＵＳＢフラッシュドライブ、リムーバブルハードディスク、読出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又は光ディスクなどの、プログラムコードを格納することができる任意の媒体を含む。
【０２１５】
前述の説明は、単にこの出願の特定の実施形態であり、この出願の保護範囲を限定することが意図されるものではない。この出願に開示された技術的範囲内で当業者によって容易に考え出されるいかなる変形又は置換も、この出願の保護範囲内に入るものとする。従って、この出願の保護範囲は特許請求の範囲の保護範囲に従うものとする。
【図１】
2019525643.tif 000003
【図２】
2019525643.tif 000004
【図３】
2019525643.tif 000005
【図４】
2019525643.tif 000006
【図５】
2019525643.tif 000007
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
ビームトラッキング方法であって、
端末装置によって、Ｎ個の第１のビーム参照品質値を決定するステップであって、前記Ｎ個の第１のビーム参照品質値がそれぞれ、Ｎ個のビームに対応し、Ｎが１以上の正の整数である、ステップと、
前記端末装置によって、前記Ｎ個の第１のビーム参照品質値、及び前記Ｎ個のビームの各々が属するセルに基づいて、前記Ｎ個のビームからＰ個のビームを選択するステップであって、Ｐが１以上かつＮ以下の正の整数であり、前記Ｐ個のビームが、前記端末装置によってキャンプオンされるセル又は前記端末装置のサービングセルに属する、ステップと、
前記端末装置によって、前記選択されたＰ個のビームを、前記端末装置にサービスを提供するネットワーク側装置に示すステップと
を含む方法。
【請求項２】
前記端末装置によって、前記Ｎ個の第１のビーム参照品質値、及び前記Ｎ個のビームの各々が属する前記セルに基づいて、前記Ｎ個のビームが属するセルのうちの少なくとも１つのセルの各々の、少なくとも２つの最大の第１のビーム参照品質値の平均値を決定するステップと、
前記端末装置によって、各セルの前記少なくとも２つの最大の第１のビーム参照品質値の前記平均値に基づいて、各セルの第２のビーム参照品質値を決定するステップと、
前記端末装置によって、各セルの前記第２のビーム参照品質値をセル測定結果として使用し、前記第２のビーム参照品質値を前記ネットワーク側装置に無線リソース制御（ＲＲＣ）層メッセージを介して送信するステップとをさらに含む
請求項１に記載の方法。
【請求項３】
前記端末装置によって、各セルの前記少なくとも２つの最大の第１のビーム参照品質値の前記平均値に基づいて、各セルの前記第２のビーム参照品質値を決定する前記ステップは、
前記端末装置によって、前記少なくとも２つの最大の第１のビーム参照品質値の前記平均値に基づくフィルタリングによって前記第２のビーム参照品質値を決定するステップを含む
請求項２に記載の方法。
【請求項４】
前記端末装置によって、前記Ｎ個の第１のビーム参照品質値、及び前記Ｎ個のビームの各々が属する前記セルに基づいて、前記Ｎ個のビームが属するセルのうちの少なくとも１つのセルの各々の、最大の第１のビーム参照品質値を決定するステップと、
前記端末装置によって、各セルの前記最大の第１のビーム参照品質値に基づいて、各セルの第２のビーム参照品質値を決定するステップと、
前記端末装置によって、各セルの前記第２のビーム参照品質値をセル測定結果として使用し、前記第２のビーム参照品質値を前記ネットワーク側装置にＲＲＣ層メッセージを介して送信するステップとをさらに含む
請求項１に記載の方法。
【請求項５】
前記端末装置によって、前記選択されたＰ個のビームを、前記端末装置にサービスを提供するネットワーク側装置に示す前記ステップは、
前記端末装置によって、ＲＲＣ層メッセージを前記ネットワーク側装置に送信するステップであって、前記ＲＲＣ層メッセージは、前記Ｐ個のビームのインデックスを含む、ステップを含む
請求項１乃至４のいずれか１項に記載の方法。
【請求項６】
前記ＲＲＣ層メッセージは、前記ビームの第２のビーム参照品質値をさらに含み、前記ビームの各々の第２のビーム参照品質値はそれぞれ、前記Ｐ個のビームの各々の前記第１のビーム参照品質値に基づくフィルタリングによって決定される
請求項５に記載の方法。
【請求項７】
前記端末装置によって、以下の式に従って、前記ビームの各々の前記第２のビーム参照品質値を決定するステップをさらに含み、
Ｑt＝（１−ａ）・Ｑt-1＋ａ・ｑt
ここで、Ｑtは、前記端末装置によって得られる、フィルタリングされた第２のビーム参照品質値であり、ｑtは、第１のビーム参照品質値であり、Ｑt-1は、過去の第２のビーム参照品質値であり、そして、ａは、フィルタリング係数である
請求項６に記載の方法。
【請求項８】
前記端末装置によって、前記セル測定結果に基づいて、プリセット測定イベントが満たされているかどうかを決定するステップをさらに含む
請求項２乃至４のいずれか１項に記載の方法。
【請求項９】
前記方法は、
前記端末装置によって、前記ネットワーク側装置からＭの値を受信するようにさらに構成され、Ｍは、１以上かつＮ以下の正の整数であり、Ｐは、Ｍ以下である
請求項１乃至８のいずれか一項に記載の方法。
【請求項１０】
ビームトラッキング方法であって、
ネットワーク側装置によって、端末装置によって示されたＰ個のビームを取得するステップであって、前記Ｐ個のビームが、前記端末装置によってキャンプオンされるセル又は前記端末装置のサービングセルに属し、Ｐが１以上の正の整数である、ステップと、
前記ネットワーク側装置によって、前記端末装置との通信のための前記Ｐ個のビームからビームを選択するステップと
を含む方法。
【請求項１１】
前記方法は、
前記ネットワーク側装置によって、Ｍの値を送信するステップをさらに含み、Ｍは、１以上かつＮ以下の正の整数であり、Ｐは、Ｍ以下である
請求項１０に記載の方法。
【請求項１２】
前記ネットワーク側装置によって、前記端末装置によって送信された少なくとも１つのセルの各々のセル測定結果を受信するステップであって、各セルの前記セル測定結果が各セルの第２のビーム参照品質値であり、各セルの前記第２のビーム参照品質値が各セルの少なくとも２つの最大の第１のビーム参照品質値の平均値に基づいて決定される、ステップをさらに含む
請求項１０又は１１に記載の方法。
【請求項１３】
前記ネットワーク側装置によって、前記端末装置によって送信された少なくとも１つのセルの各々のセル測定結果を受信するステップであって、各セルの前記セル測定結果が各セルの第２のビーム参照品質値を具備し、各セルの前記第２のビーム参照品質値が各セルの最大の第１のビーム参照品質値に基づいて決定される、ステップをさらに含む
請求項１０又は１１に記載の方法。
【請求項１４】
前記ネットワーク側装置によって、端末装置によって示されたＰ個のビームを取得する前記ステップは、
前記ネットワーク側装置によって、前記ネットワーク側装置への無線リソース制御（ＲＲＣ）層メッセージを受信するステップを含み、前記ＲＲＣ層メッセージは、前記Ｐ個のビームのインデックスを含む
請求項１１乃至１３のいずれか１項に記載の方法。
【請求項１５】
前記ＲＲＣ層メッセージは、前記ビームの第２のビーム品質値をさらに含み、前記ビームの各々の第２のビーム品質値はそれぞれ、前記Ｐ個のビームの各々の第１のビーム参照品質値に基づくフィルタリングによって決定される
請求項１４に記載の方法。
【請求項１６】
端末装置であって、
Ｎ個の第１のビーム参照品質値を決定することであって、前記Ｎ個の第１のビーム参照品質値がそれぞれ、Ｎ個のビームに対応し、Ｎが１以上の正の整数である、ことを行うように構成された、処理ユニットであって、前記Ｎ個の第１のビーム参照品質値、及び前記Ｎ個のビームの各々が属するセルに基づいて、前記Ｎ個のビームからＰ個のビームを選択することであって、Ｐが１以上かつＮ以下の正の整数であり、前記Ｐ個のビームが、前記端末装置によってキャンプオンされるセル又は前記端末装置のサービングセルに属する、ことを行うようにさらに構成される、処理ユニットと、
前記選択されたＰ個のビームを、前記端末装置にサービスを提供するネットワーク側装置に示すことを行うように構成された、送信ユニットと
を含む端末装置。
【請求項１７】
前記処理ユニットは、前記Ｎ個の第１のビーム参照品質値、及び前記Ｎ個のビームの各々が属する前記セルに基づいて、前記Ｎ個のビームが属するセルのうちの少なくとも１つのセルの各々の、少なくとも２つの最大の第１のビーム参照品質値の平均値を決定することを行うようにさらに構成され、
前記処理ユニットは、各セルの前記少なくとも２つの最大の第１のビーム参照品質値の前記平均値に基づいて、各セルの第２のビーム参照品質値を決定することを行うようにさらに構成され、
前記送信ユニットは、各セルの前記第２のビーム参照品質値をセル測定結果として使用し、前記第２のビーム参照品質値を前記ネットワーク側装置に無線リソース制御（ＲＲＣ）層メッセージを介して送信することを行うようにさらに構成される
請求項１６に記載の端末装置。
【請求項１８】
前記端末装置によって、各セルの前記少なくとも２つの最大の第１のビーム参照品質値の前記平均値に基づいて、各セルの前記第２のビーム参照品質値を決定することは、
前記端末装置によって、前記少なくとも２つの最大の第１のビーム参照品質値の前記平均値に基づくフィルタリングによって前記第２のビーム参照品質値を決定することを含む
請求項１７に記載の端末装置。
【請求項１９】
前記処理ユニットは、前記Ｎ個の第１のビーム参照品質値、及び前記Ｎ個のビームの各々が属する前記セルに基づいて、前記Ｎ個のビームが属するセルのうちの少なくとも１つのセルの各々の、最大の第１のビーム参照品質値を決定することを行うようにさらに構成され、
前記処理ユニットは、各セルの前記最大の第１のビーム参照品質値に基づいて、各セルの第２のビーム参照品質値を決定することを行うようにさらに構成され、
前記送信ユニットは、各セルの前記第２のビーム参照品質値をセル測定結果として使用し、前記第２のビーム参照品質値を前記ネットワーク側装置にＲＲＣ層メッセージを介して送信することを行うようにさらに構成される
請求項１６に記載の端末装置。
【請求項２０】
前記送信ユニットは、ＲＲＣ層メッセージを前記ネットワーク側装置に送信することを行い、前記ＲＲＣ層メッセージは、前記Ｐ個のビームのインデックスを含む
請求項１６乃至１９のいずれか１項に記載の端末装置。
【請求項２１】
前記ＲＲＣ層メッセージは、前記ビームの第２のビーム参照品質値をさらに含み、前記ビームの各々の第２のビーム参照品質値はそれぞれ、前記Ｐ個のビームの各々の前記第１のビーム参照品質値に基づくフィルタリングによって決定される
請求項２０に記載の端末装置。
【請求項２２】
前記処理ユニットは、以下の式に従って、前記ビームの各々の前記第２のビーム参照品質値を決定するようにさらに構成され、
Ｑt＝（１−ａ）・Ｑt-1＋ａ・ｑt
ここで、Ｑtは、前記端末装置によって取得される、フィルタリングされた第２のビーム参照品質値であり、ｑtは、第１のビーム参照品質値であり、Ｑt-1は、過去の第２のビーム参照品質値であり、そして、ａは、フィルタリング係数である
請求項２１に記載の端末装置。
【請求項２３】
前記処理ユニットは、前記セル測定結果に基づいて、プリセット測定イベントが満たされているかどうかを決定することを行うようにさらに構成される
請求項１７乃至１９のいずれか１項に記載の端末装置。
【請求項２４】
前記端末装置は、
前記ネットワーク側装置から、Ｍの値を受信するように構成された受信ユニットをさらに含む、Ｍは、１以上かつＮ以下の正の整数であり、Ｐは、Ｍ以下である
請求項１６乃至２１のいずれか１項に記載の端末装置。
【請求項２５】
ネットワーク側装置であって、
端末装置によって示されたＰ個のビームを取得することであって、前記Ｐ個のビームが、前記端末装置のサービングセルに属し、Ｐが１以上の正の整数である、ことを行うように構成された、受信ユニットと、
前記端末装置との通信のための前記Ｐ個のビームからビームを選択することを行うように構成された、処理ユニットと
を含むネットワーク側装置。
【請求項２６】
前記ネットワーク側装置は、Ｍの値を送信するように構成された送信ユニットをさらに含み、Ｍは、１以上かつＮ以下の整数であり、ＰはＭ以下である
請求項２５に記載のネットワーク側装置。
【請求項２７】
前記ネットワーク側装置は、前記端末装置によって送信される少なくとも１つのセルの各々のセル測定結果を受信するように構成された受信ユニットをさらに含み、各セルの前記セル測定結果は、各セルの第２のビーム参照品質値であり、各セルの前記第２のビーム参照品質値は、各セルの少なくとも２つの最大の第１のビーム参照品質値の平均値に基づいて決定される
請求項２５又は２６に記載のネットワーク側装置。
【請求項２８】
前記ネットワーク側装置は、前記端末装置によって送信される少なくとも１つのセルの各々のセル測定結果を受信するように構成された受信ユニットをさらに含み、各セルの前記セル測定結果は、各セルの第２のビーム参照品質値を含み、各セルの前記第２のビーム参照品質値は、各セルの最大の第１のビーム参照品質値に基づいて決定される
請求項２５又は２６に記載のネットワーク側装置。
【請求項２９】
前記ネットワーク側装置によって、端末装置によって示されたＰ個のビームを取得することは、
前記ネットワーク側装置によって、前記ネットワーク側装置への無線リソース制御（ＲＲＣ）層メッセージを受信することを含み、前記ＲＲＣ層メッセージは、前記Ｐ個のビームのインデックスを含む
請求項２５乃至２８のいずれか１項に記載のネットワーク側装置。
【請求項３０】
前記ＲＲＣ層メッセージは、前記ビームの第２のビーム参照品質値をさらに含み、前記ビームの各々の第２のビーム参照品質値はそれぞれ、前記Ｐ個のビームの各々の第１のビーム参照品質値に基づくフィルタリングによって決定される
請求項２９に記載のネットワーク側装置。
【請求項３１】
少なくとも１つのメモリに接続された少なくとも１つのプロセッサを含む装置であって、前記少なくとも１つのプロセッサは、前記少なくとも１つのメモリに格納された、請求項１乃至９のいずれか１項に記載の前記方法を端末装置に実施させる命令を実行するように構成された、装置。
【請求項３２】
少なくとも１つのメモリに接続された少なくとも１つのプロセッサを含む装置であって、前記少なくとも１つのプロセッサは、前記少なくとも１つのメモリに格納された、請求項１０乃至１５のいずれか１項に記載の前記方法を端末装置に実施させる命令を実行するように構成された、装置。
【請求項３３】
そのうえにプログラムを保持するコンピュータ読み取り可能な記録媒体であって、前記プログラムは、請求項１乃至１５のいずれか１項に記載の前記方法を実行するための命令を含む、記録媒体。
【請求項３４】
通信システムであって、ネットワーク側装置と、端末装置とを含み、
前記端末装置は、請求項１乃至９のいずれか１項に記載の前記方法を実施するように構成され、
前記ネットワーク側装置は、請求項１０乃至１５のいずれか１項に記載の前記方法を実施するように構成されている、通信システム。
【請求項３５】
端末装置であって、少なくとも１つのプロセッサと、少なくとも１つのメモリとを含み、
前記少なくとも１つのプロセッサは、前記少なくとも１つのメモリに格納された、請求項１乃至９のいずれか１項に記載の前記方法を前記端末装置に実行させる命令を実行するように構成された、端末装置。
【請求項３６】
ネットワーク側装置であって、少なくとも１つのプロセッサと、少なくとも１つのメモリとを含み、
前記少なくとも１つのプロセッサは、前記少なくとも１つのメモリに格納された、請求項１０乃至１５のいずれか１項に記載の前記方法を前記端末装置に実行させる命令を実行するように構成された、ネットワーク側装置。
【手続補正２】
【補正対象書類名】明細書
【補正対象項目名】全文
【補正方法】変更
【補正の内容】
【発明の詳細な説明】
【技術分野】
【０００１】
この出願の実施形態は、ワイヤレス通信技術の分野に関し、より詳細には、ビームトラッキング方法、端末装置、及びネットワーク側装置に関する。
【０００２】
この出願は、２０１６年８月１０日に中国特許庁に出願された、「ＢＥＡＭ  ＴＲＡＣＫＩＮＧ  ＭＥＴＨＯＤ，  ＴＥＲＭＩＮＡＬ  ＤＥＶＩＣＥ，  ＡＮＤ  ＮＥＴＷＯＲＫ−ＳＩＤＥ  ＤＥＶＩＣＥ」という名称の、中国特許出願第２０１６１０６５１９７０．７号の優先権を主張するものであり、参照によりその全体が本明細書に組み込まれる。
【背景技術】
【０００３】
ワイヤレス通信技術が発展するにつれて、スペクトルリソースのうちの低周波帯域が次第に飽和している。低周波帯域において連続した利用可能スペクトルの大きいセグメントを見いだすのは困難である。従って、通信システムでは、より高周波の帯域が使用されている。パスロスが周波数及び距離に正比例することは、ワイヤレス空間パスロスの式に従って知ることができる。通信装置によって使用される周波数が上がると、同一距離ではパスロスが増加する。加えて、送信機及び受信機が変わらないままでいることを前提として、無線リンク全体によって耐えられることができる最大パスロスの値は固定である。従って、通信装置によって使用される周波数が上がると、通信装置間の実効通信距離は減少することになる。この原理によれば、高周波スペクトルの使用は、セルのカバレッジの減少を引き起こす。カバレッジエリアの要件が同一であるとき、セルのカバレッジが減少すると、カバレッジを完全なものにするためにより多くの基地局装置が要求されることになり、それにより、ネットワーク配備コストが増加する。加えて、セルのカバレッジの減少は、また、頻繁なセル間ハンドオーバを引き起こし、それにより、ユーザエクスペリエンスを低下させる。
【０００４】
高周波セルのカバレッジが減少するという問題は、望ましくは、ビームフォーミング（ｂｅａｍｆｏｒｍｉｎｇ）技術を使用して解消されることができる。ビームフォーミングは、マルチアンテナ送信／受信技術である。複数のアンテナ上で信号を組み合わせることにより狭幅ビームが形成されて、送信／受信利得を取得する。従って、セルのカバレッジが効果的に拡大されることができる。
【０００５】
現在、ビームフォーミング技術は、データチャネルのみに使用されている。端末装置は、ネットワーク側装置との通信を、従来の様式で（例えば広幅ビームを使用することによって）確立する。通信が確立された後、ビームフォーミング技術を使用して端末装置とネットワーク側装置との間でデータが送信され得る。高周波セルでは、（制御チャネル、ランダムアクセスチャネルなどを含む）すべてのチャネル上での送信が、ビームを使用して実施される必要がある。解消される必要がある重要な問題は、チャネルが変わり、端末装置が移動したときに、どのようにビームを位置整合された状態に保つか、すなわち、ビームをトラッキングするか、ということである。
【発明の概要】
【０００６】
この出願の実施形態は、すべてのチャネルの情報をビームフォーミング技術を使用して送信するための、ビームトラッキング方法、端末装置、及びネットワーク側装置を提供する。
【０００７】
第１の態様によれば、この出願の実施形態は、ビームトラッキング方法を提供する。方法は、端末装置によって、Ｎ個の第１のビーム参照品質値を決定することであって、Ｎ個の第１のビーム参照品質値がそれぞれ、Ｎ個のビームに対応し、Ｎが１以上の正の整数である、決定することと、端末装置によって、Ｎ個の第１のビーム参照品質値、及びＮ個のビームの各々が属するセルに基づいて、Ｎ個のビームからＭ個のビームを選択することであって、Ｍが１以上かつＮ以下の正の整数であり、Ｍ個のビームが、その端末装置によってキャンプオンされるセル又はその端末装置のサービングセルに属する、選択することと、端末装置によって、選択されたＭ個のビームを、その端末装置にサービスを提供するネットワーク側装置に示すこととを含む。前述の技術的解決策では、端末装置は、検出されることができるビームをトラッキングしてもよく、キャンプオンされるセル又はサービングセルのトラッキングされたビームをネットワーク側装置に報告してもよく、従って、ネットワーク側装置は、報告されたビームから端末装置との通信に使用されるビームとして適切なビームを選択することができる。
【０００８】
第１の態様を参照して、第１の態様の第１の可能な実装形態では、端末装置によって、選択されたＭ個のビームをネットワーク側装置に示すことは、端末装置によって、第１のビームトラッキングメッセージをネットワーク側装置に送信することであって、第１のビームトラッキングメッセージがＭ個のビームのインデックスを含み、第１のビームトラッキングメッセージがメディアアクセス制御（ＭＡＣ）層メッセージである、送信することを含む。このようにして、端末装置は、選択されたＭ個のビームをネットワーク側装置に、ＭＡＣ層メッセージを使用して直接示し得る。
【０００９】
第１の態様又は第１の態様の前述の可能な実装形態を参照して、第１の態様の第２の可能な実装形態では、方法は、端末装置によって、ネットワーク側装置に第１のターゲットビームのインデックスに対応する時間−周波数リソース及び／又は符号リソース上でランダムアクセスプリアンブルを送信することであって、第１のターゲットビームが、Ｍ個のビームのうちの、最大の第１のビーム参照品質値を有するビームである、送信することをさらに含む。このようにして、端末装置は、最大の第１のビーム品質値を有するビームをネットワーク側装置に、別途シグナリングを使用する必要なく、ランダムアクセスプリアンブルの時間−周波数リソース及び／又は符号リソースを使用して、暗黙的に示し得る。このようにして、シグナリングオーバーヘッドが低減されることができる。
【００１０】
第１の態様又は第１の態様の前述の可能な実装形態のいずれか１つを参照して、第１の態様の第３の可能な実装形態では、方法は、端末装置によって、Ｎ個の第２のビーム参照品質値を決定することであって、Ｎ個の第２のビーム参照品質値のうちのｎ番目の第２のビーム参照品質値が、Ｎ個の第１のビーム参照品質値のうちのｎ番目の第１のビーム参照品質値に基づいて決定され、ｎ＝１、・・・、又はＮである、決定することと、端末装置によって、Ｎ個の第２のビーム参照品質値に基づいて、第２のビームトラッキングメッセージを決定することと、端末装置によって、第２のビームトラッキングメッセージをネットワーク側装置に送信することであって、第２のビームトラッキングメッセージが無線リソース制御（ＲＲＣ）層メッセージである、送信することとをさらに含む。前述の技術的解決策では、端末装置は、各ビームの複数の第１のビーム参照品質値に基づいて、各ビームの第２のビーム参照品質値を決定し得る。このようにして、端末装置によってトラッキングされるビームの参照品質値は、時間期間内の蓄積後に取得される測定結果である。加えて、第２のビームトラッキングメッセージは、Ｎ個のビームが属するセルのうちの少なくとも１つのセルのビームのインデックスを含み得る。このようにして、ネットワーク側装置は、キャンプオンされるセルのビーム品質値及び端末装置の近隣セルのビーム品質値を取得し得る。この場合、ネットワーク側装置は、端末装置によってキャンプオンされるセル又は端末装置のサービングセルのセル状態を決定できるだけでなく、端末装置によって検出されることができる近隣セルのセル状態を決定することもできる。
【００１１】
第１の態様の第３の可能な実装形態を参照して、第１の態様の第４の可能な実装形態では、端末装置によって、Ｎ個の第２のビーム参照品質値に基づいて、第２のビームトラッキングメッセージを決定することは、端末装置によって、Ｎ個の第２のビーム参照品質値、Ｎ個のビームの各々が属するセル、第１のプリセット閾値、及び第２のプリセット閾値に基づいて、第２のビームトラッキングメッセージを決定することであって、第１のプリセット閾値が第２のプリセット閾値よりも大きく、第２のビームトラッキングメッセージが、候補ビームのインデックス及び／又は利用可能ビームのインデックスを含み、候補ビームの第２のビーム参照品質値が第１のプリセット閾値以上であり、利用可能ビームの第２のビーム参照品質値が第１のプリセット閾値未満かつ第２のプリセット閾値以上である、決定することを含む。前述の技術的解決策では、端末装置は、候補ビーム及び／又は利用可能ビームをネットワーク側装置に直接報告し、従って、ネットワーク側装置は、受信された候補ビーム及び／又は利用可能ビームから、端末装置との通信に適切なビームを選択し得る。
【００１２】
第１の態様の第４の可能な実装形態を参照して、第１の態様の第５の可能な実装形態では、第２のビームトラッキングメッセージは、候補ビームの第２のビーム参照品質値及び／又は利用可能ビームの第２のビーム参照品質値をさらに含む。
【００１３】
第１の態様の第３の可能な実装形態を参照して、第１の態様の第６の可能な実装形態では、端末装置によって、Ｎ個の第２のビーム参照品質値に基づいて、第２のビームトラッキングメッセージを決定することは、端末装置によって、Ｎ個の第２のビーム参照品質値、Ｎ個のビームの各々が属するセル、及び第３のプリセット閾値に基づいて、第２のビームトラッキングメッセージを決定することであって、第２のビームトラッキングメッセージがＰ個のビームのインデックスを含み、Ｐ個のビームの各々の第２のビーム参照品質値が第３のプリセット閾値以上であり、Ｐが１以上Ｍ以下の正の整数である、決定することを含む。前述の技術的解決策では、端末装置は、プリセット条件（具体的に言えば、第３のプリセット閾値以上であること）を満たすビームのインデックスをネットワーク側装置に直接報告してもよく、従って、ネットワーク側装置は、プリセット条件を満たすビームから、端末装置との通信に適切なビームを直接選択し得る。
【００１４】
第１の態様の第６の可能な実装形態を参照して、第１の態様の第７の可能な実装形態では、第２のビームトラッキングメッセージは、Ｎ個のビームの、第３のプリセット閾値よりも大きい第２のビーム参照品質値をさらに含む。
【００１５】
第１の態様の第３の可能な実装形態を参照して、第１の態様の第８の可能な実装形態では、端末装置によって、Ｎ個の第２のビーム参照品質値に基づいて、第２のビームトラッキングメッセージを決定することは、端末装置によって、Ｎ個の第２のビーム参照品質値、及びＮ個のビームの各々が属するセルに基づいて、Ｎ個のビームが属するセルのうちの少なくとも１つのセルの各々の、少なくとも２つの参照ビームを決定することであって、各セルの少なくとも２つの参照ビームが、各セルの、最大の第２のビーム参照品質値を有する少なくとも２つのビームである、決定することと、端末装置によって、第２のビームトラッキングメッセージを決定することであって、第２のビームトラッキングメッセージが、各セルの決定された少なくとも２つの参照ビームのインデックスを含む、決定することとを含む。前述の技術的解決策では、端末装置は、最大の第２のビーム参照品質値を有する複数のビームをネットワーク側装置に直接報告してもよく、従って、ネットワーク側装置は、最大の第２のビーム品質値を有する複数のビームから、端末装置との通信に使用され得るビームを選択し得る。
【００１６】
第１の態様の第８の可能な実装形態を参照して、第１の態様の第９の可能な実装形態では、第２のビームトラッキングメッセージは、各セルの少なくとも２つの参照ビームの第２のビーム参照品質値をさらに含む。
【００１７】
第１の態様の第３の可能な実装形態を参照して、第１の態様の第１０の可能な実装形態では、端末装置によって、Ｎ個の第２のビーム参照品質値に基づいて、第２のビームトラッキングメッセージを決定することは、端末装置によって、Ｎ個の第２のビーム参照品質値、及びＮ個のビームの各々が属するセルに基づいて、セル測定結果を決定することであって、セル測定結果が、Ｎ個のビームが属するセルのうちの少なくとも１つのセルの各々の、最大の第２のビーム参照品質値である、決定することと、端末装置によって、第２のビームトラッキングメッセージを決定することであって、第２のビームトラッキングメッセージがセル測定結果を含む、決定することとを含む。前述の技術的解決策では、端末装置は、ビームトラッキング結果に基づいてセル測定結果を決定してもよく、測定を通じて取得されたセル測定結果をネットワーク側装置に報告してもよく、従って、ネットワーク側装置は、端末装置によってトラッキングを通じて取得されたセル測定結果を適時に取得する。
【００１８】
第１の態様の第３の可能な実装形態を参照して、第１の態様の第１１の可能な実装形態では、Ｎ個の第２のビーム参照品質値に基づいて、第２のビームトラッキングメッセージを決定することは、端末装置によって、Ｎ個の第２のビーム参照品質値、及びＮ個のビームの各々が属するセルに基づいて、Ｎ個のビームが属するセルのうちの少なくとも１つのセルの各々の、少なくとも２つの参照ビームを決定することであって、各セルの少なくとも２つの参照ビームが、各セルの、最大の第２のビーム参照品質値を有する少なくとも２つのビームである、決定することと、端末装置によって、セル測定結果を決定することであって、セル測定結果が、各セルの少なくとも２つの参照ビームの第２のビーム参照品質値の平均値を含む、決定することと、端末装置によって、第２のビームトラッキングメッセージを決定することであって、第２のビームトラッキングメッセージがセル測定結果を含む、決定することとを含む。前述の技術的解決策では、端末装置は、ビームトラッキング結果に基づいてセル測定結果を決定してもよく、測定を通じて取得されたセル測定結果をネットワーク側装置に報告してもよく、従って、ネットワーク側装置は、端末装置によってトラッキングを通じて取得されたセル測定結果を適時に取得する。
【００１９】
第１の態様、第１の態様の第１の可能な実装形態、又は第１の態様の第２の可能な実装形態を参照して、第１の態様の第１２の可能な実装形態では、方法は、端末装置によって、Ｎ個の第１のビーム参照品質値、及びＮ個のビームの各々が属するセルに基づいて、Ｎ個のビームが属するセルのうちの少なくとも１つのセルの各々の、最大の第１のビーム参照品質値を決定することと、端末装置によって、各セルの最大の第１のビーム参照品質値に基づいて、各セルの第２のビーム参照品質値を決定することと、端末装置によって、各セルの第２のビーム参照品質値をセル測定結果として使用し、第２のビーム参照品質値をネットワーク側装置にＲＲＣ層メッセージを介して送信することとをさらに含む。前述の技術的解決策では、端末装置は、ビームトラッキング結果に基づいてセル測定結果を決定してもよく、測定を通じて取得されたセル測定結果をネットワーク側装置に報告してもよく、従って、ネットワーク側装置は、端末装置によってトラッキングを通じて取得されたセル測定結果を適時に取得する。
【００２０】
第１の態様、第１の態様の第１の可能な実装形態、又は第１の態様の第２の可能な実装形態を参照して、第１の態様の第１３の可能な実装形態では、方法は、端末装置によって、Ｎ個の第１のビーム参照品質値、及びＮ個のビームの各々が属するセルに基づいて、Ｎ個のビームが属するセルのうちの少なくとも１つのセルの各々の、少なくとも２つの最大の第１のビーム参照品質値の平均値を決定することと、端末装置によって、各セルの少なくとも２つの最大の第１のビーム参照品質値の平均値に基づいて、各セルの第２のビーム参照品質を決定することと、端末装置によって、各セルの第２のビーム参照品質をセル測定結果として使用し、第２のビーム参照品質をネットワーク側装置にＲＲＣ層メッセージを介して送信することとをさらに含む。前述の技術的解決策では、端末装置は、ビームトラッキング結果に基づいてセル測定結果を決定してもよく、測定を通じて取得されたセル測定結果をネットワーク側装置に報告してもよく、従って、ネットワーク側装置は、端末装置によってトラッキングを通じて取得されたセル測定結果を適時に取得する。
【００２１】
第１の態様の第１０の可能な実装形態から第１の態様の第１３の可能な実装形態のいずれか１つを参照して、第１の態様の第１４の可能な実装形態では、方法は、端末装置によって、セル測定結果に基づいて、プリセット測定イベントが満たされているかどうかを決定することをさらに含む。前述の技術的解決策では、端末装置は、ビームトラッキング結果に基づいて、プリセット測定イベントが満たされているかどうかを決定し、決定結果に基づいて、報告される内容を選択し得る。
【００２２】
第１の態様又は第１の態様の前述の可能な実装形態のいずれか１つを参照して、第１の態様の第１５の可能な実装形態では、Ｍの値は、ネットワーク側装置によって端末装置に示される。
【００２３】
第２の態様によれば、この出願の実施形態は、ビームトラッキング方法を提供する。方法は、ネットワーク側装置によって、端末装置によって示されたＭ個のビームを取得することであって、Ｍ個のビームが、その端末装置によってキャンプオンされるセル又はその端末装置のサービングセルに属し、Ｍが１以上の正の整数である、取得することと、ネットワーク側装置によって、Ｍ個のビームからビームを選択することと、ネットワーク側装置によって、選択されたビームを使用して端末装置にダウンリンクメッセージを送信することとを含む。前述の技術的解決策では、ネットワーク側装置は、端末装置によってトラッキングされ、かつその端末装置によってキャンプオンされるセル又はその端末装置のサービングセルに属する、ビームを取得し得る。
【００２４】
第２の態様を参照して、第２の態様の第１の可能な実装形態では、ネットワーク側装置によって、端末装置によって示されたＭ個のビームを取得することは、ネットワーク側装置によって、端末装置によって送信された第１のビームトラッキングメッセージを受信することであって、第１のビームトラッキングメッセージがＭ個のビームのインデックスを含み、第１のビームトラッキングメッセージがＭＡＣ層メッセージである、受信することを含む。前述の技術的解決策では、ネットワーク側装置は、端末装置によって示されたＭ個のビームを直接取得し得る。
【００２５】
第２の態様、又は第２の態様の第１の可能な実装形態を参照して、第２の態様の第２の可能な実装形態では、方法は、ネットワーク側装置によって、端末装置によって送信されたランダムアクセスプリアンブルを受信することと、ネットワーク側装置によって、ランダムアクセスプリアンブルの時間−周波数リソース及び／又は符号リソースに基づいて、第１のターゲットビームを決定することであって、第１のターゲットビームが、Ｍ個のビームのうちの、最大の第１のビーム参照品質値を有するビームである、決定することとをさらに含む。前述の技術的解決策では、ネットワーク側装置は、第１のターゲットビームを、端末装置の暗黙的な指示に基づいて決定し得る。ネットワーク側装置は、第１のターゲットビームを、別途シグナリングを受信する必要なく決定し得る。このようにして、シグナリングオーバーヘッドが低減されることができる。
【００２６】
第２の態様又は第２の態様の前述の可能な実装形態のいずれか１つを参照して、第２の態様の第３の可能な実装形態では、方法は、ネットワーク側装置によって、端末装置によって送信された第２のビームトラッキングメッセージを受信することであって、第２のビームトラッキングメッセージがＲＲＣ層メッセージであり、第２のビームトラッキングメッセージが、候補ビームのインデックス及び／又は利用可能ビームのインデックスを含み、候補ビームの第２のビーム参照品質値が第１のプリセット閾値以上であり、利用可能ビームの第２のビーム参照品質値が第１のプリセット閾値未満かつ第２のプリセット閾値以上であり、第１のプリセット閾値が第２のプリセット閾値よりも大きい、受信することをさらに含む。前述の技術的解決策では、ネットワーク側装置は、端末装置によって送信されたビームトラッキングメッセージに基づいて候補ビーム及び／又は利用可能ビームを直接決定してもよく、プリセット閾値に基づいて候補ビーム及び／又は利用可能ビームを自発的に決定する必要がない。このようにして、ネットワーク側装置のリソースが節約されることができる。
【００２７】
第２の態様の第３の可能な実装形態を参照して、第２の態様の第４の可能な実装形態では、第２のビームトラッキングメッセージは、候補ビームの第２のビーム参照品質値及び／又は利用可能ビームの第２のビーム参照品質値をさらに含む。
【００２８】
第２の態様、第２の態様の第１の可能な実装形態、又は第２の態様の第２の可能な実装形態を参照して、第２の態様の第５の可能な実装形態では、方法は、ネットワーク側装置によって、端末装置によって送信された第２のビームトラッキングメッセージを受信することであって、第２のビームトラッキングメッセージがＲＲＣ層メッセージであり、第２のビームトラッキングメッセージがＰ個のビームのインデックスを含み、Ｐ個のビームの各々の第２のビーム参照品質値が第３のプリセット閾値以上であり、Ｐが１以上Ｍ以下の正の整数である、受信することをさらに含む。前述の技術的解決策では、ネットワーク側装置は、端末装置によって送信されたビームトラッキングメッセージに基づいて、その第２のビーム参照品質値が第３のプリセット閾値以上であるビームを直接決定してもよく、プリセット閾値に基づいて前述の条件を満たすビームを自発的に決定する必要がない。このようにして、ネットワーク側装置のリソースが節約されることができる。
【００２９】
第２の態様の第５の可能な実装形態を参照して、第２の態様の第６の可能な実装形態では、第２のビームトラッキングメッセージは、少なくとも１つのビームの第２のビーム参照品質値をさらに含む。
【００３０】
第２の態様、第２の態様の第１の可能な実装形態、又は第２の態様の第２の可能な実装形態を参照して、第２の態様の第７の可能な実装形態では、方法は、ネットワーク側装置によって、端末装置によって送信された第２のビームトラッキングメッセージを受信することであって、第２のビームトラッキングメッセージがＲＲＣ層メッセージであり、第２のビームトラッキングメッセージが、少なくとも１つのセルの各々に属する少なくとも２つの参照ビームのインデックスを含み、各セルの少なくとも２つの参照ビームが、各セルの、最大の第２のビーム参照品質値を有する少なくとも２つのビームである、受信することをさらに含む。前述の技術的解決策では、ネットワーク側装置は、端末装置によって送信されたビームトラッキングメッセージに基づいて、少なくとも１つのセルの各々の、最大の第２のビーム参照品質を有する複数のビームを直接決定してもよく、少なくとも１つのセルの各々の、最大の第２のビーム参照品質を有する複数のビームを自発的に決定する必要がない。このようにして、ネットワーク側装置のリソースが節約されることができる。
【００３１】
第２の態様の第７の可能な実装形態を参照して、第２の態様の第８の可能な実装形態では、第２のビームトラッキングメッセージは、各セルの少なくとも２つの参照ビームの第２のビーム参照品質値をさらに含む。
【００３２】
第２の態様、第２の態様の第１の可能な実装形態、又は第２の態様の第２の可能な実装形態を参照して、第２の態様の第９の可能な実装形態では、方法は、ネットワーク側装置によって、端末装置によって送信された第２のビームトラッキングメッセージを受信することであって、第２のビームトラッキングメッセージがＲＲＣ層メッセージであり、第２のビームトラッキングメッセージがセル測定結果を含み、セル測定結果が、少なくとも１つのセルの各々の、最大の第２のビーム参照品質値である、受信することをさらに含む。前述の技術的解決策では、ネットワーク側装置は、端末装置によって報告されたセル測定結果を直接取得してもよく、セル測定結果を自発的に決定する必要がない。このようにして、ネットワーク側装置のリソースが節約されることができる。
【００３３】
第２の態様、第２の態様の第１の可能な実装形態、又は第２の態様の第２の可能な実装形態を参照して、第２の態様の第１０の可能な実装形態では、方法は、ネットワーク側装置によって、端末装置によって送信された第２のビームトラッキングメッセージを受信することであって、第２のビームトラッキングメッセージがＲＲＣ層メッセージであり、第２のビームトラッキングメッセージがセル測定結果を含み、セル測定結果が、少なくとも１つのセルの各々の、少なくとも２つの参照ビームの第２のビーム参照品質値の平均値を含み、各セルの少なくとも２つの参照ビームが、各セルの、最大の第２のビーム参照品質値を有する少なくとも２つのビームである、受信することをさらに含む。前述の技術的解決策では、ネットワーク側装置は、端末装置によって報告されたセル測定結果を直接取得してもよく、セル測定結果を自発的に決定する必要がない。このようにして、ネットワーク側装置のリソースが節約されることができる。
【００３４】
第２の態様、第２の態様の第１の可能な実装形態、又は第２の態様の第２の可能な実装形態を参照して、第２の態様の第１１の可能な実装形態では、方法は、ネットワーク側装置によって、端末装置によって送信された少なくとも１つのセルの各々のセル測定結果を受信することであって、各セルのセル測定結果が各セルの第２のビーム参照品質値を含み、各セルの第２のビーム参照品質値が各セルの最大の第１のビーム参照品質値に基づいて決定される、受信することをさらに含む。前述の技術的解決策では、ネットワーク側装置は、端末装置によって報告されたセル測定結果を直接取得してもよく、セル測定結果を自発的に決定する必要がない。このようにして、ネットワーク側装置のリソースが節約されることができる。
【００３５】
第２の態様、第２の態様の第１の可能な実装形態、又は第２の態様の第２の可能な実装形態を参照して、第２の態様の第１２の可能な実装形態では、方法は、ネットワーク側装置によって、端末装置によって送信された少なくとも１つのセルの各々のセル測定結果を受信することであって、各セルのセル測定結果が各セルの第２のビーム参照品質値であり、各セルの第２のビーム参照品質が各セルの少なくとも２つの最大の第１のビーム参照品質値の平均値に基づいて決定される、受信することをさらに含む。
【００３６】
第２の態様又は第２の態様の前述の可能な実装形態のいずれか１つを参照して、第２の態様の第１３の可能な実装形態では、Ｍの値は、ネットワーク側装置によって端末装置に示される。
【００３７】
第３の態様によれば、この出願の実施形態は、ビームトラッキング方法を提供する。方法は、端末装置によって、第１のビームを使用してネットワーク側装置にビームトレーニング要求を送信することと、端末装置によって、ネットワーク側装置によって送信されたビームトレーニング応答に基づいて、ネットワーク側装置との通信に使用される第２のビームを決定することであって、ビームトレーニング応答がＭ個の物理パイロットリソースを含み、Ｍが１以上の正の整数である、決定することとを含む。前述の技術的解決策では、端末装置は、複数の利用可能ビームから、ネットワーク側装置との通信に適切なビームを選択し得る。
【００３８】
第３の態様を参照して、第３の態様の第１の可能な実装形態では、端末装置によって、第１のビームを使用してネットワーク側装置にビームトレーニング要求を送信することの前に、方法は、端末装置によって、ネットワーク側装置に、Ｎ個のビームをそれぞれ使用してＮ個の時間−周波数リソース上でランダムアクセスプリアンブルを送信することであって、Ｎ個の時間−周波数リソースのいずれか２つのサブフレーム番号及び／又は周波数リソース番号が異なっており、Ｎが２以上の正の整数である、送信することと、端末装置によって、ネットワーク側装置によって送信された少なくとも１つのランダムアクセス応答メッセージを受信することと、端末装置によって、少なくとも１つのランダムアクセス応答メッセージの各々内のＲＡ−ＲＮＴＩの値に基づいて、Ｎ個のビームから第１のビームを決定することとをさらに含む。前述の技術的解決策では、端末装置は、複数の利用可能ビームから、ネットワーク側装置との通信に使用され得るビームを選択し、そのビームを使用してネットワーク側装置に要求メッセージを送信し得る。
【００３９】
第３の態様又は第３の態様の第１の可能な実装形態を参照して、第３の態様の第２の可能な実装形態では、端末装置によって、ネットワーク側装置によって送信されたビームトレーニング応答に基づいて、ネットワーク側装置との通信に使用される第２のビームを決定することは、端末装置によって、ネットワーク側装置に、Ｍ個のビームをそれぞれ使用してＭ個の物理パイロットリソース上で参照信号を送信することと、端末装置によって、ネットワーク側装置によって送信されたフィードバック情報を受信することであって、フィードバック情報がＭ個のビームのうちの１つ又は複数のビームのインデックスを含む、受信することと、端末装置によって、フィードバック情報に基づいて、第２のビームを決定することであって、第２のビームが、その１つ又は複数のビームに属する、決定することとを含む。前述の技術的解決策では、端末装置は、利用可能ビームをトレーニングし、ネットワーク側装置によってフィードバックされた情報に基づいて、ネットワーク側装置との通信に使用されることができるビームを決定し得る。
【００４０】
第３の態様の第３の可能な実装形態を参照して、第３の態様の第４の可能な実装形態では、端末装置によって、ネットワーク側装置に、Ｍ個のビームをそれぞれ使用してＭ個の物理パイロットリソース上で参照信号を送信することの前に、方法は、端末装置によって、複数の利用可能ビームからＭ個のビームを選択することをさらに含む。前述の技術的解決策では、端末装置は、トレーニングに使用されるビームの数が、ネットワーク側装置によって端末装置に割り当てられる物理パイロットリソースの数に等しくなり、それが、ビームトレーニングの実施に使用されるように、トレーニングに使用される適切な数のビームを選択し得る。
【００４１】
第３の態様又は第３の態様の前述の可能な実装形態のいずれか１つを参照して、第３の態様の第５の可能な実装形態では、端末装置によって、ネットワーク側装置によって送信されたビームトレーニング応答に基づいて、ネットワーク側装置との通信に使用される第２のビームを決定することの前に、方法は、端末装置によって、ネットワーク側装置に端末装置の利用可能送信ビームの数を示すことをさらに含む。前述の技術的解決策では、端末装置は、ネットワーク側装置に利用可能ビームの数を送信してもよく、従って、ネットワーク側装置は、その利用可能ビームの数に基づいて、端末装置に割り当てられる必要がある物理パイロットリソースの数を決定する。
【００４２】
第４の態様によれば、この出願の実施形態は、ビームトラッキング方法を提供する。方法は、ネットワーク側装置によって、端末装置によって送信されたビームトレーニング要求を受信することと、ネットワーク側装置によって、端末装置にビームトレーニング応答を送信することであって、ビームトレーニング応答がＭ個の物理パイロットリソースを含み、Ｍが１以上の正の整数である、送信することとを含む。前述の技術的解決策では、ネットワーク側装置は、端末装置にビームトレーニングの実施に使用される物理パイロットリソースを割り当ててもよく、従って、端末装置は、その物理パイロットリソースに基づいて、ネットワーク側装置との通信に適切なビームを選択する。
【００４３】
第４の態様を参照して、第４の態様の第１の可能な実装形態では、ネットワーク側装置によって、端末装置によって送信されたビームトレーニング要求を受信することの前に、方法は、ネットワーク側装置によって、端末装置によって送信されたＮ個のランダムアクセスプリアンブルを受信することであって、Ｎが１以上の正の整数である、受信することと、ネットワーク側装置によって、Ｎ個のランダムアクセスプリアンブルの各々の時間−周波数リソースに基づいて、Ｎ個のＲＡ−ＲＡＮＴの値を決定することと、ネットワーク側装置によって、端末装置にＮ個のランダムアクセス応答を送信することであって、Ｎ個のランダムアクセス応答がそれぞれ、Ｎ個のＲＡ−ＲＮＴＩの値に基づいてスクランブルがかけられている、送信することとをさらに含む。前述の技術的解決策では、ネットワーク側装置は、端末装置に利用可能アップリンクビームをフィードバックし、従って、端末装置は、そのアップリンクビームを使用してネットワーク側装置にビームトレーニング要求を送信する。
【００４４】
第４の態様又は第４の態様の第１の可能な実装形態を参照して、第４の態様の第２の可能な実装形態では、方法は、ネットワーク側装置によって、端末装置によってＭ個のビームをそれぞれ使用してＭ個の物理パイロットリソース上で送信された参照信号を受信することと、ネットワーク側装置によって、受信された参照信号に基づいて、Ｍ個のビームの各々のビーム品質値を決定することと、ネットワーク側装置によって、各ビームのビーム品質値に基づいて、フィードバック情報を決定することであって、フィードバック情報がＭ個のビームのうちの１つ又は複数のビームのインデックスを含む、決定することとをさらに含む。前述の技術的解決策では、ネットワーク側装置は、端末装置に、端末装置によって使用されることがあり、かつネットワーク側装置との通信に使用される、１つ又は複数のビームをフィードバックしてもよく、従って、端末装置は、その１つ又は複数のビームから、ネットワーク側装置との通信に適切なビームを選択する。
【００４５】
第４の態様の第２の可能な実装形態を参照して、第４の態様の第３の可能な実装形態では、ネットワーク側装置によって、各ビームのビーム品質値に基づいて、フィードバック情報を決定することは、ネットワーク側装置によって、各ビームのビーム品質値に基づいて、最大のビーム品質値を有する１つ又は複数のビームのインデックスをフィードバック情報が含むと決定すること、又はネットワーク側装置によって、各ビームのビーム品質値に基づいて、そのビーム品質値がプリセット閾値よりも大きい１つ又は複数のビームのインデックスをフィードバック情報が含むと決定することを含む。前述の技術的解決策では、ネットワーク側装置は、特定の条件を満たすビームを端末装置に直接フィードバックしてもよく、従って、端末装置は、そのフィードバック情報に基づいて利用可能アップリンクビームを直接決定し得る。端末装置は、特定の条件を満たすビームを自発的に決定する必要がない。このようにして、端末装置のリソースが節約されることができる。
【００４６】
第４の態様又は第４の態様の前述の可能な実装形態のいずれか１つを参照して、第４の態様の第４の可能な実装形態では、ネットワーク側装置によって、端末装置にビームトレーニング応答を送信することの前に、方法は、ネットワーク側装置によって、端末装置によって送信された利用可能送信ビームの数を受信することと、ネットワーク側装置によって、利用可能送信ビームの数に基づいて、物理パイロットリソースの量Ｍを決定することであって、Ｍが利用可能送信ビームの数以下である、決定することとをさらに含む。前述の技術的解決策では、ネットワーク側装置は、物理パイロットリソースの数が端末装置の利用可能送信ビームの数と同一になるように、適切な数の物理パイロットリソースを端末装置に割り当てる。
【００４７】
第５の態様によれば、この出願の実施形態は、端末装置を提供する。端末装置は、第１の態様又は第１の態様の可能な実装形態のいずれか１つにおける方法を実装するように構成された、さまざまなユニットを含む。
【００４８】
第６の態様によれば、この出願の実施形態は、ネットワーク側装置を提供する。ネットワーク側装置は、第２の態様又は第２の態様の可能な実装形態のいずれか１つにおける方法を実装するように構成された、さまざまなユニットを含む。
【００４９】
第７の態様によれば、この出願の実施形態は、端末装置を提供する。端末装置は、第３の態様又は第３の態様の可能な実装形態のいずれか１つにおける方法を実装するように構成された、さまざまなユニットを含む。
【００５０】
第８の態様によれば、この出願の実施形態は、ネットワーク側装置を提供する。ネットワーク側装置は、第４の態様又は第４の態様の可能な実装形態のいずれか１つにおける方法を実装するように構成された、さまざまなユニットを含む。
【００５１】
第９の態様によれば、この出願の実施形態は、コンピュータ可読記憶媒体を提供する。コンピュータ可読記憶媒体は、第１の態様又は第１の態様の可能な実装形態のいずれか１つにおける方法を実装するために使用される命令を格納する。
【００５２】
第１０の態様によれば、この出願の実施形態は、端末装置を提供する。端末装置は、メモリ及びプロセッサを含む。メモリは、第９の態様におけるコンピュータ可読記憶媒体を含む。プロセッサは、コンピュータ可読記憶媒体内に格納された命令を実行するように構成される。
【００５３】
第１１の態様によれば、この出願の実施形態は、コンピュータ可読記憶媒体を提供する。コンピュータ可読記憶媒体は、第２の態様又は第２の態様の可能な実装形態のいずれか１つにおける方法を実装するために使用される命令を格納する。
【００５４】
第１２の態様によれば、この出願の実施形態は、端末装置を提供する。端末装置は、メモリ及びプロセッサを含む。メモリは、第１１の態様におけるコンピュータ可読記憶媒体を含む。プロセッサは、コンピュータ可読記憶媒体内に格納された命令を実行するように構成される。
【００５５】
第１３の態様によれば、この出願の実施形態は、コンピュータ可読記憶媒体を提供する。コンピュータ可読記憶媒体は、第３の態様又は第３の態様の可能な実装形態のいずれか１つにおける方法を実装するために使用される命令を格納する。
【００５６】
第１４の態様によれば、この出願の実施形態は、端末装置を提供する。端末装置は、メモリ及びプロセッサを含む。メモリは、第１３の態様におけるコンピュータ可読記憶媒体を含む。プロセッサは、コンピュータ可読記憶媒体内に格納された命令を実行するように構成される。
【００５７】
第１５の態様によれば、この出願の実施形態は、コンピュータ可読記憶媒体を提供する。コンピュータ可読記憶媒体は、第４の態様又は第４の態様の可能な実装形態のいずれか１つにおける方法を実装するために使用される命令を格納する。
【００５８】
第１６の態様によれば、この出願の実施形態は、端末装置を提供する。端末装置は、メモリ及びプロセッサを含む。メモリは、第１５の態様におけるコンピュータ可読記憶媒体を含む。プロセッサは、コンピュータ可読記憶媒体内に格納された命令を実行するように構成される。
【図面の簡単な説明】
【００５９】
【図１】この出願の実施形態によるビームトラッキング方法の概略フローチャートである。
【図２】Ｍ個のビームをＭＡＣ  ＣＥのロード部を使用してフィードバックする様子の概略図である。
【図３】この出願の実施形態による別のビームトラッキング方法の概略フローチャートである。
【図４】この出願の実施形態による端末装置の構造ブロック図である。
【図５】この出願の実施形態によるネットワーク側装置の構造ブロック図である。
【発明を実施するための形態】
【００６０】
以下では、この出願の技術的解決策を、添付の図面を参照して説明する。
【００６１】
この出願の実施形態における技術的解決策は、ビームフォーミング技術をサポートする、ロングタームエボリューション（Ｌｏｎｇ  Ｔｅｒｍ  Ｅｖｏｌｕｔｉｏｎ、ＬＴＥ）システム、ＬＴＥ周波数分割デュプレックス（Ｆｒｅｑｕｅｎｃｙ  Ｄｉｖｉｓｉｏｎ  Ｄｕｐｌｅｘ、ＦＤＤ）システム、ＬＴＥ時間分割デュプレックス（Ｔｉｍｅ  Ｄｉｖｉｓｉｏｎ  Ｄｕｐｌｅｘ、ＴＤＤ）システム、第５世代（５ｔｈ  Ｇｅｎｅｒａｔｉｏｎ、５Ｇ）通信システム、及びニューラジオ（Ｎｅｗ  Ｒａｄｉｏ、ＮＲ）などのさまざまな通信システムに適用され得ることを理解されたい。
【００６２】
ユーザ機器（Ｕｓｅｒ  Ｅｑｕｉｐｍｅｎｔ、ＵＥ）、モバイル端末（Ｍｏｂｉｌｅ  Ｔｅｒｍｉｎａｌ、ＭＴ）、モバイルユーザ機器などと呼ばれることもある端末装置は、無線アクセスネットワーク（例えば、Ｒａｄｉｏ  Ａｃｃｅｓｓ  Ｎｅｔｗｏｒｋ、ＲＡＮ）を使用することによって、１つ又は複数のコアネットワークと通信し得る。ユーザ機器は、モバイル電話（又は「セルラー」フォンと呼ばれる）及びモバイル端末を伴うコンピュータなどのモバイル端末であってもよく、例えば、ポータブルの、ポケットサイズの、ハンドヘルドの、コンピュータ内蔵の、又は車載のモバイル装置であってもよい。
【００６３】
ネットワーク側装置は、ＬＴＥにおけるｅＮＢ若しくはｅＮｏｄｅＢであってもよく、又は５Ｇ若しくはＮＲにおける基地局若しくは送信受信点（Ｔｒａｎｓｍｉｓｓｉｏｎ  Ｒｅｃｅｐｔｉｏｎ  Ｐｏｉｎｔ、ＴＲＰ）であってもよい。これはこの出願では限定されない。
【００６４】
キャンプオンされるセルは、サービングセル又はカレントセルと呼ばれることもある。端末装置は、セルを選択し、そのセル内でシステムメッセージ及びページングメッセージをリスンし得る。端末装置によって選択されたセルは、端末装置によってキャンプオンされるセルである。キャンプオンされる選択されたセルに加えて、端末装置は、別のセルをさらに検出し得る。別のセルは、端末装置の近隣セルと呼ばれることがある。
【００６５】
図１は、この出願の一実施形態による、ビームトラッキング方法の概略的なフローチャートである。
【００６６】
１０１。端末装置は、Ｎ個の第１のビーム参照品質値を決定し、Ｎ個の第１のビーム参照品質値はそれぞれ、Ｎ個のビームに対応し、Ｎは１以上の正の整数である。
【００６７】
端末装置は、セルサーチフェーズにおける動作周波数を決定し得る。端末は動作周波数でのＮ個のビームを検出してもよく、Ｎ個のビームは異なるセルに属してもよい。例えば、Ｎ個のビームは、端末装置によってキャンプオンされるセルに属する１つ又は複数のビームを含み得る。代替として、Ｎ個のビームは、端末装置の隣接セルに属さない１つ又は複数のビームを含み得る。端末装置は少なくとも１つの隣接セルを有してもよく、各隣接セルはビームに対応する。この出願のこの実施形態では、「ビームが属するセル」は、ネットワーク側装置がそのセルにサービスを提供し、その中でビームを使用するセルである。「セルに対応するビーム」は、セルにサービスを提供するネットワーク側装置によってセル内で使用されるビームである。例えば、ネットワーク側装置１はセルＡ内でのビーム１、ビーム２、及びビーム３を使用し、ネットワーク側装置２はセルＢ内でのビーム４、ビーム５、及びビーム６を使用する。従って、ビーム１からビーム３まではセルＡに属し、ビーム４からビーム６まではセルＢに属し、セルＡに対応するビームはビーム１からビーム３であり、セルＢに対応するビームはビーム４からビーム６であると言われうる。１つのネットワーク側装置が１つ又は複数のセルに対してサービスを提供してもよく、又は１つのセルに対してのみサービスを提供してもよいことが理解され得る。これはこの出願において限定されない。
【００６８】
Ｎ個のビームを検出した後、端末装置は、Ｎ個のビームの各々の第１のビーム参照品質値を決定し得る。
【００６９】
任意選択で、いくつかの実施形態では、各ビームの第１のビーム参照品質値は、各ビームによって送信された参照信号を受信するための受信電力に基づいて決定されてもよく、例えば、参照信号受信電力（Ｒｅｆｅｒｅｎｃｅ  Ｓｉｇｎａｌ  Ｒｅｃｅｉｖｅｄ  Ｐｏｗｅｒ、ＲＳＲＰ）であってもよく、又は参照信号受信品質（Ｒｅｆｅｒｅｎｃｅ  Ｓｉｇｎａｌ  Ｒｅｃｅｉｖｅｄ  Ｑｕａｌｉｔｙ、ＲＳＲＱ）であってもよい。従って、第１のビーム参照品質値は、物理層測定を通じて取得されたビーム品質値であることが理解され得る。
【００７０】
任意選択で、いくつかの実施形態では、各ビームの第１のビーム参照品質値は、過去の第１のビーム参照品質値及び各ビームの現在のビーム品質値に基づいてフィルタリングを実行することによって決定され得る。具体的には、第１のビーム参照品質値は、以下の式を使用して決定され得る。
Ｆt＝（１−ａ）・Ｆt-1＋ａ・Ｍt（式１．１）
ここで、Ｆtはｔ番目の測定の間でのビームの第１のビーム参照品質値であり、Ｍtは現在のビーム品質であり、Ｆt-1は（ｔ−１）番目の測定の間でのビームの第１のビーム参照品質値であり、ａはフィルタリング係数である。フィルタリング係数は、プリセットされてもよく、又はネットワーク側装置によって端末装置に示されてもよい。これは、この出願のこの実施形態において限定されない。ａの値は０と１との間の任意の値（０及び１を含む）であってもよく、ａのより小さい値が現在のビーム品質のより低い重みを示すことが理解され得る。例えば、いくつかの実施形態では、ａ＝０．１である。現在のビーム品質値は、物理層測定を通じて取得されたビーム品質値である。例えば、現在のビーム品質値はＲＳＲＰ又はＲＳＲＱであり得る。
【００７１】
任意選択で、フィルタリングは、物理層測定結果に基づいてメディアアクセス制御（Ｍｅｄｉａ  Ａｃｃｅｓｓ  Ｃｏｎｔｒｏｌ、ＭＡＣ）層で実行されてもよく、報告はフィルタリングに基づいて実行される。具体的には、第１のビーム参照品質値は、ＭＡＣ層でフィルタリングが実行された後に取得された結果である。
【００７２】
１０２。端末装置は、Ｎ個の第１のビーム参照品質値、及びＮ個のビームの各々が属するセルに基づいて、Ｎ個のビームからＭ個のビームを選択し、Ｍは１以上かつＮ以下の正の整数であり、Ｍ個のビームは、端末装置によってキャンプオンされるセルに属する。
【００７３】
任意選択で、いくつかの実施形態では、端末装置は、Ｎ個のビームから、キャンプオンされるセルに属する少なくとも１つのビームを決定してもよく、次いで、少なくとも１つのビームから最大の第１のビーム参照品質値を有するＭ個のビームを決定し得る。Ｍの値は、プリセットされてもよく、又はネットワーク側装置によって端末装置に示されてもよい。端末装置によって決定され、キャンプオンされるセルに属するビームの量が、プリセット値又はネットワーク側装置によって示される値よりも小さい場合、Ｍ個のビームはすべて、端末装置によって決定され、キャンプオンされるセルに属するビームであることが理解され得る。
【００７４】
任意選択で、いくつかの実施形態では、端末装置は、Ｎ個のビームから、キャンプオンされるセルに属する少なくとも１つのビームを決定してもよく、次いで、少なくとも１つのビームから、その第１のビーム参照品質値がプリセット閾値よりも大きい１つ又は複数のビームを決定し得る。プリセット閾値は、プリセットされてもよく、又はネットワーク側装置によって端末装置に示されてもよい。
【００７５】
任意選択で、いくつかの実施形態では、端末装置は、Ｎ個のビームから、キャンプオンされるセルに属する少なくとも１つのビームを決定してもよく、次いで、少なくとも１つのビームから、その第１のビーム参照品質値がプリセット閾値よりも大きい１つ又は複数のビームを決定し得る。端末装置は、その第１のビーム参照品質値がプリセット閾値よりも大きい１つ又は複数のビームから、最大の第１のビーム参照品質値を有するＭ個のビームを決定し得る。プリセット閾値は、端末装置においてプリセットされてもよく、又はネットワーク側装置によって端末装置に示されてもよい。Ｍの値は、プリセットされてもよく、又はネットワーク側装置によって端末装置に示されてもよい。端末装置によって決定され、キャンプオンされるセルに属し、第１のビーム参照品質値がプリセット閾値よりも大きいビームの量が、プリセット値又はネットワーク側装置によって示される値よりも小さい場合、Ｍ個のビームはすべて、端末装置によって決定され、キャンプオンされるセルに属し、第１のビーム参照品質値がプリセット閾値よりも大きいビームであることが理解され得る。
【００７６】
１０３。端末装置は、選択されたＭ個のビームを、端末装置にサービスを提供するネットワーク側装置に示す。
【００７７】
端末装置によって検出された各ビームは１つのインデックスに対応する。端末装置は、端末装置によって選択されたＭ個のビームをネットワーク側装置に示すために、決定されたＭ個のビームのインデックスをネットワーク側装置に送信し得る。ネットワーク側装置は、受信したビームのインデックスに基づいて、端末装置によって選択されたビームを決定し得る。端末装置は、Ｍ個のビームのインデックスを明示的又は暗黙的に示し得る。
【００７８】
任意選択で、いくつかの実施形態では、端末装置は、Ｍ個のビームのインデックスを明示的に示し得る。具体的には、端末装置は第１のビームトラッキングメッセージをネットワーク側装置に送信し得る。ビームトラッキングメッセージはＭ個のビームのインデックスを含む。第１のビームトラッキングメッセージは、メディアアクセス制御（Ｍｅｄｉａ  Ａｃｃｅｓｓ  Ｃｏｎｔｒｏｌ、ＭＡＣ）層メッセージである。このようにして、端末装置は、ＭＡＣ層メッセージを使用して、選択されたＭ個のビームをネットワーク側装置に直接示し得る。
【００７９】
具体的には、第１のビームトラッキングメッセージに関して、Ｍ個のビームのインデックスは、ＭＡＣ制御要素（Ｃｏｎｔｒｏｌ  Ｅｌｅｍｅｎｔ、ＣＥ）の負荷部分を使用してネットワーク側装置にフィードバックされ得る。図２は、ＭＡＣ  ＣＥの負荷部分を使用してＭ個のビームをフィードバックする概略図である。図２に示されるように、Ｍは４である。単一のビームインデックスによって占められるビット（ｂｉｔ）の量は、６であり得る。端末装置が、条件を満たすＭが４よりも小さいと判定する場合、別の位置は無効な値で埋められる。報告されるビームの量が１つのＭＡＣ  ＣＥによって搬送されることができるビームの量を超える場合、端末装置は、複数のＭＡＣ  ＣＥを使用してＭ個のビームのインデックスをネットワーク側装置に送信し得ることが理解され得る。
【００８０】
さらに、第１のビームトラッキングメッセージ内にある、ビームのインデックスの順序は、各ビームの第１のビーム参照品質値に基づいて決定され得る。例えば、ＭＡＣ  ＣＥの負荷部分において、Ｍ個のビームのインデックスのうちの第１のビームインデックスは、最大の第１のビーム参照品質値を有するビームのインデックスであり、第２のビームインデックスは、２番目に最大の第１のビーム参照品質値を有するビームのインデックスである、などである。このようにして、ネットワーク側装置は、最大の第１のビーム参照品質値を有するビームが決定され得るように、ビームトラッキングメッセージ内にある、ビームのインデックスの順序に基づいて、ビームの第１のビーム参照品質値の順序を決定し得る。
【００８１】
任意選択で、いくつかの実施形態では、端末装置は、Ｍ個のビームの測定結果をネットワーク側装置にさらに送信し得る。例えば、端末装置は、第１のビームトラッキングメッセージを使用して、Ｍ個のビームの各々の第１のビーム参照品質値をネットワーク側装置に送信し得る。別の例では、端末装置は、代替として、Ｍ個のビームの各々の第１のビーム参照品質値を搬送するために別のメッセージを使用し得る。
【００８２】
任意選択で、いくつかの他の実施形態では、端末装置は、Ｍ個のビームのインデックスを暗黙的に示し得る。例えば、Ｍの値が１である場合、端末装置は、１つのビームをネットワーク側装置に示すように、ネットワーク側装置に１つのビームに対応する時間−周波数リソース及び／又は符号リソース上でランダムアクセスプリアンブルを送信し得る。具体的なプロセスは、ステップ１０４と同様であり得る。１つのビームは、端末装置によって検出され、また、端末装置によってキャンプオンされるセルのものであり、そして、最大の第１のビーム参照品質値を有する、ビームであり得る。このようにして、端末装置は、余分なシグナリングを使用することなしに、ランダムアクセスプリアンブルの時間−周波数リソース及び／又は符号リソースを使用してネットワーク側装置に１つのビームを暗黙的に示し得る。このようにして、シグナリングオーバーヘッドが減らされることができる。
【００８３】
前述の技術的解決策では、端末装置は、ネットワーク側装置が、報告されたビームから端末装置との通信に使用されるビームとして適切なビームを選択できるように、検出されることができるビームをトラッキングし、キャンプオンされるセルのトラッキングされたビームをネットワーク側装置に報告し得る。ネットワーク側装置は、端末装置によって示されたＭ個のビームから１つ又は複数のビームを選択し得る。ネットワーク側装置は、選択された１つ又は複数のビームを使用して端末装置にダウンリンクメッセージを送信し得る。
【００８４】
いくつかの実装形態では、本方法はステップ１０４をさらに含み得る。
【００８５】
１０４。端末装置は、ネットワーク側装置に第１のターゲットビームのインデックスに対応する時間−周波数リソース及び／又は符号リソース上でランダムアクセスプリアンブルを送信し、第１のターゲットビームは、Ｍ個のビームのうちの、最大の第１のビーム参照品質値を有するビームである。ネットワーク側装置は、受信したランダムアクセスプリアンブルの時間−周波数リソース及び／又は符号リソースに基づいて、端末装置によってキャンプオンされるセルに属する、及び最大の第１のビーム参照品質値を有する端末装置によって検出されたビームを決定し得る。このようにして、端末装置は、最大の第１のビーム参照品質値を有するビームをネットワーク側装置に直接示し得る。代替として、ネットワーク側装置は、最大の第１のビーム参照品質値を有するビームを直接決定し得る。また、指示プロセスにおいて余分なシグナリングが使用されないため、チャネルリソースが節約されることができる。
【００８６】
任意選択で、いくつかの実施形態では、各ランダムアクセスプリアンブルの時間−周波数リソースは、１つのビームのインデックスに対応する。端末装置は、第１のターゲットビームのインデックスに基づいて対応する時間−周波数リソースを決定し、その時間−周波数リソース上でランダムアクセスプリアンブルをネットワーク側装置に送信し得る。このようにして、ランダムアクセスプリアンブルを受信した後、ネットワーク側装置は、受信したランダムアクセスプリアンブルの時間−周波数リソースに基づいて、端末装置によってキャンプオンされるセルの最大の第１のビーム参照品質値を有するビームのインデックスを直接決定し得る。
【００８７】
任意選択で、いくつかの実施形態では、各ランダムアクセスプリアンブルの時間−周波数リソースは、１つのビームのグループのインデックスに対応する。異なる符号リソースは、１つの時間−周波数リソース上の異なるビームに対応する。例えば、利用可能なプリアンブルの総数が６４である場合、各ビームは８つのプリアンブルに対応し得る。例えば、周波数ｆ1及びサブフレーム１に対して、プリアンブル１からプリアンブル８はビーム１のインデックスに対応し、周波数ｆ1及びサブフレーム１に対して、プリアンブル９からプリアンブル１６はビーム２のインデックスに対応するなどである。このようにして、端末装置は、第１のターゲットビームのインデックスに基づいて対応する時間−周波数リソース及び符号リソースを決定してもよく、時間−周波数リソース及び符号リソース上でランダムアクセスプリアンブルをネットワーク側装置に送信し得る。ランダムアクセスプリアンブルを受信した後、ネットワーク側装置は、受信したランダムアクセスプリアンブルの時間−周波数リソース及び符号リソースに基づいて、端末装置によってキャンプオンされるセルの最大の第１のビーム参照品質値を有するビームのインデックスを直接決定し得る。
【００８８】
任意選択で、いくつかの実施形態では、ビームのインデックス、時間−周波数リソース、及び符号リソースの間の対応はプリセットされ得る。例えば、各ランダムアクセス時間−周波数リソース上でＫ個の利用可能なプリアンブルがＬ個のグループに分類され、各グループ内でのプリアンブルの量がＫ／Ｌであり、プリアンブルへのビームのインデックスが０からＬ−１であると指定され得る。任意選択で、いくつかの他の実施形態では、グループ量Ｌは、ネットワーク側装置によって端末装置に示されてもよい。例えば、ネットワーク側装置は、システムメッセージ又は無線リソース制御（Ｒａｄｉｏ  Ｒｅｓｏｕｒｃｅ  Ｃｏｎｔｒｏｌ、ＲＲＣ）層メッセージにおいて、グループ量Ｌを端末装置に示し得る。このようにして、異なる量のビーム及び異なる量のプリアンブルへの適合性が保証されることができる。任意選択で、いくつかの他の実施形態では、ネットワーク側装置は、時間−周波数リソースとビームグループとの間の対応をさらに示し得る。例えば、１つのサブフレームにおいて３つの周波数リソースが構成され、各周波数リソースは１つのビームグループに対応する。周波数リソース１はビームグループ１に対応し、周波数リソース２はビームグループ２に対応し、周波数リソース３はビームグループ３に対応し、各ビームグループ内でのプリアンブルはＳ／３ビームに対応し、Ｓはビームの総量である。セル内でのダウンリンクビームの量、及び各ビームとランダムアクセスプリアンブルとの間の対応は、プロトコルによって指定されてもよく、又はシステムブロードキャストメッセージを介して端末装置に示されてもよい。
【００８９】
いくつかの実施形態では、端末装置は、最初に第１のターゲットビームをネットワーク側装置に示し、次いで、Ｍ個のビームをネットワーク側装置に示し得る。いくつかの他の実施形態では、端末装置は、最初にＭ個のビームをネットワーク側装置に示し、次いで、第１のターゲットビームをネットワーク側装置に示し得る。
【００９０】
端末装置によって報告されたＭ個のビームを取得した後、ネットワーク側装置は、Ｍ個のビームに基づいて、端末装置との通信に使用されるビームを選択し得る。例えば、ネットワーク側装置は、端末装置と通信するために、Ｍ個のビームから１つのビームをターゲットビームとして選択し得る。代替として、ネットワーク側装置は、端末装置と通信するために、Ｍ個のビームから複数のビームをターゲットビームとして選択し得る。ネットワーク側装置は、ターゲットビームを使用して、すべてのチャネルの情報を端末装置に送信し得る。代替として、端末装置は、ネットワーク側装置がターゲットビーム上で端末装置に情報を送信するかどうかを検出し得る。ターゲットビームは、プリセットルールに従って決定され得る。例えば、ターゲットビームは、Ｍ個のビームのうちの、最大の第１のビーム品質を有する１つ又は複数のビームであり得る。
【００９１】
物理層におけるビーム品質に基づいて、キャンプオンされるセルに属するビームをトラッキングすることに加えて、端末装置は、ＲＲＣ層におけるビーム品質に基づいて、端末装置によってキャンプオンされるセルのビーム及び／又は端末装置の隣接セルのビームをさらにトラッキングし得る。具体的なトラッキング方法については、ステップ１０５からステップ１０７、又はステップ１０８からステップ１１０、又はステップ１１１からステップ１１３を参照されたい。
【００９２】
１０５。端末装置はＮ個の第２のビーム参照品質値を決定し、Ｎ個の第２のビーム参照品質値のうちのｎ番目の第２のビーム参照品質値は、Ｎ個の第１のビーム参照品質値のうちのｎ番目の第１のビーム参照品質値に基づいて決定され、ｎ＝１、．．．、又はＮである。
【００９３】
任意選択で、いくつかの実施形態では、Ｎ個のビームのうちのｎ番目のビームについて、端末装置は、ｎ番目のビームの第１のビーム参照品質値に基づいて、ｎ番目のビームの第２のビーム参照品質値を直接決定し得る。
【００９４】
具体的には、端末装置は、以下の式を使用して第２のビーム参照品質値を決定し得る。
Ｑt＝（１−ａ）・Ｑt-1＋ａ・ｑt（式１．２）
ここで、Ｑtは端末装置によって取得されたフィルタリングされた第２のビーム参照品質値であり、ｑtは現在の第１のビーム参照品質値であり、Ｑt-1はビームの履歴の第２のビーム参照品質値であり、ａはフィルタリング係数である。フィルタリング係数は、プリセットされてもよく、又はネットワーク側装置によって端末装置に示されてもよい。これは、この出願のこの実施形態において限定されない。ａの値は０と１との間の任意の値（０及び１を含む）であってもよく、ａのより小さい値は現在のビーム品質のより低い重みを示すことが理解され得る。例えば、いくつかの実施形態では、ａ＝０．１である。
【００９５】
任意選択で、いくつかの実施形態では、プリセット閾値が設定され得る。ビームの第１のビーム参照品質値がプリセット閾値よりも大きい場合、ビームの第２のビーム参照品質値はビームの第１のビーム参照品質値に基づいて決定されてもよく、又はビームの第１のビーム参照品質値がプリセット閾値よりも小さい場合、ビームの第２のビーム参照品質値を決定するためにビームに対して実行されるフィルタリングが停止されてもよい。任意選択で、検出期間が設定され得る。検出期間外の第１のビーム参照品質値は、検出期間中のフィルタリングプロセスに影響を与えない。検出期間中のビームのすべての第１のビーム参照品質値がプリセット閾値よりも大きいが、検出期間外のビームの第１のビーム参照品質値がプリセット閾値よりも小さい場合、検出期間中のビームに対応する第２のビーム参照品質値が依然として決定され得る。検出期間中のビームの第１のビーム参照品質値がプリセット閾値よりも小さい場合、ビームの第１のビーム参照品質値に対して実行されるフィルタリングは停止される。この場合、端末装置は、ビームの第１のビーム参照品質値がプリセット閾値よりも大きい場合に検出期間を再開し得る。
【００９６】
１０６。端末装置は、Ｎ個の第２のビーム参照品質値に基づいて、第２のビームトラッキングメッセージを決定する。
【００９７】
任意選択で、いくつかの実施形態では、端末装置がＮ個の第２のビーム参照品質値に基づいて、第２のビームトラッキングメッセージを決定することは、端末装置によって、Ｎ個の第２のビーム参照品質値、Ｎ個のビームの各々が属するセル、第１のプリセット閾値、及び第２のプリセット閾値に基づいて、第２のビームトラッキングメッセージを決定することであって、第１のプリセット閾値は第２のプリセット閾値よりも大きく、第２のビームトラッキングメッセージは候補ビームのインデックス及び／又は利用可能なビームのインデックスを含み、候補ビームの第２のビーム参照品質値は第１のプリセット閾値以上であり、利用可能なビームの第２のビーム参照品質値は第１のプリセット閾値未満かつ第２のプリセット閾値以上である、決定することを含む。さらに、いくつかの実施形態では、第２のビームトラッキングメッセージは、候補ビームの第２のビーム参照品質値及び／又は利用可能なビームの第２のビーム参照品質値をさらに含み得る。前述の技術的解決策では、ネットワーク側装置が、端末装置と通信するために、受信した候補ビーム及び／又は利用可能なビームから適切なビームを選択し得るように、端末装置は、候補ビーム及び／又は利用可能なビームをネットワーク側装置に直接報告する。
【００９８】
端末装置は、ビームに対応するパイロット情報に基づいて、そのビームが属するセルを決定し得る。パイロット情報は参照信号であり、参照信号はセル識別子に基づいて生成される。第２のビームトラッキングメッセージは、Ｎ個のビームが属するセルのうちの少なくとも１つのセルのビームのインデックスを含み得る。いくつかの実施形態では、少なくとも１つのセルは、端末装置によってキャンプオンされるセルを含み得る。
【００９９】
候補ビーム及び利用可能なビームは、Ｎ個のビームが属するすべてのセルの各々の候補ビーム及び利用可能なビームであってもよく、又はＮ個のビームが属するすべてのセルのうちの１つ又は複数の候補ビーム及び利用可能なビームであってもよい。例えば、Ｎ個のビームがそれぞれセル１（セル１は、端末装置によってキャンプオンされるセルであると仮定される）、セル２、及びセル３に属すると仮定される。端末装置は、セル１の候補ビーム及び利用可能なビームのみを決定し得る。代替として、端末装置は、セル１、セル２、及びセル３のうちの任意の２つ又はすべての候補ビーム及び利用可能なビームを決定し得る。
【０１００】
場合によっては、１つ又は複数のセルは、候補ビーム及び利用可能なビームのうちの１つのみを含み得ることが理解され得る。いくつかの他の場合では、１つ又は複数のセルは候補ビームと利用可能なビームとを含み得る。
【０１０１】
ネットワーク側装置は、端末装置と通信するために、候補ビーム及び利用可能なビームに基づいて適切なビームを選択し得る。
【０１０２】
任意選択で、いくつかの実施形態では、端末装置がＮ個の第２のビーム参照品質値に基づいて、第２のビームトラッキングメッセージを決定することは、端末装置によって、Ｎ個の第２のビーム参照品質値、Ｎ個のビームの各々が属するセル、及び第３のプリセット閾値に基づいて、第２のビームトラッキングメッセージを決定することであって、第２のビームトラッキングメッセージはビームのインデックスを含み、Ｎ個のビームのうちの第２のビーム参照品質値は、第３のプリセット閾値以上である、決定することを含む。さらに、いくつかの実施形態では、第２のビームトラッキングメッセージは、Ｎ個のビームのうちの、第３のプリセット閾値以上であるビームの第２のビーム参照品質値をさらに含み得る。前述の技術的解決策では、ネットワーク側装置が、端末装置と通信するために、プリセット条件を満たすビームから適切なビームを直接選択し得るように、端末装置は、プリセット条件を満たす（具体的には、第３のプリセット閾値以上）ビームのインデックスをネットワーク側装置に直接報告し得る。任意選択で、いくつかの実施形態では、第２のビームトラッキングメッセージはＰ個のビームのインデックスを含み、Ｐ個のビームの各々の第２のビーム参照品質値は第３のプリセット閾値以上であり、Ｐは１以上かつＭ以下の正の整数である。言い換えれば、端末装置が、プリセット条件を満たすビームの量がＭ以上であると決定した場合、端末装置は、Ｍ個のビームのインデックスを報告するか、又は端末装置が、プリセット条件を満たすビームの量がＭ以下であると決定した場合、端末装置は、プリセット条件を満たすすべてのビームのインデックスを報告する。
【０１０３】
いくつかの実施形態では、第３のプリセット閾値は第１のプリセット閾値と等しくてもよい。いくつかの実施形態では、第３のプリセット閾値は第２のプリセット閾値に等しくてもよい。いくつかの実施形態では、代替として、第３のプリセット閾値は、第１のプリセット閾値又は第２のプリセット閾値と等しくなくてもよい。例えば、第３のプリセット閾値は、第２のプリセット閾値よりも大きく、第１のプリセット閾値よりも小さくてもよい。
【０１０４】
同様に、第２のビームトラッキングメッセージに含まれるビームのインデックスは、第２のビーム参照品質値が第３のプリセット閾値よりも大きい、Ｎ個のビームが属するすべてのセルのうちの少なくとも１つのセルのビームのインデックスであり得る。代替として、第２のビームトラッキングメッセージに含まれるビームのインデックスは、Ｎ個のビームが属するすべてのセルのうちの、第２のビーム参照品質値が第３のプリセット閾値よりも大きいビームのインデックスであり得る。
【０１０５】
任意選択で、いくつかの実施形態では、端末装置がＮ個の第２のビーム参照品質値に基づいて、第２のビームトラッキングメッセージを決定することは、端末装置によって、Ｎ個の第２のビーム参照品質値、及びＮ個のビームの各々が属するセルに基づいて、Ｎ個のビームが属するセルのうちの少なくとも１つのセルの各々の、少なくとも２つの参照ビームを決定することであって、各セルの少なくとも２つの参照ビームが、各セルの、最大の第２のビーム参照品質値を有する２つのビームである、決定することを含む。端末装置は第２のビームトラッキングメッセージを決定し、第２のビームトラッキングメッセージは各セルの決定された少なくとも２つの参照ビームのインデックスを含む。さらに、いくつかの実施形態では、第２のビームトラッキングメッセージは、各セルの少なくとも２つの参照ビームのうちの第２のビーム参照品質値をさらに含み得る。任意選択で、いくつかの実施形態では、決定される必要がある参照ビームの量は、プロトコルによって指定されてもよく、又は端末装置のための基地局によって構成されてもよい。前述の技術的解決策では、ネットワーク側装置が、最大の第２のビーム品質値を有する複数のビームから、端末装置と通信するために使用され得るビームを選択し得るように、端末装置は、最大の第２のビーム参照品質値を有する複数のビームをネットワーク側装置に直接報告し得る。
【０１０６】
同様に、第２のビームトラッキングメッセージに含まれるビームのインデックスは、Ｎ個のビームが属するすべてのセルのうちの少なくとも１つの少なくとも２つの参照ビームのインデックスであり得る。代替として、第２のビームトラッキングメッセージに含まれるビームのインデックスは、Ｎ個のビームが属するすべてのセルの各々の少なくとも２つの参照ビームのインデックスであり得る。
【０１０７】
前述の実施形態では、ビームのインデックスに加えて、第２のビームトラッキングメッセージはビームの第２のビーム参照品質値をさらに含み得る。第２のビームトラッキングメッセージが複数のセルにそれぞれ属するビームのインデックスを含む場合、第２のビームトラッキングメッセージはビームが属するセルを示すために使用される情報をさらに含み得ることが理解され得る。
【０１０８】
さらに、第２のビームトラッキングメッセージが１つのセルの複数のビームのインデックスを含む場合、複数のビームのインデックスの順序はビームの第２のビーム参照品質値に基づいて決定され得る。例えば、第１のビームインデックスに対応するビームは、最大の第２のビーム参照品質値を有し、第２のビームインデックスに対応するビームは、２番目に最大の第２のビーム参照品質値を有するなどである。このようにして、ネットワーク側装置は、受信されたビームのインデックスの順序に基づいて各セルの第２のビーム参照品質値の順序を決定し得る。
【０１０９】
任意選択で、いくつかの他の実施形態では、端末装置は、Ｎ個の第２のビーム参照品質値に基づいてセル測定結果を決定し、第２のビームトラッキングメッセージはセル測定結果を含むと決定し得る。ネットワーク側装置は、報告されたセル測定結果を使用して、ビーム上でセルレベルのトラッキングを実行し得る。
【０１１０】
任意選択で、いくつかの実施形態では、セル測定結果は、Ｎ個のビームが属するセルにおける少なくとも１つのグループ内の各セルの最大の第２のビーム参照品質値であり得る。
【０１１１】
例えば、Ｎ個のビームがそれぞれセル１（セル１は、端末装置によってキャンプオンされるセルであると仮定される）、セル２、及びセル３に属すると仮定される。端末装置は、セル１の最大の第２のビーム参照品質値がセル１のセル測定結果として使用されると決定し得る。端末装置は、セル２の最大の第２のビーム参照品質値がセル２のセル測定結果として使用されるとさらに決定し得る。端末装置は、セル３の最大の第２のビーム参照品質値がセル３のセル測定結果として使用されるとさらに決定し得る。セル測定結果は、セル１、セル２、及びセル３のセル測定結果を含み得る。
【０１１２】
任意選択で、いくつかの他の実施形態では、セル測定結果は、Ｎ個のビームが属するセルのうちの少なくとも１つのセルの各々の少なくとも２つの参照ビームの第２のビーム参照品質値の平均値であってもよく、各セルの少なくとも２つの参照ビームは、各セルの、最大の第２のビーム参照品質値を有する少なくとも２つのビームである。決定される必要がある参照ビームの量は、プロトコルによって指定されてもよく、又は端末装置のためにネットワーク側装置によって構成されてもよい。
【０１１３】
例えば、Ｎ個のビームがそれぞれセル１（セル１は、端末装置によってキャンプオンされるセルであると仮定される）、セル２、及びセル３に属すると仮定される。端末装置は、セル１の３つの最大の第２のビーム参照品質値の平均値がセル１のセル測定結果として使用されると決定し得る。端末装置は、セル２の３つの最大の第２のビーム参照品質値の平均値がセル２のセル測定結果として使用されるとさらに決定し得る。端末装置は、セル３の３つの最大の第２のビーム参照品質値の平均値がセル３のセル測定結果として使用されるとさらに決定し得る。セル測定結果は、セル１、セル２、及びセル３のセル測定結果を含み得る。平均値は、算術平均値でもよく、又は幾何平均値などでもよい。これは、この出願のこの実施形態において限定されない。
【０１１４】
任意選択で、いくつかの実施形態では、第２のビームトラッキングメッセージは、Ｎ個の第２のビーム参照品質値及びＮ個のビームのインデックスをさらに含み得る。このようにして、ネットワーク側装置は、Ｎ個の第２のビーム参照品質値に基づいて特定の結果を決定し得る。例えば、ネットワーク側装置は、第１のプリセット閾値及び第２のプリセット閾値に基づいて、候補ビーム及び／又は利用可能なビームを決定し得る。ネットワーク側装置は、代替として、Ｎ個のビームが属するセルのうちの少なくとも１つの候補ビーム及び／又は利用可能なビームを決定し得ることが理解され得る。別の例では、ネットワーク側装置は、第３のプリセット閾値に基づいて、第２のビーム参照品質値が第３のプリセット閾値よりも大きいビームを決定し得る。さらに別の例では、ネットワーク側装置は、各セルの、最大の第２のビーム参照品質を有する複数のビームを決定し得る。さらに別の例では、ネットワーク側装置はセル測定結果を決定し得る。ネットワーク側装置によって前述の特定の結果を決定することの具体的なプロセスは、端末装置によって同一の特定結果を決定することの具体的なプロセスと同様である。詳細は本明細書に記載される必要はない。
【０１１５】
１０７。端末装置は第２のビームトラッキングメッセージをネットワーク側装置に送信し、第２のビームトラッキングメッセージはＲＲＣ層メッセージである。
【０１１６】
前述の技術的解決策では、端末装置は、各ビームの複数の第１のビーム参照品質値に基づいて、各ビームの第２のビーム参照品質値を決定し得る。このようにして、端末装置によってトラッキングされるビームの参照品質値は、ある期間内に蓄積した後に取得された測定結果である。さらに、第２のビームトラッキングメッセージは、Ｎ個のビームが属するセルのうちの少なくとも１つのセルのビームのインデックスを含み得る。このようにして、ネットワーク側装置は、端末装置によってキャンプオンされるセルのビーム品質値と、端末装置の隣接セルのビーム品質値とを取得し得る。この場合、ネットワーク側装置は、端末装置によってキャンプオンされるセルのセル状態を決定できるだけでなく、端末装置によって検出されることができる隣接セルのセル状態を決定することもできる。
【０１１７】
任意選択で、いくつかの実施形態では、端末装置は、第２のビームトラッキングメッセージをネットワーク側装置に定期的に送信し得る。送信期間は、プリセットされてもよく、又はネットワーク側装置によって端末装置に示されてもよい。
【０１１８】
任意選択で、いくつかの実施形態では、プリセット測定イベントが満たされている場合、端末装置は、代替として、第２のビームトラッキングメッセージをネットワーク側装置に送信し得る。具体的には、端末装置は、ビームベースのセル測定結果を使用して、プリセット測定イベントが満たされているかどうかを決定し得る。プリセット測定イベントが満たされている場合、端末装置は第２のビームトラッキングメッセージをネットワーク側装置に送信し得る。端末装置はさらに、プリセット測定イベントを同時に報告し得る。プリセット測定イベントは、以下のうちの１つ又は複数を含み得る。端末装置によってキャンプオンされるセルのセル測定結果は、端末装置の隣接セルのセル測定結果よりもプリセットオフセットだけ小さい、端末装置によってキャンプオンされるセルのセル測定結果は、プリセット閾値よりも小さい、端末装置の隣接セルのセル測定結果は、プリセット閾値よりも大きい、など。プリセット測定イベント、ならびにプリセット測定イベントにおいて使用されるプリセットオフセット及びプリセット閾値は、端末装置によってプリセットされてもよく、又はネットワーク側装置によって端末装置に示されてもよい。前述の技術的解決策では、端末装置は、ビームトラッキング結果に基づいて、プリセット測定イベントが満たされているかどうかを決定し、決定結果に基づいて、報告される内容を選択し得る。
【０１１９】
ステップ１０５からステップ１０７を使用してセル測定結果をネットワーク側装置に送信することに加えて、端末装置は、セル測定結果をさらに決定し、ステップ１０８からステップ１１０を使用してセル測定結果をネットワーク側装置に送信し得る。
【０１２０】
１０８。端末装置は、Ｎ個の第１のビーム参照品質値、及びＮ個のビームの各々が属するセルに基づいて、Ｎ個のビームが属するセルのうちの少なくとも１つのセルの各々の、最大の第１のビーム参照品質値を決定する。
【０１２１】
１０９。端末装置は、各セルの最大の第１のビーム参照品質値に基づいて、各セルの第２のビーム参照品質値を決定する。代替として、式１．２を使用して、第２のビーム参照品質値が決定され得る。詳細は本明細書に記載される必要はない。
【０１２２】
１１０。端末装置は、各セルの第２のビーム参照品質値をネットワーク側装置にＲＲＣ層メッセージを介して送信する。各セルの第２のビーム参照品質値は、各セルのセル測定結果である。
【０１２３】
前述の技術的解決策では、ネットワーク側装置が、トラッキングを通じて端末装置によって取得されたセル測定結果をタイムリーに取得するように、端末装置は、ビームトラッキング結果に基づいてセル測定結果を決定し、測定を通じて取得されたセル測定結果をネットワーク側装置に報告し得る。
【０１２４】
任意選択で、いくつかの実施形態では、プリセット測定イベントが満たされている場合、端末装置は第２のビームトラッキングメッセージをネットワーク側装置に送信し得る。具体的には、端末装置は、ビームベースのセル測定結果に従って、プリセット測定イベントが満たされているかどうかを決定し得る。プリセット測定イベントが満たされている場合、端末装置は第２のビームトラッキングメッセージをネットワーク側装置に送信し得る。端末装置はさらに、プリセット測定イベントを同時に報告し得る。プリセット測定イベントの具体的な内容は、ステップ１０７と同じである。詳細は本明細書に記載される必要はない。
【０１２５】
任意選択で、いくつかの実施形態では、端末装置は、各セルの第２のビーム参照品質値をネットワーク側装置に定期的に送信し得る。送信期間は、プリセットされてもよく、又はネットワーク側装置によって端末装置に示されてもよい。
【０１２６】
いくつかの他の実施形態では、端末装置は、代替として、セル測定結果を決定し、ステップ１１１からステップ１１３を使用してセル測定結果をネットワーク側装置に送信し得る。
【０１２７】
１１１。端末装置は、Ｎ個の第１のビーム参照品質値、及びＮ個のビームの各々が属するセルに基づいて、Ｎ個のビームが属するセルのうちの少なくとも１つの各々の最大の第１のビーム参照品質値を有する少なくとも２つのビームの平均値を決定する。
【０１２８】
１１２。端末装置は、各セルの、最大の第１のビーム参照品質値を有する少なくとも２つのビームの平均値に基づいて、各セルの第２のビーム参照品質値を決定する。
【０１２９】
１１３。端末装置は、各セルの第２のビーム参照品質値をネットワーク側装置にＲＲＣ層メッセージを介して送信する。各セルの第２のビーム参照品質値は、各セルのセル測定結果である。
【０１３０】
前述の技術的解決策では、ネットワーク側装置が、トラッキングを通じて端末装置によって取得されたセル測定結果をタイムリーに取得するように、端末装置は、ビームトラッキング結果に基づいてセル測定結果を決定し、測定を通じて取得されたセル測定結果をネットワーク側装置に報告し得る。
【０１３１】
任意選択で、いくつかの実施形態では、プリセット測定イベントが満たされている場合、端末装置は第２のビームトラッキングメッセージをネットワーク側装置に送信し得る。具体的には、端末装置は、ビームベースのセル測定結果に従って、プリセット測定イベントが満たされているかどうかを決定し得る。プリセット測定イベントが満たされている場合、端末装置は第２のビームトラッキングメッセージをネットワーク側装置に送信し得る。端末装置はさらに、プリセット測定イベントを同時に報告し得る。プリセット測定イベントの具体的な内容は、ステップ１０７と同じである。詳細は本明細書に記載される必要はない。
【０１３２】
任意選択で、いくつかの実施形態では、端末装置は、各セルの第２のビーム参照品質値をネットワーク側装置に定期的に送信し得る。送信期間は、プリセットされてもよく、又はネットワーク側装置によって端末装置に示されてもよい。
【０１３３】
前述の実施形態におけるステップ番号（具体的には、１０１から１１３）は、ステップの順序を限定するのではなく、単に実施形態をより良く説明するのを助けることが意図されていることが理解され得る。例えば、ステップ１０４は、ステップ１０３の後、又はステップ１０３の前に実行され得る。ステップ１０５からステップ１０７、ステップ１０８からステップ１１０、及びステップ１１１からステップ１１３は、ステップ１０４の後、又はステップ１０３の後に実行され得る。また、説明を簡潔にするために、図１はステップ１０１からステップ１０３のみを示している。
【０１３４】
図３は、この出願の一実施形態による、別のビームトラッキング方法の概略的なフローチャートである。
【０１３５】
３０１。端末装置は、第１のビームを使用して、ネットワーク側装置にビームトレーニング要求を送信する。
【０１３６】
任意選択で、いくつかの実施形態では、端末装置は、次のようにして第１のビームを決定し得る。端末装置によって、Ｎ個のビームをそれぞれ使用してＮ個の時間−周波数リソース上でネットワーク側装置にランダムアクセスプリアンブルを送信することであって、Ｎ個の時間−周波数リソースのうちのいずれか２つのサブフレーム番号及び／又は周波数リソース番号が異なり、Ｎは２以上の正の整数である、送信することと、端末装置によって、ネットワーク側装置によって送信された少なくとも１つのランダムアクセス応答メッセージを受信することと、端末装置によって、少なくとも１つのランダムアクセス応答メッセージの各々におけるＲＡ−ＲＡＮＴＩの値に基づいて、Ｎ個のビームから第１のビームを決定すること。このようにして、ビームを使用してネットワーク側装置に要求メッセージを送信するように、端末装置は、複数の利用可能なビームから、ネットワーク側装置と通信するために使用され得るビームを選択し得る。
【０１３７】
具体的には、端末装置によって送信されたランダムアクセスプリアンブルを受信した後、ネットワーク側装置は、ランダムアクセスプリアンブルの時間−周波数リソースに基づいて、ランダムアクセス−無線ネットワーク一時識別子（Ｒａｎｄｏｍ  Ａｃｃｅｓｓ−Ｒａｄｉｏ  Ｎｅｔｗｏｒｋ  Ｔｅｍｐｏｒａｒｙ  Ｉｄｅｎｔｉｆｉｅｒ、ＲＡ−ＲＮＴＩ）の値を決定し得る。ＲＡ−ＲＮＴＩの値は次の式を満たす。
ＲＡ−ＲＮＴＩ＝１＋ｔ＿ｉｄ＋１０＊ｆ＿ｉｄ（式１．３）
ここで、ＲＡ−ＲＮＴＩはＲＡ−ＲＮＴＩの値であり、ｔ＿ｉｄはサブフレーム番号であり、ｆ＿ｉｄは周波数リソース番号である。
【０１３８】
ネットワーク側装置によって送信されたランダムアクセス応答メッセージは、決定されたＲＡ−ＲＮＴＩの値に基づいてスクランブルされる。このようにして、端末装置は、ランダムアクセス応答メッセージをデスクランブルすることによって、Ｎ個のビームのうちの１つ又は複数の利用可能なビームがアップリンク情報を送信するために使用され得ることを決定し得る。
【０１３９】
任意選択で、いくつかの実施形態では、端末装置は、ネットワーク側装置によって送信された１つのランダムアクセス応答メッセージのみを受信する。この場合、端末装置は、ＲＡ−ＲＮＴＩの値に基づいてランダムアクセス応答メッセージをデスクランブルし、プリアンブルが送信された場合に使用される時間−周波数リソースを決定する。時間−周波数リソースはビームと１対１に対応するので、端末装置は、時間−周波数リソースに対応するビームが第１のビームであると決定し得る。
【０１４０】
任意選択で、いくつかの他の実施形態では、端末装置は、ネットワーク側装置によって送信された複数のランダムアクセス応答メッセージを受信し得る。この場合、端末装置は、第１の受信されたランダムアクセス応答メッセージ内のＲＡ−ＲＮＴＩの値をデスクランブルし、１つの時間−周波数リソースを決定し、時間−周波数リソースに対応するビームが第１のビームであると決定し得る。代替として、端末装置は、任意の受信されたランダムアクセス応答メッセージ内のＲＡ−ＲＮＴＩの値をデスクランブルし、１つの時間−周波数リソースを決定し、時間−周波数リソースに対応するビームが第１のビームであると決定し得る。
【０１４１】
任意選択で、いくつかの実施形態では、第１のビームは、端末装置によって使用され得る任意のビームであり得る。
【０１４２】
３０２。端末装置は、ネットワーク側装置によって送信されたビームトレーニング応答に基づいて、ネットワーク側装置と通信するために使用される第２のビームを決定し、ビームトレーニング応答はＭ個の物理パイロットリソースを含み、Ｍは１以上の正の整数である。
【０１４３】
前述の技術的解決策では、端末装置は、ネットワーク側装置と通信するために、複数の利用可能なビームから適切なビームを選択し得る。
【０１４４】
任意選択で、いくつかの実施形態では、端末装置は、Ｍ個のビームをそれぞれ使用して、Ｍ個の物理パイロットリソース上でネットワーク側装置に参照信号を送信し得る。端末装置は、ネットワーク側装置によって送信されたフィードバック情報を受信し、フィードバック情報は、Ｍ個のビームのうちの１つ又は複数のインデックスを含む。端末装置は、フィードバック情報に基づいて第２のビームを決定し、第２のビームは１つ又は複数のビームに属する。前述の技術的解決策では、端末装置は、利用可能なビームをトレーニングし、ネットワーク側装置によってフィードバックされた情報に基づいて、ネットワーク側装置と通信するために使用され得るビームを決定し得る。
【０１４５】
参照信号を受信した後、ネットワーク側装置は、受信した参照信号に基づいてＭ個のビームの各々のビーム品質値を決定し得る。ネットワーク側装置は、各ビームの決定されたビーム品質値に基づいてフィードバック情報を決定し、フィードバック情報は、Ｍ個のビームのうちの、最大のビーム品質値を有する１つ又は複数のビームのインデックスを含み得る。代替として、フィードバック情報は、ビーム品質値がプリセット閾値よりも大きい１つ又は複数のビームのインデックスを含み得る。
【０１４６】
任意選択で、いくつかの実施形態では、端末装置は、Ｍ個の物理パイロットリソースに基づいて第１の物理パイロットリソースを決定し、少なくとも１つのビームを使用して第１の物理パイロットリソース上で参照信号をネットワーク側装置に送信してもよく、第１の物理パイロットリソースは、端末装置がネットワーク側装置によって送信された情報を受信した場合に使用される、物理パイロットリソースに対応する物理パイロットリソースである。端末装置は、ネットワーク側装置によって送信されたフィードバック情報を受信し、フィードバック情報は、少なくとも１つのビームのうちの１つ又は複数のインデックスを含む。端末装置は、フィードバック情報に基づいて第２のビームを決定し、第２のビームは１つ又は複数のビームに属する。フィードバック情報は、専用の物理層リソース上で端末装置に送信されてもよく、ＭＡＣ層メッセージ又はＲＲＣ層メッセージを介して端末装置に送信されてもよい。これは、この出願のこの実施形態において限定されない。ビーム品質値は、ＲＳＲＰ、ＲＳＲＱなどでもよく、又は式１．１を使用してフィルタリングを通じて取得されたビーム品質値でもよい。これは、この出願のこの実施形態において限定されない。
【０１４７】
任意選択で、いくつかの実施形態では、端末装置の利用可能な送信ビームの量は物理パイロットリソースの量Ｍより少なくてもよい。この場合、端末装置がＭ個のビームをそれぞれ使用してＭ個の物理パイロットリソース上で参照信号をネットワーク側装置に送信する前に、端末装置は複数の利用可能なビームからＭ個のビームをさらに選択し得る。端末装置は、Ｍ個のビームをランダムに選択してもよく、又は受信したランダムアクセス応答メッセージ内のＲＡ−ＲＮＴＩの値に基づいて決定されたＭ個のビームを選択してもよい。前述の技術的解決策では、トレーニングのために使用されるビームの量が、ネットワーク側装置によって端末装置に割り当てられ、ビームトレーニングを実行するために使用される物理パイロットリソースの量に等しくなるように、端末装置は、トレーニングのために使用されるビームの適切な量を選択し得る。
【０１４８】
ネットワーク側装置によって構成されたパイロットリソースは、定期的に構成されてもよく、又は個別に構成されてもよい。パイロットリソースは、復調用参照信号（Ｄｅｍｏｄｕｌａｔｉｏｎ  Ｒｅｆｅｒｅｎｃｅ  Ｓｉｇｎａｌ、ＤＭＲＳ）、サウンディング用参照信号（Ｓｏｕｎｄｉｎｇ  Ｒｅｆｅｒｅｎｃｅ  Ｓｉｇｎａｌ、ＳＲＳ）などを含む。ネットワーク側装置によって構成されたパイロットリソースは第１の識別子を含み、第１の識別子は、パイロットリソースがビームトレーニングを実行するために使用されるパイロットリソースであることを示すために使用される。
【０１４９】
任意選択で、いくつかの実施形態では、端末装置が、ネットワーク側装置によって送信されたビームトレーニング応答に基づいて、ネットワーク側装置と通信するために使用される第２のビームを決定する前に、端末装置は、端末装置の利用可能な送信ビームの量をネットワーク側装置に示し得る。端末装置の利用可能な送信ビームの量は、ビームトレーニング要求において搬送され得る。ネットワーク側装置は、利用可能な送信ビームの量に基づいて物理パイロットリソースの量Ｍを決定し得る。物理パイロットリソースの量Ｍは、利用可能な送信ビームの量以下であり得る。前述の技術的解決策では、ネットワーク側装置が、利用可能なビームの量に基づいて、端末装置に割り当てられるべき物理パイロットリソースの量を決定するように、端末装置は、利用可能なビームの量をネットワーク側装置に送信し得る。
【０１５０】
この出願の実施形態は端末装置をさらに提供する。端末装置は、処理ユニットと送信ユニットとを含む。
【０１５１】
処理ユニットは、Ｎ個の第１のビーム参照品質値を決定するように構成され、Ｎ個の第１のビーム参照品質値はそれぞれ、Ｎ個のビームに対応し、Ｎは１以上の正の整数である。
【０１５２】
処理ユニットは、Ｎ個の第１のビーム参照品質値及び、Ｎ個のビームの各々が属するセルに基づいて、Ｎ個のビームからＭ個のビームを選択するようにさらに構成され、Ｍは１以上かつＮ以下の正の整数であり、Ｍ個のビームは、端末装置によってキャンプオンされるセルに属する。
【０１５３】
送信ユニットは、選択されたＭ個のビームを、端末装置にサービスを提供するネットワーク側装置に示すように構成される。
【０１５４】
任意選択で、いくつかの実装形態では、送信ユニットは、第１のビームトラッキングメッセージをネットワーク側装置に送信するように特に構成される。第１のビームトラッキングメッセージはＭ個のビームのインデックスを含む。第１のビームトラッキングメッセージはメディアアクセス制御ＭＡＣ層メッセージである。
【０１５５】
任意選択で、いくつかの実装形態では、送信ユニットは、ネットワーク側装置に第１のターゲットビームのインデックスに対応する時間−周波数リソース及び／又は符号リソース上でランダムアクセスプリアンブルを送信するようにさらに構成される。第１のターゲットビームは、Ｍ個のビームのうちの、最大の第１のビーム参照品質値を有するビームである。
【０１５６】
任意選択で、いくつかの実装形態では、処理ユニットは、Ｎ個の第２のビーム参照品質値を決定するようにさらに構成される。Ｎ個の第２のビーム参照品質値のうちのｎ番目の第２のビーム参照品質値は、Ｎ個の第１のビーム参照品質値のうちのｎ番目の第１のビーム参照品質値に基づいて決定され、ｎ＝１、．．．、又はＮである。処理ユニットは、Ｎ個の第２のビーム参照品質値に基づいて、第２のビームトラッキングメッセージを決定するようにさらに構成される。送信ユニットは、第２のビームトラッキングメッセージをネットワーク側装置に送信するようにさらに構成される。第２のビームトラッキングメッセージは無線リソース制御ＲＲＣ層メッセージである。
【０１５７】
任意選択で、いくつかの実装形態では、処理ユニットは、Ｎ個の第２のビーム参照品質値、Ｎ個のビームの各々が属するセル、第１のプリセット閾値、及び第２のプリセット閾値に基づいて、第２のビームトラッキングメッセージを決定するように特に構成される。第１のプリセット閾値は、第２のプリセット閾値よりも大きい。第２のビームトラッキングメッセージは候補ビームのインデックス及び／又は利用可能なビームのインデックスを含む。候補ビームの第２のビーム参照品質値は第１のプリセット閾値以上である。利用可能なビームの第２のビーム参照品質値は第１のプリセット閾値未満かつ第２のプリセット閾値以上である。
【０１５８】
任意選択で、いくつかの実装形態では、処理ユニットは、Ｎ個の第２のビーム参照品質値、Ｎ個のビームの各々が属するセル、及び第３のプリセット閾値に基づいて、第２のビームトラッキングメッセージを決定するように特に構成される。第２のビームトラッキングメッセージは、Ｎ個のビームのうちの、第３のプリセット閾値以上である第２のビーム参照品質値を有するビームのインデックスを含む。
【０１５９】
任意選択で、いくつかの実装形態では、処理ユニットは、Ｎ個の第２のビーム参照品質値、及びＮ個のビームの各々が属するセルに基づいて、Ｎ個のビームが属するセルのうちの少なくとも１つのセルの各々の、少なくとも２つの参照ビームを決定することであって、各セルの少なくとも２つの参照ビームが、各セルの、最大の第２のビーム参照品質値を有する少なくとも２つのビームである、ことと、第２のビームトラッキングメッセージを決定することであって、第２のビームトラッキングメッセージが、各セルの決定された少なくとも２つの参照ビームのインデックスを含む、こととを行うように特に構成される。
【０１６０】
任意選択で、いくつかの実装形態では、処理ユニットは、Ｎ個の第２のビーム参照品質値、及びＮ個のビームの各々が属するセルに基づいてセル測定結果を決定することと、第２のビームトラッキングメッセージを決定することとを行うように特に構成される。セル測定結果は、Ｎ個のビームが属するセルのうちの少なくとも１つのセルの各々の最大の第２のビーム参照品質値であり、第２のビームトラッキングメッセージはセル測定結果を含む。
【０１６１】
任意選択で、いくつかの実装形態では、処理ユニットは、Ｎ個の第２のビーム参照品質値、及びＮ個のビームの各々が属するセルに基づいて、Ｎ個のビームが属するセルのうちの少なくとも１つのセルの各々の、少なくとも２つの参照ビームを決定することであって、各セルの少なくとも２つの参照ビームは、各セルの、最大の第２のビーム参照品質値を有する少なくとも２つのビームである、ことと、セル測定結果を決定することであって、セル測定結果が、各セルの少なくとも２つの参照ビームの第２のビーム参照品質値の平均値を含む、ことと、第２のビームトラッキングメッセージを決定することであって、第２のビームトラッキングメッセージがセル測定結果を含む、こととを行うように特に構成される。
【０１６２】
任意選択で、いくつかの実装形態では、処理ユニットは、Ｎ個の第１のビーム参照品質値、及びＮ個のビームの各々が属するセルに基づいて、Ｎ個のビームが属するセルのうちの少なくとも１つのセルの各々の、最大の第１のビーム参照品質値を決定するようにさらに構成される。処理ユニットは、各セルの最大の第１のビーム参照品質値に基づいて、各セルの第２のビーム参照品質値を決定するようにさらに構成される。送信ユニットは、各セルの第２のビーム参照品質値をセル測定結果として使用することと、第２のビーム参照品質値をネットワーク側装置にＲＲＣ層メッセージを介して送信することとを行うようにさらに構成される。
【０１６３】
任意選択で、いくつかの実装形態では、処理ユニットは、Ｎ個の第１のビーム参照品質値、及びＮ個のビームの各々が属するセルに基づいて、Ｎ個のビームが属するセルのうちの少なくとも１つのセルの各々の、少なくとも２つの最大の第１のビーム参照品質値の平均値を決定するようにさらに構成される。処理ユニットは、各セルの少なくとも２つの最大の第１のビーム参照品質値の平均値に基づいて、各セルの第２のビーム参照品質を決定するようにさらに構成される。送信ユニットは、各セルの第２のビーム参照品質をセル測定結果として使用し、第２のビーム参照品質をネットワーク側装置にＲＲＣ層メッセージを介して送信するようにさらに構成される。
【０１６４】
任意選択で、いくつかの実装形態では、処理ユニットは、セル測定結果に基づいて、プリセット測定イベントが満たされているかどうかを決定するようにさらに構成される。
【０１６５】
任意選択で、いくつかの実装形態では、端末装置は、ネットワーク側装置によって示されたＭの値を受信するように構成された受信ユニットをさらに含む。
【０１６６】
任意選択で、いくつかの実施形態では、処理ユニットはプロセッサによって実装されてもよく、送信ユニットは送信機又は送受信機によって実装されてもよく、受信ユニットは受信機又は送受信機によって実装されてもよい。
【０１６７】
この出願の実施形態は、ネットワーク側装置の構造ブロック図をさらに提供する。ネットワーク側装置は、受信ユニットと、処理ユニットと、送信ユニットとを含む。
【０１６８】
受信ユニットは、端末装置によって示されたＭ個のビームを取得するように構成され、Ｍ個のビームは、端末装置によってキャンプオンされるセルに属し、Ｍは１以上の正の整数である。
【０１６９】
処理ユニットは、Ｍ個のビームからビームを選択するように構成される。
【０１７０】
送信ユニットは、選択されたビームを使用して端末装置にダウンリンクメッセージを送信するように構成される。
【０１７１】
任意選択で、いくつかの実装形態では、受信ユニットは、端末装置によって送信された第１のビームトラッキングメッセージを受信するように特に構成される。第１のビームトラッキングメッセージはＭ個のビームのインデックスを含む。第１のビームトラッキングメッセージはＭＡＣ層メッセージである。
【０１７２】
任意選択で、いくつかの実装形態では、受信ユニットは、端末装置によって送信されたランダムアクセスプリアンブルを受信するようにさらに構成される。処理ユニットは、ランダムアクセスプリアンブルの時間−周波数リソース及び／又は符号リソースに基づいて、第１のターゲットビームを決定するようにさらに構成され、第１のターゲットビームは、Ｍ個のビームのうちの、最大の第１のビーム参照品質値を有するビームである。
【０１７３】
任意選択で、いくつかの実装形態では、受信ユニットは、端末装置によって送信された第２のビームトラッキングメッセージを受信するようにさらに構成される。第２のビームトラッキングメッセージはＲＲＣ層メッセージである。第２のビームトラッキングメッセージは候補ビームのインデックス及び／又は利用可能なビームのインデックスを含む。候補ビームの第２のビーム参照品質値は、第１のプリセット閾値以上である。利用可能なビームの第２のビーム参照品質値は、第１のプリセット閾値未満かつ第２のプリセット閾値以上である。第１のプリセット閾値は、第２のプリセット閾値よりも大きい。
【０１７４】
任意選択で、いくつかの実装形態では、受信ユニットは、端末装置によって送信された第２のビームトラッキングメッセージを受信するようにさらに構成される。第２のビームトラッキングメッセージはＲＲＣ層メッセージである。第２のビームトラッキングメッセージは少なくとも１つのビームのインデックスを含む。少なくとも１つのビームの第２のビーム参照品質値は、第３のプリセット閾値以上である。
【０１７５】
任意選択で、いくつかの実装形態では、受信ユニットは、端末装置によって送信された第２のビームトラッキングメッセージを受信するようにさらに構成される。第２のビームトラッキングメッセージはＲＲＣ層メッセージである。第２のビームトラッキングメッセージは、少なくとも１つのセルの各々に属する少なくとも２つの参照ビームのインデックスを含む。各セルの少なくとも２つの参照ビームは、各セルの、最大の第２のビーム参照品質値を有する少なくとも２つのビームである。
【０１７６】
任意選択で、いくつかの実装形態では、受信ユニットは、端末装置によって送信された第２のビームトラッキングメッセージを受信するようにさらに構成される。第２のビームトラッキングメッセージはＲＲＣ層メッセージである。第２のビームトラッキングメッセージはセル測定結果を含む。セル測定結果は、少なくとも１つのセルの各々の最大の第２のビーム参照品質値である。
【０１７７】
任意選択で、いくつかの実装形態では、受信ユニットは、端末装置によって送信された第２のビームトラッキングメッセージを受信するようにさらに構成される。第２のビームトラッキングメッセージはＲＲＣ層メッセージである。第２のビームトラッキングメッセージはセル測定結果を含む。セル測定結果は、少なくとも１つのセルの各々の少なくとも２つの参照ビームの第２のビーム参照品質値の平均値を含む。各セルの少なくとも２つの参照ビームは、各セルの、最大の第２のビーム参照品質値を有する少なくとも２つのビームである。
【０１７８】
任意選択で、いくつかの実装形態では、受信ユニットは、端末装置によって送信された少なくとも１つのセルの各々のセル測定結果を受信するようにさらに構成される。各セルのセル測定結果は、各セルの第２のビーム参照品質値を含む。
【０１７９】
任意選択で、いくつかの実装形態では、受信ユニットは、端末装置によって送信された第２のビームトラッキングメッセージを受信するようにさらに構成される。第２のビームトラッキングメッセージはＲＲＣ層メッセージである。第２のビームトラッキングメッセージはセル測定結果を含む。セル測定結果は、少なくとも１つのセルの各々の第２のビーム参照品質を含む。各セルの第２のビーム参照品質は、各セルの少なくとも２つの第１のビーム参照品質値の平均値に基づいて決定される。
【０１８０】
任意選択で、いくつかの実装形態では、送信ユニットは、Ｍの値を端末装置に送信するようにさらに構成される。
【０１８１】
任意選択で、いくつかの実施形態では、処理ユニットはプロセッサによって実装されてもよく、送信ユニットは送信機又は送受信機によって実装されてもよく、受信ユニットは受信機又は送受信機によって実装されてもよい。
【０１８２】
この出願の実施形態は、端末装置をさらに提供する。端末装置は、送信ユニットと、受信ユニットと、処理ユニットとを含む。
【０１８３】
送信ユニットは、第１のビームを使用して、ネットワーク側装置にビームトレーニング要求を送信するように構成される。
【０１８４】
受信ユニットは、ネットワーク側装置によって送信されたビームトレーニング応答を受信するように構成される。
【０１８５】
処理ユニットは、ビームトレーニング応答に基づいて、ネットワーク側装置と通信するために使用される第２のビームを決定するように構成され、ビームトレーニング応答はＭ個の物理パイロットリソースを含み、Ｍは１以上の正の整数である。
【０１８６】
任意選択で、いくつかの実装形態では、送信ユニットは、Ｎ個のビームをそれぞれ使用してＮ個の時間−周波数リソース上でネットワーク側装置にランダムアクセスプリアンブルを送信するようにさらに構成され、Ｎ個の時間−周波数リソースのうちのいずれか２つのサブフレーム番号及び／又は周波数リソース番号が異なり、Ｎは２以上の正の整数である。受信ユニットは、ネットワーク側装置によって送信された少なくとも１つのランダムアクセス応答メッセージを受信するようにさらに構成される。処理ユニットは、少なくとも１つのランダムアクセス応答メッセージの各々におけるＲＡ−ＲＮＴＩの値に基づいて、Ｎ個のビームから第１のビームを決定するようにさらに構成される。
【０１８７】
任意選択で、いくつかの実装形態では、送信ユニットは、Ｍ個のビームをそれぞれ使用して、Ｍ個の物理パイロットリソース上でネットワーク側装置に参照信号を送信するようにさらに構成される。受信ユニットは、ネットワーク側装置によって送信されたフィードバック情報を受信するようにさらに構成され、フィードバック情報は、Ｍ個のビームのうちの１つ又は複数のインデックスを含む。処理ユニットは、フィードバック情報に基づいて第２のビームを決定するように特に構成され、第２のビームは１つ又は複数のビームに属する。
【０１８８】
任意選択で、いくつかの実装形態では、処理ユニットは、複数の利用可能なビームからＭ個のビームを選択するようにさらに構成される。
【０１８９】
任意選択で、いくつかの実装形態では、送信ユニットは、端末装置の利用可能な送信ビームの量をネットワーク側装置に示すようにさらに構成される。
【０１９０】
任意選択で、いくつかの実施形態では、処理ユニットはプロセッサによって実装されてもよく、送信ユニットは送信機又は送受信機によって実装されてもよく、受信ユニットは受信機又は送受信機によって実装されてもよい。
【０１９１】
この出願の実施形態は、ネットワーク側装置をさらに提供する。ネットワーク側装置は、受信ユニットと、処理ユニットと、送信ユニットとを含む。
【０１９２】
受信ユニットは、端末装置によって送信されたビームトレーニング要求を受信するように構成される。
【０１９３】
処理ユニットはビームトレーニング応答を決定するように構成され、ビームトレーニング応答はＭ個の物理パイロットリソースを含み、Ｍは１以上の正の整数である。
【０１９４】
送信ユニットは、ビームトレーニング応答を端末装置に送信するように構成される。
【０１９５】
任意選択で、いくつかの実装形態では、受信ユニットは、端末装置によって送信されたＮ個のランダムアクセスプリアンブルを受信するようにさらに構成され、Ｎは１以上の正の整数である。処理ユニットは、Ｎ個のランダムアクセスプリアンブルの各々の時間−周波数リソースに基づいて、Ｎ個のＲＡ−ＲＡＮＴの値を決定するようにさらに構成される。送信ユニットは、Ｎ個のランダムアクセス応答を端末装置に送信するようにさらに構成され、Ｎ個のランダムアクセス応答はそれぞれ、Ｎ個のＲＡ−ＲＮＴＩの値に基づいてスクランブルされる。
【０１９６】
任意選択で、いくつかの実装形態では、受信ユニットは、Ｍ個のビームをそれぞれ使用して、Ｍ個の物理パイロットリソース上で端末装置によって送信された参照信号を受信するようにさらに構成される。処理ユニットは、受信した参照信号に基づいて、Ｍ個のビームの各々のビーム品質値を決定するようにさらに構成される。処理ユニットは、各ビームのビーム品質値に基づいてフィードバック情報を決定するようにさらに構成され、フィードバック情報は、Ｍ個のビームのうちの１つ又は複数のインデックスを含む。
【０１９７】
任意選択で、いくつかの実装形態では、処理ユニットは、各ビームのビーム品質値に基づいて、フィードバック情報が最大のビーム品質値を有する１つ又は複数のビームのインデックスを含むと決定するか、又は各ビームのビーム品質値に基づいて、フィードバック情報が、ビーム品質値がプリセット閾値よりも大きい１つ又は複数のビームのインデックスを含むと決定するように特に構成される。
【０１９８】
任意選択で、いくつかの実装形態では、受信ユニットは、端末装置によって送信される利用可能な送信ビームの量を受信するようにさらに構成される。送信ユニットは、利用可能な送信ビームの量に基づいて物理パイロットリソースの量Ｍを決定するようにさらに構成され、Ｍは利用可能な送信ビームの量以下である。
【０１９９】
任意選択で、いくつかの実施形態では、処理ユニットはプロセッサによって実装されてもよく、送信ユニットは送信機又は送受信機によって実装されてもよく、受信ユニットは受信機又は送受信機によって実装されてもよい。
【０２００】
図４は、この出願の実施形態による端末装置の構造ブロック図である。図４に示されるように、端末装置４００は、プロセッサ４０１、メモリ４０２、送信機４０３、受信機４０４、及びアンテナ４０５を含む。
【０２０１】
図示されていないが、端末装置４００は、入力装置、出力装置、又はバッテリーなどの別の装置をさらに含み得ることが理解され得る。
【０２０２】
プロセッサ４０１は、１つ又は複数のソフトウェアプログラムを動作させる機能を含み得る。ソフトウェアプログラムは、メモリ４０２に格納され得る。メモリ４０２に格納されたプロセッサ４０１及びソフトウェア命令は、通常、端末装置４００によって実行されるアクションとして構成され得る。例えば、プロセッサ４０１は、接続プログラムを動作することができる。メモリ４０２は、読出し専用メモリ、フラッシュメモリ、或いは、ハードディスク、フロッピーディスクドライブ、又は磁気テープのような磁気ストレージ装置であり得る。メモリ４０２は、１つ又は複数のソフトウェアプログラム、命令、情報ブロック、データなどを格納し得る。
【０２０３】
任意選択で、いくつかの実施形態では、メモリ４０２は、図１に示される方法で端末装置によって実行される方法を実行するために使用される命令を格納し得る。プロセッサ４０１は、他のハードウェア（送信機４０３、受信機４０４、及びアンテナ４０５など）と組み合わせて、図１に示される方法で端末装置によって実行されるステップを実行するために、メモリ４０２に格納された命令を実行し得る。具体的な作業プロセス及び有利な効果については、図１に示される実施形態における端末装置の説明を参照されたい。
【０２０４】
任意選択で、いくつかの他の実施形態では、メモリ４０２は、図３に示される方法で端末装置によって実行される方法を実行するために使用される命令を格納し得る。プロセッサ４０１は、他のハードウェア（送信機４０３、受信機４０４、及びアンテナ４０５など）と組み合わせて、図３に示される方法で端末装置によって実行されるステップを実行するために、メモリ４０２に格納された命令を実行し得る。具体的な作業プロセス及び有利な効果については、図３に示される実施形態における端末装置の説明を参照されたい。
【０２０５】
図５は、この出願の実施形態によるネットワーク側装置の構造ブロック図である。図５に示されるネットワーク側装置５００は、プロセッサ５０１、メモリ５０２、及び送受信機５０３を含む。
【０２０６】
この出願の実施形態において開示された方法は、プロセッサ５０１に適用されてもよく、又はプロセッサ５０１によって実装される。プロセッサ５０１は、信号処理能力を有する集積回路チップであり得る。実装中、前述の方法のステップは、プロセッサ５０１におけるハードウェアの集積論理回路、又はソフトウェアの形式の命令を使用して実行され得る。プロセッサ５０１は、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）若しくは別のプログラマブル論理装置、ディスクリートゲート若しくはトランジスタ論理装置、又はディスクリートハードウェア構成要素であってもよく、この出願の実施形態において開示されている方法、ステップ、及び論理ブロック図を実装又は実行し得る。汎用プロセッサはマイクロプロセッサであり得る。代替として、プロセッサは任意の従来のプロセッサなどであり得る。この出願の実施形態において開示された方法のステップは、ハードウェア復号プロセッサによって実行及び完了されるものとして、又は、復号プロセッサ内のハードウェアとソフトウェアモジュールとの組合せを使用して実行及び完了されるものとして直接具体化され得る。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、読出し専用メモリ（Ｒｅａｄ−Ｏｎｌｙ  Ｍｅｍｏｒｙ、ＲＯＭ）、プログラム可能読出し専用メモリ、電気的消去可能プログラマブルメモリ、又はレジスタなどの、当技術分野の成熟したストレージ媒体に配置され得る。ストレージ媒体はメモリ５０２内に配置される。プロセッサ５０１はメモリ５０２内の命令を読み出し、プロセッサ５０１内のハードウェアと組み合わせて前述の方法におけるステップを実行する。
【０２０７】
任意選択で、いくつかの実施形態では、メモリ５０２は、図１に示される方法でネットワーク側装置によって実行される方法を実行するために使用される命令を格納し得る。プロセッサ５０１は、他のハードウェア（送受信機５０３及びアンテナ５０４など）と組み合わせて、図１に示される方法でネットワーク側によって実行されるステップを実行するために、メモリ５０２に格納されている命令を実行し得る。具体的な作業プロセス及び有利な効果については、図１に示される実施形態におけるネットワーク側装置の説明を参照されたい。
【０２０８】
任意選択で、いくつかの他の実施形態では、メモリ５０２は、図３に示される方法でネットワーク側装置によって実行される方法を実行するために使用される命令を格納し得る。プロセッサ５０１は、他のハードウェア（送受信機５０３など）と組み合わせて、図３に示される方法でネットワーク側装置によって実行されるステップを実行するために、メモリ５０２に格納されている命令を実行し得る。具体的な作業プロセス及び有利な効果については、図３に示される実施形態におけるネットワーク側装置の説明を参照されたい。
【０２０９】
当業者は、本明細書に開示されている実施形態に記載されている例と組み合わせて、ユニット及びアルゴリズムステップが、電子ハードウェア、又はコンピュータソフトウェアと電子ハードウェアとの組合せによって実装され得ることを認識し得る。機能がハードウェア又はソフトウェアのどちらで実行されるかは、技術的解決策の特定の用途及び設計制約条件によって異なる。当業者は、特定の用途ごとに記載された機能を実装するために異なる方法を使用し得るが、その実装形態がこの出願の範囲を超えることは考慮されるべきではない。
【０２１０】
説明の便宜上、及び簡潔にするために、前述のシステム、装置、及びユニットの詳細な作業プロセスについては、前述の方法の実施形態における対応するプロセスが参照されてよいことが、当業者によって明確に理解され得る。詳細は、本明細書では再度説明されない。
【０２１１】
この出願において提供されるいくつかの実施形態において、開示されたシステム、装置、及び方法は他の方法で実装され得ることが理解されるべきである。例えば、記載された装置の実施形態は単なる例である。例えば、ユニット分割は単なる論理的機能分割であり、実際の実装形態においては他の分割でもよい。例えば、複数のユニット又は構成要素が組み合わせられてもよく、別のシステムに統合されてもよく、又は、いくつかの機能が無視されてもよく、又は実行されなくてもよい。さらに、図示若しくは説明された相互結合、又は直接結合、又は通信接続は、いくつかのインターフェースを使用して実装され得る。装置間又はユニット間の間接結合又は通信接続は、電気的、機械的、又は他の形態で実装され得る。
【０２１２】
別々の部分として記載されたユニットは、物理的に分離されてもされなくてもよく、ユニットとして示された部分は物理的ユニットであってもなくてもよく、一箇所に配置されてもよく、又は複数のネットワークユニットに分散されてもよい。実施形態の解決策の目的を達成するために、実際の要件に従ってユニットのうちの一部又は全部が選択され得る。
【０２１３】
また、この出願の実施形態における機能ユニットは、１つの処理ユニットに統合されてもよく、又はユニットの各々が物理的に単独で存在してもよく、又は２つ以上のユニットが１つのユニットに統合されてもよい。
【０２１４】
機能がソフトウェア機能ユニットの形式で実装され、独立した製品として販売又は使用される場合、その機能はコンピュータ可読ストレージ媒体に格納され得る。そのような理解に基づいて、本質的にこの出願の技術的解決策、又は先行技術に寄与する部分、又は技術的解決策の全部若しくは一部が、ソフトウェア製品の形式で実装され得る。コンピュータソフトウェア製品は、ストレージ媒体に格納され、コンピュータ装置（パーソナルコンピュータ、サーバ、ネットワーク装置などであり得る）又はプロセッサ（ｐｒｏｃｅｓｓｏｒ）に、この出願の実施形態に記載された方法のステップのうちの全部又は一部を実行するように命令するためのいくつかの命令を含む。前述のストレージ媒体は、ＵＳＢフラッシュドライブ、リムーバブルハードディスク、読出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又は光ディスクなどの、プログラムコードを格納することができる任意の媒体を含む。
【０２１５】
前述の説明は、単にこの出願の特定の実施形態であり、この出願の保護範囲を限定することが意図されるものではない。この出願に開示された技術的範囲内で当業者によって容易に考え出されるいかなる変形又は置換も、この出願の保護範囲内に入るものとする。従って、この出願の保護範囲は特許請求の範囲の保護範囲に従うものとする。
【国際調査報告】
2019525643.tif 000008
2019525643.tif 000009
2019525643.tif 000010
2019525643.tif 000011